(57)【要約】      （修正有）【課題】常時閉型の電磁吸入弁を備える高圧燃料供給ポンプの運転ノイズを低減する。【解決手段】高圧燃料供給ポンプ１００は、磁力によって開かれるかまたは開いたまま保持される、常時閉型の電磁吸入弁１１０を備える。電磁吸入弁１１０の制御電流ＩＣは、制御電圧ＶＣを電磁吸入弁１１０に印加することによって、電磁吸入弁１１０を開くように制御される。電磁吸入弁１１０の制御電流ＩＣの制御は、電磁吸入弁１１０に通電するため、制御電流ＩＣを第１の制御電流値ＩＣ１へ増加させることを含む。電磁吸入弁１１０を開くための電磁吸入弁１１０の制御電流ＩＣの制御は、制御電流ＩＣを第１の制御電流値ＩＣ１から第１の制御電流値ＩＣ１よりも低い第２の制御電流値ＩＣ２へ低減することをさらに含む。【選択図】図７
2012036886.tif 000002
【特許請求の範囲】
【請求項１】
磁力によって開かれるかまたは開いたまま保持される常時閉型の電磁吸気弁を有し、前記電磁吸気弁を開くために前記電磁吸気弁の制御電流を制御するステップを含み、前記電磁吸気弁の制御電流を制御するステップが、前記制御電流を、前記電磁吸気弁に通電するための第１の制御電流値へ増加させるステップを含む、加圧燃料を内燃機関に供給する高圧燃料供給ポンプの制御方法において、
前記電磁吸気弁を開くために前記電磁吸気弁の制御電流を制御するステップが、さらに前記制御電流を前記第１の制御電流値から前記第１の制御電流値よりも低い第２の制御電流値へ低減するステップを含むことを特徴とする高圧燃料供給ポンプの制御方法。
【請求項２】
請求項１に記載の高圧燃料供給ポンプの制御方法において、前記電磁吸気弁が全開になる前に、前記制御電流が前記第１の制御電流値から前記第２の制御電流値へ低減されることを特徴とする高圧燃料供給ポンプの制御方法。
【請求項３】
請求項１または２に記載の高圧燃料供給ポンプの制御方法において、前記第２の制御電流値が前記第１の制御電流値よりも低い非ゼロ電流値であるか、または前記第２の制御電流値がゼロもしくは少なくともほぼゼロであることを特徴とする高圧燃料供給ポンプの制御方法。
【請求項４】
請求項１乃至３のいずれか一項に記載の高圧燃料供給ポンプの制御方法において、前記電磁吸気弁を開くための前記電磁吸気弁の前記制御電流の制御が、前記制御電流を前記第２の制御電流値から前記第２の制御電流値よりも高い第３の制御電流値へ増加させるステップをさらに含むことを特徴とする高圧燃料供給ポンプの制御方法。
【請求項５】
請求項４に記載の高圧燃料供給ポンプの制御方法において、前記高圧燃料供給ポンプは、圧縮室と、前記圧縮室内において前記下死点と前記上死点との間で往復運動するとともに、前記電磁吸気弁が全開のとき上死点へ移動する際に前記圧縮室内の燃料を加圧する圧縮プランジャを備え、
前記圧縮プランジャが前記下死点に達する前に前記電磁吸気弁が全開することを確保するため、前記制御電流を前記第２の制御電流値から前記第３の制御電流値へ増加させる前記ステップが、前記圧縮プランジャが前記下死点に達する前に行われることを特徴とする高圧燃料供給ポンプの制御方法。
【請求項６】
請求項４または５に記載の高圧燃料供給ポンプの制御方法において、保持される前記第３の制御電流値が、前記圧縮プランジャが前記下死点に達した後に前記電磁吸気弁を全開のまま保持されるための目標制御電流値であり、
前記電磁吸気弁の前記制御電流を制御するステップが、前記電磁吸気弁を全開のまま保持されるため、電磁吸気弁が全開した後に、前記第３の制御電流値を目標制御電流値へ低減するステップと、
前記圧縮プランジャが前記下死点に達した後の前記第３の制御電圧値を、前記圧縮プランジャが前記下死点に達した後に前記電磁吸気弁を全開のまま保持されるため、前記電磁吸気弁が全開した後の目標制御電流値へ低減するステップをさらに含み、
エネルギー消費を低減するため、前記目標制御電流値が前記第３の制御電流値よりも低いことを特徴とする高圧燃料供給ポンプの制御方法。
【請求項７】
請求項１乃至６のいずれか一項に記載の高圧燃料供給ポンプの制御方法において、前記電磁吸気弁の前記制御電流を制御するステップが、前記電磁吸気弁に供給されるＰＷＭ電圧信号のデューティサイクルを制御することによって、前記電磁吸気弁に供給されるＰＷＭ電圧信号のデューティサイクルおよび周波数を制御することによって行われることを特徴とする高圧燃料供給ポンプの制御方法。
【請求項８】
請求項１乃至６のいずれか一項に記載の高圧燃料供給ポンプの制御方法において、前記電磁吸気弁の前記制御電流を制御するステップが、前記電磁吸気弁の電圧信号の値を制御することによって行われることを特徴とする高圧燃料供給ポンプの制御方法。
【請求項９】
請求項１乃至８のいずれか一項に記載の高圧燃料供給ポンプの制御方法において、前記電磁吸気弁の前記制御電流を制御するステップが、
前記制御電流を前記第１の制御電流値へ増加させるため、初期電圧パルスを印加するステップと、
前記制御電流を前記第１の制御電流値から前記第２の制御電流値へ低減するため、前記初期電圧パルスを印加した後に第１のＰＷＭ電圧信号を印加するステップとをさらに含むことを特徴とする高圧燃料供給ポンプの制御方法。
【請求項１０】
請求項９に記載の高圧燃料供給ポンプの制御方法において、前記電磁吸気弁の前記制御電流を制御するステップが、
前記制御電流を前記第２の制御電流値から前記第２の制御電流値よりも高い第３の制御電流値へ増加させるため、前記第１のＰＷＭ電圧信号を印加した後に第２のＰＷＭ電圧信号を印加するステップをさらに含み、
前記第１のＰＷＭ電圧信号が前記第２のＰＷＭ電圧信号よりも小さなデューティサイクルを有することを特徴とする高圧燃料供給ポンプの制御方法。
【請求項１１】
請求項１０に記載の高圧燃料供給ポンプの制御方法において、前記第１のＰＷＭ電圧信号が前記第２のＰＷＭ電圧信号へ切り替えられ、
前記第１のＰＷＭ電圧信号が段階的ＰＷＭ制御によって前記第２のＰＷＭ電圧信号へ変更され、前記第１のＰＷＭ電圧信号の後、かつ前記第２のＰＷＭ電圧信号の前に少なくとも第３のＰＷＭ電圧信号が印加され、
前記第３のＰＷＭ電圧信号のデューティサイクルが、前記第１のＰＷＭ電圧信号のデューティサイクルよりも大きく、かつ前記第２のＰＷＭ制御電圧信号のデューティサイクルよりも小さくされることを特徴とする高圧燃料供給ポンプの制御方法。
【請求項１２】
請求項１０に記載の高圧燃料供給ポンプの制御方法において、前記第１のＰＷＭ電圧信号が前記第２のＰＷＭ電圧信号へ切り替えられ、
前記第１のＰＷＭ電圧信号が段階的ＰＷＭ制御によって前記第２のＰＷＭ電圧信号へ変更され、前記第１のＰＷＭ電圧信号の後、かつ前記第２のＰＷＭ電圧信号の前に少なくとも第３のＰＷＭ電圧信号が印加され、
前記第１のＰＷＭ電圧信号のデューティサイクルが、漸増的ＰＷＭ制御によって前記第２のＰＷＭ電圧信号のデューティサイクルへと連続的または反復的に増加されることを特徴とする高圧燃料供給ポンプの制御方法。
【請求項１３】
請求項９乃至１２のいずれか一項に記載の高圧燃料供給ポンプの制御方法において、前記電磁吸気弁の前記制御電流を制御するステップが、
前記初期電圧パルスを印加し始めるタイミングｔ１を設定するステップと、
前記初期電圧パルスを印加する持続時間ΔＴ１を設定するステップと、
前記第１のＰＷＭ電圧信号の印加、および／または前記第１のＰＷＭ電圧信号を印加する持続時間ΔＴ２のタイミングｔ２を設定するステップとのうち少なくとも１つをさらに含み、
前記初期電圧パルスおよび前記第１のＰＷＭ電圧信号のタイミングと持続時間を設定する前記ステップが、前記電磁吸気弁の開方向に作用する流体力および前記電磁吸気弁の閉方向に作用する付勢力に依存して、前記電磁吸気弁の磁力を制御するために行われることを特徴とする高圧燃料供給ポンプの制御方法。
【請求項１４】
請求項１３に記載の高圧燃料供給ポンプの制御方法において、前記電磁吸気弁の前記制御電流を制御するステップが、
前記第２のＰＷＭ電圧信号を印加するタイミング、および／または前記第２のＰＷＭ電圧信号を印加する持続時間を設定するステップをさらに含み、
前記初期電圧パルス、前記第１のＰＷＭ電圧信号、および前記第２のＰＷＭ電圧信号のタイミングと持続時間を設定する前記ステップが、前記流体力および前記付勢力に依存して前記磁力を制御するために行われることを特徴とする高圧燃料供給ポンプの制御方法。
【請求項１５】
請求項１３または１４に記載の高圧燃料供給ポンプの制御方法において、前記初期電圧パルスを印加する前記タイミングが、前記電磁吸気弁の開方向に作用する最大流体力が発生する前に設定されることを特徴とする高圧燃料供給ポンプの制御方法。
【請求項１６】
請求項１３乃至１５のいずれか一項に記載の高圧燃料供給ポンプの制御方法において、前記初期電圧パルスならびに前記第１のＰＷＭ電圧信号または前記第１および第２のＰＷＭ電圧信号のタイミングと持続時間を設定する前記ステップが、前記ＰＷＭ制御が低電流条件であるタイミングで前記電磁吸気弁がその全開位置に達するように設定されることを特徴とする高圧燃料供給ポンプの制御方法。
【請求項１７】
請求項１乃至１６のいずれか一項に記載の高圧燃料供給ポンプの制御方法において、前記電磁吸気弁が、別個の部材として形成された吸気弁部材および吸気弁プランジャを有する分離型の電磁吸気弁であり、前記電磁吸気弁の前記磁力が前記吸気弁プランジャに作用し、
前記電磁吸気弁に通電するために前記制御電流を前記第１の制御電流値へ増加させ始めるタイミングは、流体力によって前記吸気弁部材が開方向に移動し始めた後のタイミングで、前記吸気弁プランジャが前記吸気弁部材と接触するように設定されることを特徴とする高圧燃料供給ポンプの制御方法。
【請求項１８】
請求項１乃至１７のいずれか一項に記載の高圧燃料供給ポンプの制御方法によって、制御装置が、電磁吸気弁を開くために前記電磁吸気弁の制御電流を制御するように構成された、加圧燃料を内燃機関に供給することを特徴とする高圧燃料供給ポンプを制御する制御装置。
【請求項１９】
請求項１から１７のいずれか一項に記載の高圧燃料供給ポンプの制御方法によって、制御装置が、電磁吸気弁を開くために前記電磁吸気弁の制御電流を制御するように構成された、前記制御装置であって、特にエンジン制御装置を構成させることを特徴とするコンピュータプログラムコードを備えるコンピュータプログラム製品。
【発明の詳細な説明】
【技術分野】
【０００１】
本発明は、加圧燃料を内燃機関に供給する高圧燃料供給ポンプの制御方法、ならびに高圧燃料供給ポンプを制御する制御装置に関する。さらに、本発明は、高圧燃料供給ポンプを制御するように特にエンジン制御部等の制御装置を構成させるコンピュータプログラムコードを含むコンピュータプログラム製品に関する。
【０００２】
具体的には、本発明は、常時閉型の電磁吸気弁のソレノイドへの通電によって磁力により開かれ、かつ／または開いたまま保持される、常時閉型の電磁吸気弁を備える高圧燃料供給ポンプの制御方法および制御装置に関する。これは、常時開型の電磁吸気弁への通電によって磁力により閉じられかつ／または閉じたまま保持される、常時開型の電磁吸気弁を備える高圧燃料供給ポンプと区別される。
【０００３】
本発明は、制御電圧または制御電流を印加することによって電磁吸気弁を開くために電磁吸気弁の制御電流を制御することに関し、電磁吸気弁の制御電流の制御は、制御電流を電磁吸気弁に通電するための第１の制御電流値へ増加させること、特に、高圧燃料供給ポンプの圧縮室内において上死点（ＴＤＣ）と下死点（ＢＤＣ）との間で往復運動する圧縮プランジャが、圧縮プランジャの吸気行程の終了時にＢＤＣに達する前に、制御電流を電磁吸気弁に通電するための第１の制御電流値へ増加させることを含む。
【背景技術】
【０００４】
加圧燃料を内燃機関に供給する高圧燃料供給ポンプは、噴射器によって内燃機関の燃焼室内へ燃料が直接噴射される直接噴射運転に基づいた燃料供給系に使用することができる。内燃機関の燃焼室内へ直接噴射される加圧燃料は、高圧燃料供給ポンプによって加圧される。
【０００５】
例えば、特許文献１において、加圧燃料を内燃機関に供給する高圧燃料供給系であって、電磁吸気弁のソレノイドへの通電によって発生する磁力によって開かれるかまたは開いたまま保持される、常時閉型の電磁吸気弁を備える供給系が知られている。ここで常時閉弁とは、遮断状態すなわち制御電流/制御電圧が電磁吸気弁のソレノイドに印加されていないときは、閉じている型の弁を指す。
【０００６】
特許文献１では、常時閉電磁吸気弁の運転ノイズを低減するという課題に取り組んでおり、電磁吸気弁のソレノイドに通電する前に、流体力によって弁を開くための弁の上流側と下流側との間の流体圧差を利用することが提案された。しかし、常時閉電磁吸気弁の運転ノイズをさらに低減し信頼性の高い運転を可能にするための、さらなる最適化の方策および最適化の方法を見出す努力が継続されている。
【０００７】
従来技術において、電磁吸気弁が既に開いた後、すなわち電磁吸気弁が既に全開位置に達した後に制御電流を低減することによって、ソレノイドの熱的過負荷を回避するためにソレノイドに供給される制御電流が低減される技術が存在する。この様な制御方法では、電磁吸気弁を開くために制御電流を制御するステップでは制御電流はまだ低減されず、常時閉電磁吸気弁が磁力によって既に全閉のまま保持されている運転行程の間、例えば、高圧燃料供給ポンプの吐出弁を通して加圧燃料を出力する行程の間にのみ制御電流が低減される（例えば、特許文献２を参照）。
【先行技術文献】
【特許文献】
【０００８】
【特許文献１】ＥＰ１８９８０８５Ａ２公報
【特許文献２】ＤＥ１０２００４０１６５５４Ａ１公報
【発明の概要】
【発明が解決しようとする課題】
【０００９】
従来の高圧燃料供給系では、例えば内燃機関のアイドル運転中など、モータが低回転速度条件にあるとき、主要な運転ノイズは電磁吸気弁から発せられるノイズであり、このノイズは、特に弁を開閉するとき例えば電磁吸気弁の吸気弁部材が弁の全閉位置にある弁座と接触したときに発生する。したがって、運転ノイズを低減させることができる、電磁吸気弁を有する燃料供給系を提供することが望ましい。
【００１０】
本発明の目的は、加圧燃料を内燃機関に供給するように構成され、磁力によって開かれるかまたは開いたまま保持される、常時閉型の電磁吸気弁を備える高圧燃料供給ポンプの運転ノイズを低減することである。
【課題を解決するための手段】
【００１１】
［１］本発明の第１の態様によれば、加圧燃料を内燃機関に供給する高圧燃料供給ポンプを制御するための、高圧燃料供給ポンプの制御方法が提案される。高圧燃料供給ポンプは、電磁吸気弁を開き、かつ／または開いたまま保持されるため、特に制御電圧または制御電流を電磁吸気弁に印加したときに磁力によって開かれ、かつ／または開いたまま保持されるように構成され、一方、流体圧が電磁吸気弁に作用せず、かつ制御電圧または制御電流が電磁吸気弁に印加されないときは、付勢部材によって電磁吸気弁が閉じたままである常時閉型の電磁吸気弁を備える。
【００１２】
本発明によれば、高圧燃料供給ポンプの制御方法は、制御電圧または制御電流を電磁吸気弁に印加することによって電磁吸気弁を開くため電磁吸気弁の制御電流を制御することを含み、電磁吸気弁の制御電流の制御は、制御電流を電磁吸気弁に通電するための第１の制御電流値へ増加させること、特に、高圧燃料供給ポンプの圧縮室内においてＢＤＣとＴＤＣとの間で往復運動する圧縮プランジャが、圧縮プランジャの吸気行程の終了時にＢＤＣに達する前に、制御電流を電磁吸気弁に通電するための第１の制御電流値へ増加させることを含む。
【００１３】
本発明によれば、電磁吸気弁を開くため電磁吸気弁の制御電流を制御することは、高圧燃料供給ポンプの圧縮室内においてＢＤＣとＴＤＣとの間で往復運動する圧縮プランジャが、圧縮プランジャの吸気行程の終了時にＢＤＣに達する前に、制御電流を第１の制御電流値からより低い第２の制御電流値へ低減することを含む。
【００１４】
したがって、電磁吸気弁の運転ノイズを低減するため、常時閉型の電磁吸気弁を開くための制御電流は、最初は電磁吸気弁に通電するための第１の制御電流値へ増加し、その後、より低い第２の制御電流値へ再び低減されるように制御される。電磁吸気弁のソレノイド内の制御電流を減少させることによって電磁吸気弁に作用する磁力が低減するので、電磁吸気弁の閉方向で作用する常時閉型の電磁吸気弁の付勢部材の付勢力を用いて、開方向での電磁吸気弁の移動を減速させることができる。
【００１５】
開位置への電磁吸気弁の移動速度の減速によって、例えば全開位置にある制限部材、ストッパー、または弁座などの機械的係止部に全開位置で当たるときの電磁吸気弁の速度を低減することができるので、発生する衝撃ノイズをさらに低減することができる。換言すれば、例えば弁座などの機械的係止部に電磁吸気弁が滑らかに着地することができるように、電磁吸気弁の開方向での移動を減速する（または全開位置へ向かう加速を少なくとも低減する）ことができ、それによって衝撃ノイズを大幅に低減することが可能になる。
【００１６】
電磁吸気弁を開くため、最初に第１の制御電流値へ増加させ、その後、より低い第２の制御電流値へ減少させるように制御電流を制御することによって、運転ノイズを低減することは、高圧燃料供給ポンプの機械的設計の修正を必要とすることなく、単に印加電流制御を修正することによって運転ノイズを低減することができるという利点を有する。機械的設計に対する変更および修正は、通常、開発または実現するのにコストが非常に掛かり、かつ労力を有するので、ソレノイドの電流制御の修正によるノイズの低減は、機械的設計に修正を加えるよりも大幅なコスト削減となる。これは、自動車産業での部品の大量生産における多量の生産数を考えると特に有利である。
【００１７】
特に、今日の高圧燃料供給ポンプは、一般に、電子エンジン制御装置によって自動的に制御されるので、エンジン制御装置を再プログラムするかまたは構成させること例えばソフトウェアの修正によって、電流制御の最適化されたアルゴリズムを既存の高圧燃料供給ポンプの制御において実現することができる。
【００１８】
さらに、電磁吸気弁のソレノイドに印加される制御電流を精密に制御することによって、ソレノイドに供給されるエネルギー量を、開方向での移動中における電磁吸気弁の加速および／または減速を精密に制御することができる。つまり、制御電流の制御によって発生する磁気付勢力の量に直接影響を及ぼすことが可能になるので、例えば電磁吸気弁に作用する流体力の増加または減少に基づいて、磁気付勢力の増加および／または減少を制御することができる。
【００１９】
本発明の意味での「電流制御」は、例えばＰＷＭ制御または閾値電流制御などの電流制御の様々な方法よって実現することができる。本発明の基本概念は、最初に制御電流をソレノイドに通電するための第１の制御電流値へ増加させ、その後、特に電磁吸気弁が全開位置に達する前に、制御電流を電磁吸気弁の移動を減速するかまたは少なくともその加速を低減するためのより低い第２の制御電流値へ減少させることによって、電磁吸気弁を開くために制御電流が制御される限り、制御電流の制御の具体的な構成に限定されるものではない。
【００２０】
例えば、制御電流の制御は、ＰＷＭ制御電圧を電磁吸気弁のソレノイドに印加することによって行うことができ、その際、ソレノイドにおける制御電流の値および／または変化は、ＰＷＭ制御電圧信号のデューティサイクルによって制御することができる。
【００２１】
また、ＰＷＭ制御信号の周波数を変更することによって、ソレノイドに印加される制御電流を制御することが可能である。したがって、ＰＷＭ電圧制御信号のデューティサイクルとＰＷＭ制御の周波数の変更とを組み合わせることによって、制御電流を制御するためにＰＷＭ制御を使用することが可能である。
【００２２】
ＰＷＭ電圧制御を用いて制御電流を制御できることに加えて、例えば連続的に印加される制御電圧を用いて制御電圧または制御電流のいずれかを制御することによって、例えば増幅器を用いてアナログ的に制御電流を直接制御することもできる。例えば、電圧信号のパルス幅変調などの変調を必要とすることなく、電流が特定の閾値に調節される閾値電流制御を用いて電流制御を達成することができる。制御電流の値は、集積回路を用いて直接調節することもできる。
【００２３】
これらの従来技術とは対照的に、本発明によれば、第１の制御電流値からより低い第２の制御電流値への制御電流の減少は、電磁吸気弁を開くために制御電流を制御して高圧燃料供給ポンプの運転ノイズの低減を可能にするステップにおいて行われる。
【００２４】
一方、特許文献１に記載されているような制御方法は、電磁吸気弁が既に全開位置に達した後にしか制御電流が低減されず、弁が全開位置にある弁座または機械的機械的係止部と接触するときの、電磁吸気弁の開動作の終了時における衝撃が既に起こっているので、運転ノイズを低減するのには全く適していない。
［２］好ましくは、制御電流は、電磁吸気弁が全開する前に、高圧燃料供給ポンプの圧縮室内においてＢＤＣとＴＤＣとの間で往復運動する圧縮プランジャが吸気行程の終了時にＢＤＣに達する前に、第１の制御電流値から第２の制御電流値へ低減される。
［３］本発明によれば、第２の制御電流値は第１の制御電流値より低く、かつ第１の制御電流値より低い非ゼロ電流値であってもよい。
【００２５】
あるいは圧縮プランジャがＢＤＣに達する前に電磁吸気弁が全開することを確保するため、高圧燃料供給ポンプの圧縮室内においてＢＤＣとＴＤＣとの間で往復運動する圧縮プランジャが吸気行程の終了時にＢＤＣに達する前に、制御電流がゼロまたはほぼゼロまで低減されてもよい。
［４］本発明の一実施形態によれば、電磁吸気弁を開くための電磁吸気弁の電流制御は、さらに、圧縮プランジャがＢＤＣに達する前に制御電流を第２の制御電流値からより高い第３の制御電流値へ増加させることを含む。この態様によれば、標準的な大量生産品の高圧燃料供給ポンプおよび電磁吸気弁の運転ノイズを大幅に低減することが可能であるとともに、大量生産によるばらつきが生じている場合でも、特に圧縮行程が始まる前に確実に全開位置に達するように一連の大量生産品を制御できる。
【００２６】
つまり、本発明の基礎となる高圧燃料供給ポンプおよび電磁吸気弁は、一般に、多量の生産数で生産されている標準的な大量生産品からなる。そのような大量生産品に関して、各製品間で少なくとも小規模な生産のばらつきが生じる可能性がある。本発明によれば、例えば大量生産品の標準的な電磁吸気弁に基づいて、電磁吸気弁の制御電流の制御を最適化することが可能であり、制御電流を第２の制御電流値から第２の制御電流値よりも高い第３の制御電流値へ増加させることを含む、本発明の上述の態様では、大量生産品同士で小規模な大量生産によるばらつきが生じる可能性を考慮した場合であっても、運転制御の信頼性をより高めることができる。
【００２７】
例えば、最小制御電流値を、圧縮プランジャがＢＤＣに達する前に大量生産品の標準的な電磁吸気弁を開くのに十分であって、圧縮プランジャがＴＤＣに向かって上向きに再び移動し始めるよりも前に、大量生産品の標準的な電磁吸気弁が全開位置に達することができるように制御する。すなわち電磁吸気弁が、実際に全開位置になった後に圧縮室内の燃料を加圧する圧縮行程が始まり電磁吸気弁を全開位置で開いたまま保持されることができるように、第１の制御電流値よりも低い第２の制御電流値に最小制御電流値を制御することが可能である。
【００２８】
圧縮プランジャがＢＤＣからＴＤＣへの移動を開始するときに圧縮室内の燃料を加圧し始める時点で、電磁吸気弁が既に全開位置にない場合、圧縮プランジャがＴＤＣに向かって移動しているとき、燃料圧が電磁吸気弁に電磁吸気弁の磁力と逆向きの閉方向に作用するため、標準的な電磁吸気弁に対する最小制御電流値が、電磁吸気弁を全開させ開いたまま保持させるのに十分ではないことがある。
【００２９】
具体的には、圧縮プランジャの速度が増加するとともに圧縮室内の燃料圧が増加することがあり燃料が部分的に開いた電磁吸気弁から漏れ出す。例えば部分的に開いた電磁吸気弁のコアとアンカーとの間の間隙が原因で磁力が低減され、磁力が電磁吸気弁を開いたまま保持されるのに十分ではないことがある。
【００３０】
この場合、大量生産品に起こり得るばらつきを考慮した上で高圧燃料供給ポンプの運転の信頼性高い制御を可能にするため、大量生産によるばらつきが原因でより低い第２の制御電流値が電磁吸気弁を全開するのに十分ではない場合に、制御電流を第２からさらに第３の制御電流値へ増加させて磁力を増加させることによって、圧縮行程が始まる時点の前に電磁吸気弁の全開を確実にするように、制御電流が第２の制御電流値から第２の制御電流値よりも高い第３の制御電流値へ増加されることが好ましい。
【００３１】
したがって、第２の制御電流値を設定する基本となる標準的な大量生産品からなる電磁吸気弁を大幅に低減された運転ノイズで運転することができるとともに、大量生産によるばらつきがある場合であっても、大量生産品からなる電磁吸気弁を信頼性高く全開位置へ開くことができる。
［５］好ましくは、高圧燃料供給ポンプはさらに、圧縮室と、電磁吸気弁が全閉であり、圧縮プランジャがＴＤＣに向かって移動するとき、圧縮室内の燃料を加圧するため、圧縮室内においてＢＤＣとＴＤＣとの間で往復運動する圧縮プランジャとを備える。
【００３２】
好ましくは、圧縮プランジャがＢＤＣに達する前に電磁吸気弁が全開になることを確保するため、制御電流を第２の制御電流値から第３の制御電流値への増加が、圧縮プランジャがＢＤＣに達する前に行われる。したがって、圧縮プランジャがＢＤＣからＴＤＣに向かって移動する圧縮行程の開始前に、電磁吸気弁が全開位置にあることを確保することができる。
［６］本発明の一実施形態によれば、第３の制御電流値は、電磁吸気弁を全開のまま保持されるための目標制御電流値であり、特に第３の制御電流値は、圧縮プランジャがＢＤＣに達した後に電磁吸気弁を全開のまま保持されるための目標制御電流値である。したがって、第３の制御電流値は、高圧燃料供給ポンプの吐出弁を通して内燃機関のコモンレールへ加圧燃料が吐出される出力行程を開始するために閉じられるときまで、電磁吸気弁を全開位置で保持されるために維持される目標制御電流値である。
【００３３】
ポンプ設計によっては、制御電流を第３の制御電流値へ増加させるステップは、圧縮行程中（すなわち圧縮プランジャがＢＤＣに達しＴＤＣに向かって再び移動開始した後）に燃料圧が増加するのに対抗して電磁吸気弁を開いたまま保持されることを保証する。
【００３４】
あるいは、電磁吸気弁の制御電流の制御は、エネルギー消費を低減するために電磁吸気弁を全開したまま保持されるため、電磁吸気弁が全開した後に第３の制御電流値から目標制御電流値へ低減することを含み、電磁吸気弁の制御電流の制御は、圧縮プランジャがＢＤＣに達した後に電磁吸気弁を全開のまま保持されるため、圧縮プランジャがＢＤＣに達した後の第３の制御電流値を、電磁吸気弁が全開した後の目標制御電流値へ低減させることを含む。
【００３５】
エネルギー消費を低減するため、目標制御電流値は第３の制御電流値よりも低く、好ましくは、圧縮行程中（すなわち、圧縮プランジャがＢＤＣに達し、ＴＤＣに向かって再び移動開始した後）に電磁吸気弁が開いたままの状態を確保するのに十分である。
【００３６】
したがって、上述したように圧縮プランジャがＢＤＣに達する前に電磁吸気弁が全開位置に達することを確保するために増加させた制御電流値である第３の制御電流値は、次に、加圧燃料が吐出弁を介して圧縮室から吐出される出力行程を開始するために電磁吸気弁を閉じるべきときまで全開のまま保持されるように維持される、より低い目標制御電流値へ再び低減される。
【００３７】
これによって、漏出行程（spill phase）の間維持される目標制御電流値は第３の制御電流値よりも低いので、高圧燃料供給ポンプのエネルギー消費を低減することが可能になる。目標制御電流値は第２の制御電流値に等しくてもよい。また、圧縮プランジャがＢＤＣに達した後に、制御電流は再び第３の制御電流値から目標制御電流値へ低減されるので、ソレノイドの熱的過負荷を効率的に回避することができる。
【００３８】
ここで、漏出行程とは、圧縮行程において圧縮プランジャが既にＴＤＣに向かって移動している場合に、電磁吸気弁が全開位置で保持されており燃料が電磁吸気弁を通して圧縮室から電磁吸気弁を通って漏れ出しており、それによって燃料が加圧されず加圧燃料が電磁吸気弁の吐出弁を通して放出されないようにされる運転行程を指す。
［７］電磁吸気弁の制御電流の制御は、電磁吸気弁に供給されるＰＷＭ電圧信号のデューティサイクルを制御し、電磁吸気弁に供給されるＰＷＭ電圧信号のデューティサイクルおよび周波数を制御することによって、または、電磁吸気弁に供給されるＰＷＭ電圧信号の値を制御すること、例えば増幅器手段を用いて電磁吸気弁に供給されるＰＷＭ電圧信号の値を直接制御することによって行われてもよい。
【００３９】
上述したように、本発明の基本的な考え方は、電磁吸気弁のソレノイドに供給される制御電流を制御することに関し、電磁吸気弁がＰＷＭ制御によって制御されるときにＰＷＭ電圧信号のデューティサイクルを制御することによって、または、ＰＷＭ制御のＰＷＭ電圧信号の周波数およびデューティサイクルを制御することによって、制御電流を制御する様々なやり方で実現することができる。
【００４０】
ＰＷＭ制御を用いて電圧信号を制御できることに加えて、制御電流は、例えば増幅器および／または集積回路を用いて、制御電圧および／または制御電流を直接調節することによって直接制御することもできる。電圧閾値制御によって制御電流を直接制御することが可能であり、制御電流は例えば集積回路によって直接制御される。
【００４１】
増幅器または集積回路による制御電流の直接的な調節は、電流を精密に制御できるが、ＰＷＭ電圧信号のオンオフ切替えが原因で、ＰＷＭ制御が制御電流の漸進的変化におけるリップルにつながることがある。しかし、ＰＷＭ電圧信号によって制御される制御電流のリップルの影響は、ＰＷＭ電圧信号の周波数を増加させることにより効率的に低減することもできる。ＰＷＭ制御の別の利点は簡単に実現できることであり、ＰＷＭ制御信号を供給するために共通の電子エンジン制御装置が既に製造されており、例えばソフトウェアおよび／またはハードウェアの修正によって、本発明による制御を行うように簡単に構成させることができる。
［８］好ましくは、電磁吸気弁の制御電流の制御はさらに、制御電流を第１の制御電流値へ好ましくは迅速に増加させるため初期電圧パルスを印加すること、ならびに、制御電流を第１の制御電流値から第２の制御電流値へ低減するため、初期電圧パルスを印加した後に第１のＰＷＭ電圧信号を印加することを含む。
【００４２】
初期電圧パルスは、初期電圧パルスを具体化する短く印加される定電圧信号によって、または初期電圧パルスを具体化する初期ＰＷＭ電圧信号として具体化することができ、初期ＰＷＭ電圧信号のデューティサイクルは、好ましくは第１のＰＷＭ電圧信号のデューティサイクルよりも大きい。特に、初期ＰＷＭ電圧信号のデューティサイクルは、１００％または少なくともほぼ１００％であってもよい。
【００４３】
この実施形態によれば、ＰＷＭ制御は電磁吸気弁に供給された制御電流を制御するために使用される。最初は、制御電流を第１の制御電流値まで増加させるため、制御電流を増加させるための初期電圧パルスを印加することができる。ＰＷＭ制御を使用するとき、初期電圧パルスは、１００％または少なくともほぼ１００％のデューティサイクルを有するＰＷＭ電圧信号パルスによって実現されてもよい。この初期電圧パルスを印加した後、好ましくは１００％未満の（特に初期電圧パルスのデューティサイクルよりも小さい）デューティサイクルを有する第１のＰＷＭ電圧信号が印加され、特に、電磁吸気弁のソレノイドに印加される制御電流を第１の制御電流値からより低い第２の制御電流値へ低減することができるように構成される。
［９］好ましくは、電磁吸気弁の制御電流の制御はさらに、制御電流を第２の制御電流値から第２の制御電流値よりも高い第３の制御電流値へ増加させるため、第１のＰＷＭ電圧信号を印加した後に第２のＰＷＭ電圧信号を印加することを含み、特に、第１のＰＷＭ電圧信号は第２のＰＷＭ電圧信号よりも小さいデューティサイクルを有する。第２のＰＷＭ電圧信号は、１００％以下またはほぼ１００％以下のデューティサイクルを有してもよい。
【００４４】
この実施形態によれば、例えば、大量生産によるばらつきなどがある場合であっても、圧縮プランジャがＢＤＣに達する前に電磁吸気弁が全開位置に達するのを確保するため、第２の制御電流値から第３の制御電流値へ再び増加するように制御電流を制御するために、第１のＰＷＭ電圧信号よりも大きいデューティサイクルを有するさらなる第２のＰＷＭ電圧信号を、電圧電流を再び増加させるために印加することができる。
【００４５】
第２のＰＷＭ電圧信号は、制御電流が目標制御電流値に達するように、または、圧縮室内の燃料を加圧し高圧燃料供給ポンプの吐出弁を介して加圧燃料を吐出するために電磁吸気弁を閉じるべきときまで、圧縮プランジャがＴＤＣに向かう上向きの行程で上向きに移動する漏出行程の間、電磁吸気弁を全開位置で保持されるための最終目標制御電流よりも大きい電流に達するように設定することができる。
［１０］第１のＰＷＭ電圧信号は第２のＰＷＭ制御電圧信号に切り替えられてもよい。本発明の別の実施形態によれば、第１のＰＷＭ電圧信号は、段階的ＰＷＭ制御によって第２のＰＷＭ電圧信号に変更されてもよい。次に、第１のＰＷＭ電圧信号の後、かつ第２のＰＷＭ電圧信号の前に、少なくとも第３のＰＷＭ電圧信号が印加されてもよい。その結果、第３のＰＷＭ電圧信号のデューティサイクルは、第１のＰＷＭ制御電圧信号のデューティサイクルよりも大きく、かつ第２のＰＷＭ制御電圧信号のデューティサイクルよりも小さくてもよい。
【００４６】
本発明のさらに別の実施形態によれば、第１のＰＷＭ電圧信号のデューティサイクルは、漸増的ＰＷＭ制御によって、第２のＰＷＭ制御電圧信号へ連続的または反復的に増加されてもよい。
【００４７】
制御電流が第２の制御電流値から第３の制御電流値まで迅速に増加される場合、標準的な大量生産品の高圧燃料供給ポンプは、第２の制御電流値を印加する行程の間または少なくともその直後に既に全開位置に達しているが、大量生産によるばらつきが原因で電磁吸気弁が全開位置に達しておらず、制御電流が第２から第３の制御電流値へ増加されることによって全開するという状況が起こることがある。第２から第３の制御電流値へのこの増加が迅速に行われると、電磁吸気弁が高速で弁座または機械的係止部に当たり、それによって稀に望ましくない衝撃ノイズが発生する。
【００４８】
しかし、段階的または漸増的ＰＷＭ制御によって、第２から第３の制御電流値への制御電流の増加がより低速で滑らかに行われる上述の実施形態によれば、この様な状況であっても、電磁吸気弁は低速で全開位置に達するので、第２の制御電流値に対応する制御電流によって電磁吸気弁が全開しない稀な場合であっても、衝撃ノイズを大幅に低減することができる。
【００４９】
段階的ＰＷＭ制御を利用する一実施形態によれば、第１のＰＷＭ電圧信号を印加した後、制御電流を第３の制御電流値へよりゆっくりと増加させるためにＰＷＭ制御電圧のデューティサイクルを反復的に増加させるため、以前の各ＰＷＭ制御信号のデューティサイクルに比べてデューティサイクルがそれぞれ増加した複数のＰＷＭ制御信号を印加することができる。
【００５０】
代替実施形態によれば、制御電流を第３の制御電流値へ増加させるため、印加されるＰＷＭ電圧信号のデューティサイクルが連続的または反復的に増加する漸増的ＰＷＭ制御を利用することによって、ＰＷＭ制御を行うことができる。これは、例えば、オン状態にあるＰＷＭ制御の持続時間が連続的もしくは反復的に増加し、かつ／またはオフ状態にあるＰＷＭ制御の持続時間が連続的もしくは持続的に減少するという点で達成することができる。
【００５１】
さらに、第２の制御電流値から第３の制御電流値への制御電流のほぼ連続的な増加はまた、ＰＷＭ制御信号の周波数を連続的もしくは反復的に変更するか、または、ＰＷＭ電圧信号のデューティサイクルの連続的もしくは反復的な変更とＰＷＭ電圧信号の周波数の連続的もしくは反復的な変更との組み合わせによっても達成されてもよい。
【００５２】
例えば、増幅器および／または集積回路を用いた上述の閾値電流制御による直流制御の場合、制御電流は、例えば、圧縮プランジャがＢＤＣに達するタイミングまたはほぼそのタイミング（好ましくはその前もしくは直前）で、第３の制御電流値に達するように、より小さい傾斜で増加させることができる。
［１１］好ましくは、電磁吸気弁の制御電流の制御はさらに、初期電圧パルスの印加を開始するタイミングを設定すること、初期電圧パルスを印加する持続時間を設定すること、ならびに第１のＰＷＭ電圧信号を印加するタイミングおよび／または第１のＰＷＭ電圧信号を印加する持続時間を設定することの少なくとも１つを含んでもよい。初期電圧パルスおよび第１のＰＷＭ電圧信号のタイミングと持続時間の設定は、電磁吸気弁の開方向に作用する流体力と、電磁吸気弁の閉方向で作用する付勢力とに応じて、電磁吸気弁の磁力を制御するために行われてもよい。
【００５３】
制御電流を制御するためにＰＷＭ制御を利用するとき、制御は簡単に行うことができ、制御を最適化するため、複数の制御パラメータを設定し、かつ／または電磁吸気弁が全閉位置に達するときの衝撃ノイズを制限するように最適化することができる。制御パラメータは、好ましくは、磁力（すなわち、電磁吸気弁のソレノイドへの通電によって発生する磁力）と、常時閉電磁吸気弁では一般的であるような弁を閉じる方向で電磁吸気弁を付勢する付勢力（すなわち、圧縮プランジャがＢＤＣに向かう下向きの行程にあるときの電磁吸気弁の上流および下流の圧力差によって発生する流体力であって、それによって圧縮室の容積を増加させるとともにその中の圧力を減少させ、電磁吸気弁の開方向で作用する電磁吸気弁に対する流体力が発生する）とが平衡し、電磁吸気弁が全開位置に達するときの衝撃ノイズを低減するために最適化されるように設定される。
【００５４】
例えば、流体力の振幅は、一般に、圧縮室内の圧縮プランジャの移動速度に依存し、圧縮プランジャは最初に、下死点に近付くときに再び減速するまで、ＴＤＣから移動する間に加速し、すなわち、圧縮プランジャの移動速度は、圧縮プランジャを駆動する回転カムのプロファイルに依存する周期関数例えば正弦波にほぼ対応し、最大速度はＴＤＣとＢＤＣとの間のほぼ中間に達してもよい（正弦波の場合、最大速度はＴＤＣとＢＤＣとの間の中間に生じる）。
【００５５】
他方で、電磁吸気弁のソレノイドへの通電によって発生する磁力は、一般に、印加される制御電流、ならびに例えば電磁吸気弁のアンカーおよびコアなど、磁力によって引き付けられる部品間の距離に依存する。他方で、付勢力は電磁吸気弁の位置に依存し、一般に、全閉位置から全開位置へ線形的に増加してもよい。
【００５６】
電磁吸気弁の移動は、上述の力の合計、すなわち付勢力、流体力、および磁力の合計によって得られる。流体力ならびに磁力は電磁吸気弁の開方向で作用してもよく、例えばバネ力などの付勢力は電磁吸気弁の閉方向で作用してもよい。
【００５７】
好ましくは、圧縮プランジャがＴＤＣからＢＤＣへ移動するとき、磁力の時間的変化は流体力の時間的変化と平衡され、その際、本発明による方法は、好ましくは、例えば制御電流の増加を開始するタイミングを設定すること、第１の制御電流値に達するタイミングを設定すること、および／または第１の制御電流値の値を設定することなど、制御パラメータを設定することを含む。
【００５８】
例えば、ＰＷＭ制御を利用するとき、電磁吸気弁を全開位置に向かって変位させながら、好ましくは流体力および磁力を線形的に増加する付勢力と付加的に平衡させることを含む、流体力および磁力の時間的変化を平衡させるため、初期電圧パルスの印加を開始する時点、初期電圧パルスの印加の持続時間、ならびに第１のＰＷＭ電圧信号を印加するタイミングおよび／またはその持続時間の少なくとも１つを設定することができる。
【００５９】
上述のタイミングおよび／または持続時間を設定することによって、高圧燃料供給ポンプの運転ノイズを低減するように、全開位置に達するときの平均衝撃速度を最小限に抑える（すなわち、全開位置における電磁吸気弁の軟着陸を確保する）ための最適化が可能になる。さらに、例えば、カムのプロファイル、ならびに高圧燃料供給ポンプに供給される低圧燃料のフィード圧など、ポンプ設計のパラメータは、流体力およびその挙動に影響する可能性があるので、それらのパラメータが最適化のために考慮されてもよい。
【００６０】
好ましくは、上述のタイミングおよび持続時間の設定は、流体力、磁力、および付勢力の合計である合力が、電磁吸気弁を全開位置で保持されるのに適した閾値力の値（例えば、大量生産品の一般的な標準的電磁吸気弁が全開位置に達した後に、その弁を開いたまま保持されるのに十分な力）よりも高い、弁を開く方向で作用する合力であるようにして行われる。
【００６１】
下向きの行程中における圧縮室の移動速度が最大である時点で、すなわちＴＤＣとＢＤＣとの間のほぼ中間で流体力が最大値を有し、その後、流体力が全体的に再び減少することを考慮するのが必要なことがある。その結果、例えば大量生産によるばらつきが原因で、ＢＤＣに向かう圧縮プランジャの移動速度の減少によって電磁吸気弁の開方向に作用する流体力が再び減少する時点で、電磁吸気弁が全開位置に達していない場合、電磁吸気弁を全開位置まで依然として移動させるためにより大きな磁力が必要となる。
【００６２】
一実施形態によれば、この様な状況であっても、初期電圧パルスを印加するタイミングがより初期の値に、例えば流体力が最大値に達する前のタイミングに設定されている場合、大幅に低減された衝撃速度と低減された衝撃ノイズとを達成することができる。
【００６３】
したがって、圧縮プランジャの下向きの行程中における初期の時点では、電磁吸気弁の開方向に作用する流体力が、圧縮プランジャがＴＤＣとＢＤＣとの間のほぼ中間にある行程の最中のこのタイミングにおいて大きいので、電磁吸気弁を全開位置まで移動させるのにより小さな磁力で十分なことがある。
［１２］好ましくは、電磁吸気弁の制御電流の制御はさらに、第２のＰＷＭ電圧信号を印加するタイミングおよび／または第２のＰＷＭ電圧信号を印加する持続時間を設定することを含んでもよい。初期電圧パルス、第１のＰＷＭ電圧信号、および第２のＰＷＭ電圧信号のタイミングと持続時間の設定は、流体力および付勢力に応じて磁力を制御するために行われてもよい。
【００６４】
制御電流を第２の制御電流値から第３の制御電流値へ再び増加させるために第２のＰＷＭ電圧信号を印加するタイミングおよび／または持続時間を設定することによって、高圧燃料供給ポンプおよび／または電磁吸気弁の大量生産によるばらつきがある場合であっても、電磁吸気弁が全開位置に常に達することを確保することができる。
［１３］好ましくは、初期電圧パルスを印加するタイミングは、電磁吸気弁の開方向に作用する最大流体力が生じる前に設定されてもよい。換言すれば、初期電圧パルスを印加するタイミングは、ＢＤＣに向かう方向で高圧燃料供給ポンプの圧縮室内で往復運動する圧縮プランジャの移動の最大速度が生じる前に設定されてもよい。
【００６５】
上述のパラメータのタイミングおよび持続時間の設定は、好ましくは、全開位置に達するタイミングが、流体力が最大値のときに、例えばＢＤＣに向かう圧縮プランジャの移動速度がほぼ最大であるタイミングで生じるように設定される。初期電圧パルスを印加するタイミングは、流体力が最大値に達する前の、換言すれば、ＢＤＣに向かう圧縮プランジャの移動速度が最大になる前のタイミングに設定される。
【００６６】
さらに、初期電圧パルスを印加する持続時間（および／または後述するような第１のＰＷＭ電圧信号を印加する時点）は、流体力が最大値の時点で、または換言すればＢＤＣに向かう圧縮プランジャの移動が行程の最中に最大値に達するタイミングで、電磁吸気弁が全開位置にほぼ近付くように設定される。その後、制御電流は第１のＰＷＭ制御信号を印加することによって低減され（制御電流はゼロもしくはほぼゼロまでも低減することができる）、それによって、ソレノイドによって発生する磁力は制御電流の減少によって低減されるので、電磁吸気弁に作用する合力は、全開位置に向かう速度が減速されるか、またはその加速が大幅に減少されるように変動される。
［１４］好ましくは、初期電圧パルスおよび第１のＰＷＭ電圧信号または第１および第２のＰＷＭ電圧信号のタイミングと持続時間の設定は、ＰＷＭ制御が低電流条件にある、例えば電磁吸気弁に印加されるＰＷＭ信号のオフ状態のタイミングで電磁吸気弁がその全開状態に達するように設定される。これは、例えば単一スイッチのＰＷＭ制御で最も一般的に使用されるような、低周波のＰＷＭ制御にとって（例えば、約１００〜１０００Ｈｚ、好ましくは２００〜６００Ｈｚ、好ましくはほぼ４００Ｈｚの範囲のＰＷＭ制御周波数において）特に有利である。
【００６７】
制御信号がＰＷＭ制御によって制御される場合、少なくとも低周波のＰＷＭ制御が使用される場合、ＰＷＭ電圧信号のオンオフの切替えによって制御電流の漸進的変化にリップルが生じることがあり、その際、好ましくは、初期電圧パルスおよび第１のＰＷＭ電圧信号または第１および第２のＰＷＭ電圧信号のタイミングと持続時間の設定は、制御電流のリップルが低電流条件である、すなわち制御電流がＰＷＭ制御による平均制御電流値よりもわずかに低い条件である電流平均値よりも低いタイミングで、換言すれば、ソレノイドに印加されるＰＷＭ信号がほぼオフ状態のとき、電磁吸気弁が全開位置に達するように設定される。
［１５］好ましくは、電磁吸気弁に通電するために制御電流を第１の制御電流値へ増加させるのを開始するタイミングは、電磁吸気弁の開方向に作用する最大流体力が生じる前のタイミングに設定される。これは、例えばＰＷＭ制御、または電流閾値制御など上述した直接調節する電流制御等の別のタイプの電流制御のための、上述したような初期電圧パルスのタイミングと持続時間を設定することによって達成することができる。
【００６８】
これは、例えば単一スイッチのＰＷＭ制御で最も一般的に使用されるような、低周波のＰＷＭ制御にとって（例えば、約１００〜１０００Ｈｚ、好ましくは２００〜６００Ｈｚ、さらに好ましくはほぼ４００Ｈｚの範囲のＰＷＭ制御周波数において）特に有利である。
［１６］一実施形態によれば、電磁吸気弁は、単位体として形成された吸気弁部材および吸気弁プランジャ、すなわち、互いに固定されるか一体的に形成された吸気弁部材および吸気弁プランジャを有する、統合型の電磁吸気弁である。代替実施形態によれば、電磁吸気弁はまた、別個の部材として形成された吸気弁部材および吸気弁プランジャを有する、分離型の電磁吸気弁であることができる。その結果、電磁吸気弁の磁力は好ましくは吸気弁プランジャに作用する。
【００６９】
分離型の電磁吸気弁の場合、電磁吸気弁に通電するために制御電流の第１の制御電流値への増加を開始するタイミングは、吸気弁部材の開方向に作用する流体力によって吸気弁部材が移動を開始した後のタイミングに設定され、特にそれによって、吸気弁プランジャは、吸気弁部材が吸気弁部材の開方向で移動すると、吸気弁部材と接触するようになる。
【００７０】
統合型の電磁吸気弁では、磁力は、好ましくは吸気弁プランジャに作用するが、電磁吸気弁の開方向で吸気弁部材にも作用してもよく、一方、統合型のソレノイド電磁吸気弁を閉じるための付勢力は、電磁吸気弁の閉方向で吸気弁プランジャおよび／または吸気弁部材に作用してもよく、流体力は主に吸気弁部材に作用してもよい。磁力、流体力、および付勢力によって得られる合力は、一体的に形成された吸気弁部材ならびに吸気弁プランジャを備える単一体に、または互いに固定された吸気弁プランジャおよび吸気弁部材を備える単一体に作用してもよい。したがって、合力は、吸気弁部材ならびに吸気弁プランジャがともに移動するように作用してもよい。
【００７１】
代替実施形態によれば、本発明はまた、互いに独立して変位させることができる別個の部材としての吸気弁プランジャおよび吸気弁部材を有する、分離型の電磁吸気弁を制御するのに適用することができる。この様な分離型の電磁吸気弁では、流体力は、一般に吸気弁部材に作用し、磁力は一般に電磁吸気弁を開く方向で吸気弁プランジャに作用する。少なくとも、吸気弁部材を閉方向に付勢する付勢部材が提供されても良く、別の付勢部材が吸気弁プランジャに作用してもよい。吸気弁プランジャに作用する付勢部材は、電磁吸気弁の閉方向または開方向のいずれかで作用する付勢力を発生させるように構成することが可能である。
【００７２】
分離型の電磁吸気弁は、本発明による常時閉電磁吸気弁として実現されるので、付勢部材が吸気弁部材に作用する場合、弁を開く方向で作用する付勢力を発生させてもよい。吸気弁プランジャに作用する付勢部材が開方向で作用する場合、吸気弁部材に作用する付勢部材は、大きな（特に、吸気弁プランジャに作用する付勢力よりも大きな）付勢力を発生させ、それによって、吸気弁部材および吸気弁プランジャが互いに接触し、流体力または磁力がない状況において付勢力全体が閉方向に作用して、吸気弁プランジャに作用する付勢力に対抗して吸気弁部材が全閉位置で保持されるように構成されてもよい。
【００７３】
分離型の電磁吸気弁の場合、流体力は、一般に、上述したように吸気弁部材のみに作用し、その結果、吸気弁部材が電磁吸気弁の開方向に移動する。特に、付勢力が弁を閉じる方向で吸気弁プランジャに作用する、分離型の電磁吸気弁構成の場合、制御電流の増加を開始するタイミングは、例えば初期電圧パルスのタイミングを設定することによって、流体力によって吸気弁部材が弁を開く方向での移動を既に開始した後のタイミングに設定されてもよい。それによって、増加する磁力によって弁を開く方向で移動されている吸気弁プランジャは、吸気弁部材が既に流体力によって開方向で移動しているとき、吸気弁部材と接触するようになる。
【００７４】
したがって、そのような分離型の電磁吸気弁において、吸気弁プランジャが吸気弁部材と接触するときに一般的に発生する第１の衝撃ノイズを、大幅に低減することができる。吸気弁部材が吸気弁プランジャとともに全開位置に達するときに発生する第２の衝撃ノイズは、本発明の上述の態様の少なくとも一つによって、電磁吸気弁のソレノイドに印加される制御電流を制御することによって、大幅に低減することができる。
［１７］本発明の第２の態様によれば、加圧燃料を内燃機関に供給する、高圧燃料供給ポンプを制御する制御装置が提案される。本発明の第２の態様による制御装置は、本発明の第１の態様による上述の実施形態の少なくとも１つによって、電磁吸気弁を開くための電磁吸気弁の制御電流を制御するように構成される。
【００７５】
具体的には、本発明の制御装置は、加圧燃料を内燃機関に供給する高圧燃料供給ポンプを制御するように構成される。高圧燃料供給ポンプは、特に、電磁吸気弁を開くかまたは開いたまま保持されるために制御電圧を電磁吸気弁に印加したとき、磁力によって開かれるかまたは開いたまま保持され、一方、流体圧が電磁吸気弁に作用せず、制御電圧が電磁吸気弁に印加されないとき、電磁吸気弁は付勢部材によって閉じたままでいる、常時閉型の電磁吸気弁を備える。
【００７６】
本発明によれば、本発明の制御装置は、制御電圧を電磁吸気弁に印加することによって電磁吸気弁を開くため、電磁吸気弁の制御電流を制御するように構成される。本発明の第２の態様による制御装置は、制御電流が電磁吸気弁に通電するための第１の制御電流値へ増加されるように、電磁吸気弁の制御電流を制御するように構成される。
【００７７】
特に、制御電流は、高圧燃料供給ポンプの圧縮室内においてＢＤＣとＴＤＣとの間で往復運動する圧縮プランジャが、圧縮プランジャの吸気行程の終了時に下死点（ＢＤＣ）に達する前に、電磁吸気弁に通電するための第１の制御電流値へ増加される。
【００７８】
本発明の制御装置は、制御電流が第１の制御電流値から第１の制御電流値よりも低い第２の制御電流値へ低減されるように、特に、高圧燃料供給ポンプの圧縮室内においてＢＤＣとＴＤＣとの間で往復運動する圧縮プランジャが、圧縮プランジャの吸気行程の終了時にＢＤＣに達する前に制御電流が第１の制御電流値から第２の制御電流値へ低減されるように電磁吸気弁を開くため、電磁吸気弁の制御電流を制御するように構成される。
【００７９】
さらに、本発明の制御装置は、さらに、本発明の第１の態様の上述した実施形態の少なくとも一つによって、電磁吸気弁の制御電流を制御するように構成されてもよい。
［１８］本発明の第３の態様によれば、制御装置が、本発明の第１の態様と関連して記載した実施形態の少なくとも一つによって、電磁吸気弁を開くために電磁吸気弁の制御電流を制御するように構成されるように、制御装置を、特にエンジン制御装置を構成させるコンピュータプログラムコードを備える、コンピュータプログラム製品が提案される。つまり、コンピュータプログラム製品は、制御装置が本発明の第２の態様と関連して上述したような制御装置を具体化するように、制御装置、特にエンジン制御装置を構成させるコンピュータプログラムコードを備える。
【００８０】
本発明による方法の上述した特徴および態様、並びにその好ましい特徴および態様は、上述した制御装置ならびにコンピュータプログラム製品にも当てはまり、方法の態様に記載したような利点もやはり当てはまり、それらは本明細書を簡潔にする目的で省略される。上述の好ましい特徴および態様は、任意のやり方で修正し、または組み合わせることができる。
【発明の効果】
【００８１】
本発明は、磁力によって開かれるかまたは開いたまま保持される常時閉型の電磁吸気弁を有し、電磁吸気弁を開くために電磁吸気弁の制御電流を制御するステップを含み、電磁吸気弁の制御電流を制御するステップが、制御電流を電磁吸気弁に通電するための第１の制御電流値へ増加させるステップを含む、加圧燃料を内燃機関に供給する高圧燃料供給ポンプの制御方法において、電磁吸気弁を開くために電磁吸気弁の制御電流を制御するステップが、さらに制御電流を第１の制御電流値から第１の制御電流値よりも低い第２の制御電流値へ低減するステップを含むことにより、
開位置への電磁吸気弁の移動速度の減速によって機械的係止部に全開位置で当たるときの電磁吸気弁の速度を低減することができるので、発生する衝撃ノイズを大幅に低減することができる。
【図面の簡単な説明】
【００８２】
【図１】常時閉電磁吸気弁を備える内燃機関に高圧燃料を供給するための高圧燃料供給ポンプを備える燃料供給系の一例を示す模式図。
【図２Ａ】全閉位置にある常時閉電磁吸気弁の一例を示す模式図。
【図２Ｂ】全開位置にある図２Ａの常時閉電磁吸気弁を示す模式図。
【図３】従来例の、常時閉電磁吸気弁の一例を示す説明図。
【図４】従来例の、常時閉電磁吸気弁を備える高圧燃料供給ポンプの制御方法による、電圧制御信号ＶＣの漸進的変化および制御電流ＩＣの漸進的変化を示すタイムチャート。
【図５Ａ】ソレノイドに適用されるＰＷＭ制御のための２つのスイッチを有する系を示す回路図。
【図５Ｂ】図５Ａのソレノイドに供給されるＰＷＭ制御信号、およびそれから得られる制御電流を示すタイムチャート。
【図６Ａ】ソレノイドに適用されるＰＷＭ制御のための１つのスイッチを有する系を示す回路図。
【図６Ｂ】図６Ａのソレノイドに供給されるＰＷＭ制御信号と制御電流を示すタイムチャート。
【図７】本発明の第１の実施形態による方法による、電圧制御信号ＶＣの漸進的変化および制御電流ＩＣの漸進的変化を示すタイムチャート。
【図８】本発明の第１の実施形態による制御電流ＩＣおよび弁移動の漸進的変化を示す概略図。
【図９】本発明の第２の実施形態による、電圧制御信号ＶＣの漸進的変化および制御電流ＩＣの漸進的変化を示すタイムチャート。
【図１０】本発明の第２の実施形態による制御電流および弁移動の漸進的変化を示す概略図。
【図１１】本発明の第３の実施形態による、電圧制御信号ＶＣの漸進的変化および制御電流ＩＣの漸進的変化を示すタイムチャート。
【図１２】本発明の第４の実施形態による、電圧制御信号ＶＣの漸進的変化および制御電流ＩＣの漸進的変化を示すタイムチャート。
【図１３】本発明の第４の実施形態による制御電流ＩＣおよび弁移動の漸進的変化を示す概略図。
【図１４】従来の制御方法と本発明の一実施形態を比較するタイムチャート。
【図１５】分離型の電磁吸気弁の一例を示す模式図。
【図１６】従来例の、分離型の電磁吸気弁に関する、常時閉電磁吸気弁の一例を示す概略図。
【図１７】本発明の第５の実施形態による制御電流ＩＣおよび弁移動の漸進的変化を示す概略図。
【図１８】本発明の第６の実施形態による方法による、電圧制御信号ＶＣの漸進的変化および制御電流ＩＣの漸進的変化を示すタイムチャート。
【図１９】ＰＷＭ電圧制御信号の代替例の漸進的変化を示すタイムチャート。
【発明を実施するための形態】
【００８３】
本発明の好ましい実施形態を図面を参照して以下に記載する。実施形態の特徴および態様は、本発明のさらなる実施形態を形成するために修正されるか、または組み合わされてもよい。好ましい実施形態の記載において、制御電流およびこの様な制御電流を発生させるＰＷＭ電圧信号が例示的に示される。しかし、電流制御のためのあらゆる方法を使用することによって、ＰＷＭ制御または直流制御を使用できる。
【００８４】
実際の電流プロファイルは、電磁吸気弁が機械的係止部と衝突したときの電流リップル（特にＰＷＭ制御に伴う）または電流の低下などの特性を呈することがあるが、この様な特性は図面では省略されており、平均電流のみが示される。
〔第１の実施形態〕
図１は、常時閉電磁吸気弁を備えた高圧燃料供給ポンプを備える燃料供給系の一例を示す。高圧燃料供給ポンプ１００は、加圧燃料を内燃機関の燃焼室内へ直接噴射するため、高圧燃料を内燃機関に供給するように構成される。
【００８５】
燃料供給系は、吸気管３００を介して高圧燃料供給ポンプ１００に燃料タンクから低圧燃料を供給するため、燃料タンク６００および低圧燃料ポンプ２００を備える。高圧燃料供給ポンプ１００内の燃料を加圧した後、加圧燃料は、吐出管４００を介してコモンレール８００に供給され、次に４つの噴射器８１０ａ、８１０ｂ、８１０ｃ、および８１０ｄを用いて内燃機関の圧縮室内へ直接噴射される。
【００８６】
本発明は４つの噴射器を有する燃料供給系に限定されず、一般に、少なくとも一つの噴射器をそれぞれ有する少なくとも一つのコモンレールを備えた燃料供給系に適用することができる。
【００８７】
高圧燃料供給ポンプは、常時閉型の電磁吸気弁１１０と、圧縮室１２０と、圧縮室１２０内においてＴＤＣとＢＤＣとの間で往復運動する圧縮プランジャ１３０とを備える。
【００８８】
高圧燃料供給ポンプはさらに、吐出弁座１４０ａと、吐出弁部材１４０ｂと、吐出弁１４０の閉方向で吐出弁部材１４０ｂに作用する付勢力を発生させる吐出弁バネ１４０ｃとを備える吐出弁１４０を備え、吐出弁１４０が全閉状態のとき、吐出弁部材１４０ｂは吐出弁座１４０ａと接触している。
【００８９】
圧縮プランジャ１３０の往復運動はカム５００の回転によって駆動される。圧縮プランジャがＴＤＣからＢＤＣに向かって移動すると、圧縮室１２０の容積が増加し、圧縮プランジャ１３０はＢＤＣに達した後、ＴＤＣに向かって再び移動し始め、それによって圧縮室１２０の容積が再び減少し、圧縮プランジャ１３０がＴＤＣに達した時に最小となる。
【００９０】
低圧燃料は、常時閉電磁吸気弁１１０を介して低圧燃料管３００から圧縮室１２０に入れられ、吐出弁１４０によって高圧燃料管４００を介して高圧で吐出される。吐出される加圧燃料の量およびタイミングは、エンジン制御装置７００によって制御される電磁吸気弁１１０のソレノイドに印加される制御電流を制御することによって制御される。
【００９１】
図２Ａおよび２Ｂは、常時閉型の電磁吸気弁１１０の一例の異なる状態を示す。
【００９２】
図２Ａでは、電磁吸気弁１１０は、全閉状態すなわち制御電圧または制御電流がソレノイド１１２に印加されず電磁吸気弁１１０が遮断状態にあるので電磁吸気弁に作用する磁力がなく、弁の上流と下流との間で圧力差がないので流体力が弁に作用しないときの状態で示される。その結果、電磁吸気弁１１０は、例えばバネ１１３などの付勢部材によって発生する、電磁吸気弁の閉方向に作用する付勢力によって閉じたまま保持される。
【００９３】
図２Ｂでは、電磁吸気弁１１０は、例えば弁を全開位置で保持されるため、制御電圧または制御電流がソレノイド１１２に印加されたときの開状態で示される。
【００９４】
図２Ａおよび図２Ｂの電磁吸気弁１１０は、吸気弁プランジャ１１１ａおよび吸気弁部材１１１ｅを備える。図２Ａおよび２Ｂでは、吸気弁プランジャ１１１ａおよび吸気弁部材１１１ｅは単一体として例示的に形成されているが、別体として形成することもできる（例えば、図１５を参照）。
【００９５】
アンカー１１１ｂは、吸気弁プランジャ１１１ａの他端に、吸気弁プランジャ１１１ａの吸気弁部材１１１ｅとは反対側の端部に設けられる。電流がソレノイド１１２に印加されると、ソレノイド弁のアンカー１１１ｂとコア１１４とは磁力によって互いに引き付けられるので、アンカー１１１ｂおよびコア１１４が接触して変位が制限されるまで吸気弁プランジャ１１１ａが弁を開く方向に変位する。アンカー１１１ｂおよびコア１１４が接触し、それによって吸気弁プランジャ１１１ａの変位が制限される電磁吸気弁の位置は、電磁吸気弁がそれ以上開くことができないので、全開位置と呼ばれる。
【００９６】
電流がソレノイド１１２に印加されている限り、アンカー１１１ｂおよびコア１１４は接触状態に互いに引き付けられ、それによって弁を開いたまま保持されることができ、吸気弁部材１１１ｅは吸気弁座１１１ｄから離れて保持される。したがって、矢印によって示されるように、低圧燃料を吸気通路１１７を介して低圧系から取り出し、吸気ポート１１８を介して高圧燃料供給ポンプの圧縮室１２０へ給送することができる。
【００９７】
電流をソレノイド１１２に印加することによって弁が開いたまま保持されている限り、圧縮室１２０内の圧縮プランジャ１３０が圧縮室１２０の容積を減少させる上向きの行程にあるとき、非加圧燃料が、吸気通路１１７を介して吸気ポート１１８から低圧燃料系へ逆向きに漏出する場合もある。
【００９８】
電流がソレノイド１１２に印加されていないとき、バネ１１３は、図２Ａに示されるように弁を閉じるために吸気弁部材１１１ｅが吸気弁座１１１ｄと接触するまで、吸気弁プランジャ１１１ａを付勢する。したがって、圧縮室１２０内における圧縮プランジャ１３０の上向きの行程では、燃料は吸気ポート１１８を通って漏出することはできず、燃料が圧縮室１２０内で加圧され吐出弁１４０を通して高圧で吐出される。
【００９９】
他方で、電流がソレノイド１１２に印加されておらず、かつ圧縮プランジャ１３０が圧縮室１２０の容積を増加させるように吸気行程（下向きの行程）にあるとき、圧縮室１２０内の燃料圧は、低圧燃料系に接続された吸気通路１１７内の燃料の圧力と比べて減少するので、ソレノイド１１２に電流が印加されなくても、バネ１１３の付勢力に対抗して弁を開く方向で吸気弁部材１１１ｅの変位を生じさせる流体力が発生する。流体力は、アンカー１１１ｂがコア１１４と接触するまで、吸気弁プランジャ１１１ａおよび／または吸気弁部材１１１ｅの十分な変位、あるいは、アンカー１１１ｂがコア１１４と接触するまでの十分な変位には至らない変位を生じさせることができる。
【０１００】
その後、電流がソレノイド１１２に印加されると磁力によって弁が開かれ、かつ／または開いたまま保持される。特に、電流がソレノイド１１２に印加される前に、吸気弁プランジャ１１１ａは吸気弁部材１１１ｅとともに変位される、図２Ａおよび２Ｂに示されるような構造では、電磁吸気弁１１０の運転中にノイズレベルおよび振動を効率的に低減させることができる。ここで、吸気弁プランジャ１１１ａおよび吸気弁部材１１１ｅは一体として形成される。
【０１０１】
吸気弁プランジャ１１１ａおよび吸気弁部材１１１ｅは、互いに固定された別個の本体として形成することもできる。または吸気弁部材１１１ｅが流体力によって弁を開く方向に変位されたとき、吸気弁プランジャ１１１ａおよび吸気弁部材１１１ｅが付勢メカニズムによって弁を閉じる方向に付勢され、吸気弁プランジャ１１１ａが弁を開く方向に変位されるように吸気弁部材１１１ｅの方向にさらに付勢される、別体として形成することもできる。
〔従来の高圧燃料供給ポンプの制御方法〕
図３は、常時閉電磁吸気弁１１０を備える高圧燃料供給ポンプ１００の従来の制御を示す。図３の最上列には、圧縮プランジャ１３０の移動の時間的変化（プランジャリフト）が示される。圧縮プランジャ１３０は、正弦波（または他の周期関数）に類似した動作を行い、ＴＤＣとＢＤＣとの間で往復運動する。したがって、図３の上から２列目に示されるように、圧縮プランジャ１３０の速度は、圧縮プランジャ１３０がＴＤＣまたはＢＤＣにある時点では、圧縮プランジャ１３０がゼロの速度を有する。
【０１０２】
圧縮プランジャ１３０の動作の速度の最大値は圧縮プランジャ１３０の行程の中間で得られ、圧縮プランジャ１３０はこの実施形態では正弦波によって移動するので、ＴＤＣとＢＤＣとの間、またはＢＤＣとＴＤＣとの間の中間で速度の最大値に達する。ＴＤＣとＢＤＣとの間での圧縮プランジャ１３０の移動は下向き行程または吸気行程と呼ばれ、ＢＤＣとＴＤＣとの間での圧縮プランジャ１３０の移動は上向き行程、出力行程、または吐出行程と呼ばれる。
【０１０３】
図３の下から２列目に示されるように、吐出行程の開始時に電磁吸気弁１１０を開き、開いたまま保持されるため、下向きの行程で圧縮プランジャ１３０がＢＤＣに達する前に（図３では「ＯＮ」と呼ばれる）電圧制御信号ＶＣが印加され、それによって、圧縮室１２０の容積が減少されることにより（圧縮室１２０内の燃料をほぼ加圧することなく）、燃料は電磁吸気弁１１０を介して圧縮室１２０から漏出する。
【０１０４】
図３の最下列には、電磁吸気弁１１０（特に吸気弁部材１１１ｅ）の弁移動の時間的変化が示される。圧縮プランジャ１３０がＴＤＣに達し、ＢＤＣに向かって再び移動し始めた直後、圧縮室１２０の容積は低減され、それによって電磁吸気弁１１０の吸気弁部材１１１ｅの上流と下流との圧力差が生じる。圧力差によって発生した流体力がバネ１１３の付勢力を上回るとすぐに、吸気弁部材１１１ｅを電磁吸気弁１１０の開方向に変位させることによって、流体力が電磁吸気弁１１０を開くように作用する。
【０１０５】
流体力の振幅は圧縮プランジャ１３０の移動速度に依存し、圧縮プランジャ１３０の移動速度の最大値に達するまで増加するが、その後流体力は再び減少するので、電磁吸気弁１１０のソレノイド１１２に供給される制御電圧信号をオンにして通電するまで、流体力が減少するとともにバネ１１３の付勢力によって吸気弁部材１１１ｅが弁を閉じる方向に再び変位する。
【０１０６】
電圧制御信号ＶＣをオンにすると、ソレノイド１１２の制御電流は電磁吸気弁１１０に作用する磁力を発生させる。発生した磁力によって、吸気弁部材１１１ｅが吸気弁座１１１ｄと接触するようになる全開位置まで吸気弁部材１１１が変位され、それによって、例えばアイドル条件など内燃機関の低回転速度条件において、常時閉電磁吸気弁１１０を有する高圧燃料供給ポンプの運転における主要なノイズである衝撃ノイズが発生する。
【０１０７】
電磁吸気弁１１０は、アンカー１１１ｂおよびコア１１４を引き付ける磁力によって全開位置で保持され、ソレノイド１１２に供給される制御電圧ＶＣがオフに切り替えられるまで、燃焼室１２０内の燃料が全開状態の電磁吸気弁１１０を介して圧縮室１２０から漏出する。その後、バネ１１３によって発生する電磁吸気弁１１０の閉方向の付勢力と、流体力とによって電磁吸気弁が閉じる。
【０１０８】
電磁吸気弁１１０が全閉位置に達する時点で、加圧燃料を吐出弁１４０を介して圧縮室１２０から内燃機関へ吐出するための出力行程が始まる。具体的には、圧縮プランジャ１３０が依然としてＴＤＣに向かって移動しており、圧縮室１２０の容積がさらに低減されるが、圧縮室１２０内の燃料の圧力は、吐出弁１４０の閉方向に作用する吐出弁バネ１４０ｃの付勢力を克服するまで増加し、それによって吐出弁１４０が開くので、吐出弁１４０および吐出管４００を介して加圧燃料をコモンレール８００へ給送することができる。
【０１０９】
吐出弁１４０を介して加圧燃料を吐出する出力行程は、圧縮プランジャ１３０がＴＤＣに達するとすぐに終わる。圧縮プランジャ１３０がＢＤＣの方向に再び移動し始めるとすぐに、次の吸気行程が始まる。
【０１１０】
図４は、圧縮プランジャ１３０が図３に示されるように下死点ＢＤＣに達する前に、常時閉電磁吸気弁を開くための従来のＰＷＭ制御を示す。図４の上の列は、電磁吸気弁のソレノイドに印加される制御電圧信号ＶＣが、最小および最大制御電圧値の間でオンオフが切り替わることを示す（最小値はゼロであってもよく最大値よりも低い非ゼロ値であってもよい）。
【０１１１】
図４の下の列は、図４の上の列における制御電圧信号ＶＣに対応する制御電流ＩＣの漸進的変化を示す。最初に、初期電圧パルスＩＶＰはタイミングｔ１でオンに切り替わり、時間ｔ２まで電磁吸気弁１１０のソレノイド１１２に印加される。ここで、ｔ１およびｔ２は、圧縮プランジャ１３０がＢＤＣに達する時点の前の時間である。時間ｔ２までに、ＰＷＭ制御信号ＶＣＦが１００％未満のデューティサイクルで印加されて、ほぼ一定の電流制御目標値ＩＴで電磁吸気弁１１０のソレノイド１１２に制御電流ＩＣが供給され続け、それが次に、上述の漏出行程の間、電磁吸気弁１１０を全開位置で保持されるためのほぼ一定の磁力を発生させるのに使用される。
【０１１２】
ここで、時間ｔ１およびｔ２の間に印加される初期電圧パルス信号ＩＶＰ（例えば、１００％またはほぼ１００％のデューティサイクルのＰＷＭ信号）によって、ソレノイドに高速で通電され、一方、ソレノイドの熱的過負荷および場合によっては電気エネルギーの浪費に結び付く可能性があり得る振幅まで、制御電流が増加されるのを回避するため、ＰＷＭ電圧信号ＶＣＦが１００％未満のデューティサイクルで印加される。
〔ＰＷＭ制御方法〕
図５Ａは、電磁吸気弁１１０のソレノイド１１２をＰＷＭ制御するための一般的な系を示す。ＰＷＭ制御系は、エンジン制御装置７００の処理装置であるＣＰＵ７１０から出される信号１、２によって制御される２つのスイッチＳ１およびＳ２を備える。スイッチＳ１およびＳ２は、例えば、電界効果トランジスタ（ＦＥＴ）、すなわち、ＣＰＵ７１０によって制御される電界効果トランジスタのゲート電極に電圧信号を印加することによって切り替えることができる電子スイッチによって具体化されてもよい。図５Ｂは信号１、２およびソレノイド電流を示す。
【０１１３】
一般的には、２つのスイッチを有するこの様なＰＷＭ制御系は、通常、パルス幅変調ＰＷＭの高い周波数（一般的に、１〜１０ｋＨｚの範囲、好ましくは２〜６ｋＨｚの範囲、最も一般的には約４ｋＨｚ）で制御され、１つのスイッチ（図５ＡではＳ２）は、必要なパルス幅変調によってソレノイド１１２に印加されるＰＷＭ信号のオンオフ切替えに使用される。系は、電池（電池電圧ＶＢＡＴ）および接地電位（ＧＮＤ）に接続され、または、電池の２つの極に接続されてもよい。スイッチＳ１はＰＷＭ制御を行うために使用され、スイッチＳ２は、ソレノイドを高速で遮断するのに、すなわち電圧を迅速に一定して下降させるのに使用される。
【０１１４】
図６Ａは、電磁吸気弁１１０のソレノイド１１２をＰＷＭ制御するための代替の一般的な系を示す。ＰＷＭ制御系は、エンジン制御装置７００の処理装置７１０（例えば、ＣＰＵ）からの信号１によって制御される１つのスイッチＳ１を備える。スイッチＳ１は、例えば、電界効果トランジスタ（ＦＥＴ）、すなわちＣＰＵ７１０によって制御される電界効果トランジスタのゲート電極に電圧信号を印加することによって切り替えることができる電子スイッチによって具体化されてもよい。図６Ｂは信号１およびソレノイド電流を示す。
【０１１５】
一般的には、１つのスイッチを有するこの様なＰＷＭ制御系は、通常、パルス幅変調ＰＷＭの低い周波数（一般的に、１００〜１０００Ｈｚの範囲、好ましくは２００〜６００Ｈｚの範囲、最も一般的には約４００Ｈｚ）で制御される。系は、電池（電池電圧ＶＢＡＴ）および接地電位（ＧＮＤ）に接続され、または、電池の２つの極に接続されてもよい。
【０１１６】
図７は、本発明の第１の実施形態による高圧燃料供給ポンプの制御方法による、電磁吸気弁１１０の制御電流ＩＣの制御を示す。上の列は、図７の下の列の様に制御電流ＩＣを制御するためのＰＷＭ制御電圧信号ＶＣを示す。
【０１１７】
時間ｔ１の最初のポイントで、圧縮プランジャ１３０がＢＤＣに達する前、かつ時間ｔ２までは（ｔ２−ｔ１＝ΔＴ１）、制御電流ＩＣを、電磁吸気弁１１０に通電して弁を開くための制御電流値ＩＣ１へ増加させるため、初期電圧信号ＩＶＰが電磁吸気弁１１０のソレノイド１１２に供給される（例えば、１００％デューティサイクルを有するＰＷＭ電圧信号）。
【０１１８】
時間ｔ２からは、電磁吸気弁１１０のソレノイド１１２に、１００％未満のデューティサイクルを有する、特に制御電流が制御電流値ＩＣ１からより低い制御電流値ＩＣ２へ低減されるように、かつ弁を全開位置まで開くため、制御電流ＩＣがこの制御電流値ＩＣ２でほぼ保持されるように設定されたデューティサイクルを有するＰＷＭ電圧信号ＶＣＦが印加される。
【０１１９】
圧縮プランジャ１３０がＢＤＣからＴＤＣに向かって移動し始める圧縮行程の開始時に、電磁吸気弁を全開のまま保持されるため、制御電流値ＩＣ２が維持され、すなわち、本発明の第１の実施形態における制御電流値ＩＣ２は、燃料が全開の電磁吸気弁１１０を通して高圧燃料供給ポンプ１００の圧縮チャンバ１２０から漏れ出すことができるように、圧縮行程の開始時に圧縮プランジャ１３０がＢＤＣに達した後に、電磁吸気弁１１０を全開位置で保持されるための目標制御電流値ＩＴを表す。
【０１２０】
図８は、第１の実施形態による電流制御と、図４に述べた従来例の電流制御との比較を示す。上述したように、従来の電流制御によれば（図８の破線を参照）、制御電流ＩＣは最初に目標制御値ＩＴまで増加され、その後、目標制御電流ＩＴでほぼ一定して保持される。それとは対照的に、本発明によれば、制御電流ＩＣは電流制御値ＩＣ１まで増加され、その後目標制御電流値ＩＴである制御電流値ＩＣ２まで再び減少される。
【０１２１】
特に、図８では、制御電流ＩＣの制御電流ＩＣ１から制御電流値ＩＣ２への低減は、電磁吸気弁が全閉位置から全開位置に向かって移動し始めた後に行われる。しかし、図８の下の列に見られるように、制御電流ＩＣを低減することにより、全開位置に向かう電磁吸気弁の移動速度は従来の電流制御による弁移動に比べて減速される。これによって、吸気弁部材１１１ｅが時間Ｎ２において吸気弁座１１１ｄと接触するとき、全開位置におけるより軟らかい着陸を達成することができる。時間Ｎ２の後、電磁吸気弁は、ソレノイド１１２の制御電流ＩＣ２によって誘導される磁力によって全閉位置で保持される。
【０１２２】
従来の電流制御によれば、吸気弁部材１１１ｅは、初期の時間Ｎ１ではより高速で弁座１１１ｄに当たり、それによって大幅に大きい衝撃ノイズが生成される。第１の実施形態による制御によれば、吸気弁部材１１１ｅが全開位置に達するとき（弁座１１１ｄと接触するとき）に発生する衝撃ノイズを有効に低減することができる。
〔第２の実施形態〕
図９は、本発明の第２の実施形態による高圧燃料供給ポンプの制御方法による電磁吸気弁１１０の制御電流ＩＣの制御を示す。上の列は、図９の下の列の様に制御電流ＩＣを制御するためのＰＷＭ制御電圧信号ＶＣを示す。
【０１２３】
第１の実施形態と同様に、時間ｔ２までの時間ｔ１では、ソレノイド１１２の制御電流ＩＣを制御電流値ＩＣ１まで増加させるための初期電圧パルスＩＶＰが供給される。第１の実施形態と同様に、時間ｔ２から開始して制御電流ＩＣを制御電流値ＩＣ２へ減少させるためのＰＷＭ電圧制御信号ＶＣ１が印加される。これは、全開位置に向かう吸気弁部材１１１ｅの移動が時間ｔ２の後に減速され、または少なくともその加速が低減されるという効果を有する。
【０１２４】
全開位置へ向かう吸気弁部材１１１ｅの移動の最適な減速を達成するため、制御電流ＩＣ２が、大量生産品による標準的な電磁吸気弁１１０を開き、かつ開いたままで保持されるのに十分な（すなわち、標準的な大量生産の電磁吸気弁が圧縮行程中、弁を開いたまま保持されることに適した）ほぼ最小値であるように、電圧制御信号ＶＣ１のデューティサイクルを設定することができる。
【０１２５】
その際、大量生産によるばらつきが原因で、電磁吸気弁の開方向に作用する磁力が小さくなり過ぎることがあり、開方向に作用する流体力がすぐに小さくなり過ぎ、かつ／または閉方向に作用する付勢力が大きくなり過ぎるため、圧縮プランジャ１３０がＢＤＣに達する時点の前に、電圧制御信号ＶＣ１および制御電流値ＩＣ２が吸気弁部材１１１ｅを全開位置まで移動させるのに十分ではないという状況が生じることがある。
【０１２６】
その結果、圧縮プランジャ１３０がＢＤＣに達する時点でアンカー１１１ｂとコア１１４との間に起こり得る間隙が原因で、磁力が圧縮プランジャ１３０がＴＤＣに向かって再び上向きに移動し始めるとき、電磁吸気弁１１０を開いたまま保持されるのに十分ではないことがある。燃料が吸気ポート１１８を通って吸気弁部材１１１ｅに向かって流れ、それによって吸気ポート１１８および吸気通路１１７を通って圧縮室１２０から漏出するとすぐに、閉方向で吸気弁部材１１１ｅに作用する流体力が発生しうる。
【０１２７】
第２の実施形態では、時間ｔ３では、ＰＷＭ電圧制御信号ＶＣ１に比べてより高いデューティサイクルのさらなるＰＷＭ電圧制御信号ＶＣＦが、圧縮プランジャ１３０がＢＤＣに達する前に制御電流ＩＣをより高い制御電流値ＩＣ３まで再び増加させるために印加される。これによって、圧縮プランジャ１３０がＢＤＣに達する前に、電磁吸気弁１１０の全開が確保される。
【０１２８】
大量生産品の標準的な電磁吸気弁１１０の場合、制御電流ＩＣ２は、時間ｔ２およびｔ３の間の行程で既に、全開位置で弁座１１１ｄ上に吸気弁部材１１１ｅを滑らかに着陸させるのに十分であって、それによってアンカー１１１ｂとコア１１４との間に間隙がないように設定されてもよい。その結果、圧縮プランジャ１３０がＢＤＣに達する前に、開方向に作用する流体力が再び低減するときであっても、ソレノイド１１２の制御電流ＩＣ２によって生じる磁力は電磁吸気弁を全開のまま保持されるのに十分である。この様な標準的構成では、制御電流ＩＣを制御電流値ＩＣ２から制御電流値ＩＣ３へ増加させることによって、電磁吸気弁１１０が全開位置でさらに保持され、それによって衝撃ノイズは発生しない。
【０１２９】
大量生産によるばらつきが原因で、時間ｔ２およびｔ３の間の行程中に電磁吸気弁１１０が全開しなかった場合、制御電流を制御電流値ＩＣ２から制御電流値ＩＣ３へ増加させることによって、吸気弁部材１１１ｅを全開位置まで変位するように、アンカー１１１ｂおよびコア１１４を引き付ける磁力が増加する。これは、時間ｔ２とｔ３との間で既に全開した、大量生産によるばらつきがない標準的な電磁吸気弁１１０に比べて、より大きな衝撃ノイズに結び付くことがある。
【０１３０】
しかし、第２の実施形態では、圧縮プランジャ１３０がＢＤＣに達する前に、電磁吸気弁１１０が全開位置に達することを確保することが可能なので、大量生産によるばらつきがある場合であっても開いたまま保持されることができる。
【０１３１】
図１０は、本発明の第２の実施形態による制御電流および弁移動の漸進的変化を概略的に示す。図１０は、制御電流ＩＣが最初に制御電流値ＩＣ１へ増加され、次に、電磁吸気弁の移動の開始後に制御電流値ＩＣ２へ減少され、さらに、圧縮プランジャ１３０がＢＤＣに達する前に、圧縮プランジャ１３０が下死点ＢＤＣに達した後に電磁吸気弁を全開位置で保持されるための最終目標制御電流値ＩＴである電流制御値ＩＣ３へ再び増加される電流制御を示す。
【０１３２】
図１０の下の列では、制御電流値ＩＣ２を印加する行程の間（図９の時間ｔ２およびｔ３の間）は全閉されず、圧縮プランジャ１３０がＢＤＣに達する直前に減少される流体力により、全閉位置に向かって再び移動する電磁吸気弁に関する弁移動が示される。しかし、圧縮プランジャ１３０がＢＤＣに達する直前に、制御電流ＩＣが電流制御値ＩＣ２から制御電流値ＩＣ３へ増加するため、依然として全開位置まで変位させることができる。ここで、時間Ｎ３では、電磁吸気弁が全開位置に達するときに衝撃ノイズが発生する。しかし、大量生産によるばらつきがある場合であっても、圧縮プランジャ１３０がＢＤＣに達した後、電磁吸気弁を全開位置で保持されることを確保できる。
【０１３３】
図１０に示されるように、第２の実施形態による制御を使用する場合であっても、標準的な大量生産品の電磁吸気弁１１０は図８に示されるのと同じ挙動を示し、すなわち、制御電流ＩＣが制御電流値ＩＣ１から制御電流値ＩＣ２へ減少することに起因して、衝撃ノイズを大幅に低減して時間Ｎ２の全開位置での軟着陸を達成することが可能である。図１０の破線はやはり、図４に記載したような従来例の電流制御に対応する。
【０１３４】
上述したように、第２の実施形態による電流制御によれば、大量生産によるばらつきがある場合、電磁吸気弁１１０が低減された電流制御値ＩＣ２によって全開せず、その後、制御電流ＩＣを再びより高い目標制御電流値ＩＴへ増加させることによって全開させるため、場合によってはより大きな衝撃ノイズが生成されるものの、制御の信頼性は高まる。
〔第３の実施形態〕
図１１は、本発明の第３の実施形態による高圧燃料供給ポンプの制御方法による、電磁吸気弁１１０の制御電流ＩＣの制御を示す。上の列は、図１１の下の列の様に制御電流ＩＣを制御するためのＰＷＭ制御電圧信号ＶＣを示す。
【０１３５】
第３の実施形態によれば、圧縮プランジャ１３０がＢＤＣに達した後に電磁吸気弁を全開のまま保持されるための、制御電流ＩＣの電流制御値ＩＣ２から最終目標制御電流値ＩＴへの増加は、第２の実施形態に上述した大量生産によるばらつきがある場合であっても、全開位置での軟着陸を確保するため、徐々にしか増加されない。
【０１３６】
第３の実施形態によれば、図１１の上の列に示されるように、複数のＰＷＭ電圧制御ＶＣ１、ＶＣ２、ＶＣ３、およびＶＣＦは、時間ｔ２、ｔ３、ｔ４、ｔ５で初期電圧パルスＩＶＰの後に印加される。ここで、ＰＷＭ電圧制御信号ＶＣ１から最終電圧制御信号ＶＣＦへの複数のＰＷＭ電圧制御信号のデューティサイクルは、圧縮プランジャ１３０がＢＤＣに達した後で電磁吸気弁１１０を全開のまま保持されるために、制御電流ＩＣを制御電流値ＩＣ２から制御電流値ＩＣ３へ、制御電流値ＩＣ４へ、また最終目標制御電流値ＩＴへ連続的に増加させるため、段階的ＰＷＭ制御によって徐々に増加される。
〔第４の実施形態〕
図１２は、本発明の第４の実施形態による高圧燃料供給ポンプの制御方法による、電磁吸気弁１１０の制御電流ＩＣの制御を示す。上の列は、図１２の下の列の様に制御電流ＩＣを制御するためのＰＷＭ制御電圧信号ＶＣを示す。
【０１３７】
図１２によれば、制御電流ＩＣは制御電流値ＩＣ２から最終目標制御電流値ＩＴへ増加される。しかし、図１１に上述した第３の実施形態とは異なり、初期電圧パルスＩＶＰと最終ＰＷＭ電圧制御信号ＶＣＦとの間で、ＰＷＭ電圧制御信号ＶＣ１のデューティサイクルは、圧縮プランジャ１３０がＢＤＣに達する前に、制御電流値ＩＣ２を最終目標制御電流値ＩＴへ連続的に（あるいはオン状態の持続時間の増加および／またはオフ状態の持続時間の減少を反復させる）増加させるように、時間ｔ２と時間ｔ３（ｔ３−ｔ２＝ΔＴ２）との間で連続的に増加される。
【０１３８】
本発明の第４の実施形態による電磁吸気弁１１０のソレノイド１１２の制御電流ＩＣの制御の影響が図１３に示される。図１３は、制御電流値ＩＣ２が最終目標制御電流値ＩＴまで連続的に増加されることを上の列に示す。破線はやはり、図４のような従来の制御を指す。図１３の下の列では、大量生産品の標準的な電磁吸気弁１１０が図８に上述したのと同様の挙動を示すことが示される。
【０１３９】
しかし、第２の制御電流値ＩＣ２が電磁吸気弁１１０を全開するのに十分ではないことがある、大量生産によるばらつきがある場合、制御電流を連続的に増加させることで、圧縮プランジャ１３０がＢＤＣに達する前に、時間Ｎ４において電磁吸気弁が依然として全開位置に達して、第２の実施形態に比べて衝撃速度がより低くなることが確保される。
【０１４０】
制御電流値の制御電流値ＩＣ２から目標制御電流値ＩＴへの連続的な増加によって、吸気弁座１１１ｄにある吸気弁部材１１１ｅの時間Ｎ４における滑らかな着陸が可能になり、それによって、大量生産によるばらつきがある場合でも確実に衝撃ノイズを大幅に低減することが可能になる。制御電流の制御電流値ＩＣ２から目標制御電流値ＩＴへの増加が第２の実施形態による場合よりも低速で行われるので、段階的ＰＷＭ電圧制御を使用することは同様の利点を有する。
【０１４１】
図１４は、図３に示されるような従来の制御方法と、本発明の第４の実施形態による制御方法との比較を示す。図１４で「Ａ」と表示された破線の曲線は、全開位置において衝撃ノイズが大幅に低減されて滑らかに着陸するように制御される、標準的な大量生産品の弁移動を示す。図１２および１３に示されるように制御電流値ＩＣ２が減少することによって、全開位置に達する前の電磁吸気弁の移動速度を減速することができる。「Ｂ」と表示された破線の曲線は、低減された制御電流値ＩＣ２によってまだ全開されていないが、その直後に制御電流が目標制御電流値ＩＴへ増加されることによって全開される電磁吸気弁の弁移動を示す。
〔プランジャ分離型の電磁吸気弁〕
図１５は、分離型の電磁吸気弁２１０の例を概略的に示す。図２Ａおよび２Ｂに示される電磁吸気弁１１０とは異なり、電磁吸気弁２１０の吸気弁部材２１１ｅおよび吸気弁プランジャ２１１ａは、独立して移動することができる別個の本体として形成される。吸気弁プランジャ２１１ａは、付勢部材、例えばバネ２１３ａによって閉方向に付勢され、吸気弁部材２１１ｅは、別の付勢部材、例えばバネ２１３ｂによって閉方向に付勢される。
【０１４２】
アンカー２１１ｂは、吸気弁プランジャ２１１ａの一端に、すなわち、吸気弁プランジャ２１１ａが吸気弁部材２１１ｅと接触することができる側とは反対側の吸気弁プランジャ２１１ａの端部に設けられる。電流がソレノイド２１２に印加されると、ソレノイド弁のアンカー２１１ｂおよびコア２１４は磁力によって互いに引き付けられるので、アンカー２１１ｂおよびコア２１４が接触するようになって、変位が制限されるまで吸気弁プランジャ２１１１ａは弁を開く方向で変位される。この位置では、吸気弁プランジャ２１１ａは、バネ２１３ａおよび２１３ｂの付勢力に対抗して、吸気弁部材２１１ｅを全開位置で保持されることができる。
【０１４３】
電流がソレノイド２１２に印加されている限り、アンカー２１１ｂおよびコア２１４は接触したままであるように互いに引き付けられたままであり、それによって弁を開いたまま保持されることができ、吸気弁部材２１１ｅは吸気弁座２１１ｄから離れて保持される。したがって、矢印によって示されるように、低圧燃料を吸気通路２１７を介して低圧系から取り出し、矢印によってさらに示されるように、吸気ポート２１８を介して高圧燃料供給ポンプの圧縮室１２０へ給送することができる。
【０１４４】
電流をソレノイド２１２に印加することによって弁が開いたまま保持されている限り、圧縮室１２０内の圧縮プランジャ１３０が圧縮室１２０の容積を減少させる上向きの行程にあるとき、非加圧燃料が、吸気通路２１７を介して吸気ポート２１８から低圧燃料系へ逆向きに漏出する場合もある。
【０１４５】
しかし、電流がソレノイド２１２に印加されていないとき、バネ２１３ａおよび２１３ｂは、弁を閉じるために吸気弁部材２１１ｅが吸気弁座２１１ｄと接触するまで、吸気弁プランジャ２１１ａおよび吸気弁部材２１３ｂを弁を閉じる方向に付勢する。吸気弁プランジャ２１１ａは、バネ２１３ａの付勢力によって閉方向にさらに変位されてもよい。
【０１４６】
圧縮室１２０内における圧縮プランジャ１３０の上向きの行程では、燃料は吸気ポート２１８を通って漏出することはできず、吐出弁１４０を通して高圧で吐出されるように燃料が圧縮室１２０内で加圧される。他方で、電流がソレノイド２１２に印加されておらず、かつ圧縮プランジャ１３０が圧縮室１２０の容積を増加させるように吸気行程（下向きの行程）にあるとき、圧縮室１２０内の燃料圧は、低圧燃料系に接続された吸気通路２１７内の燃料の圧力と比べて減少するので、ソレノイド２１２に電流が印加されなくても、バネ２１３ｂの付勢力に対抗して弁を開く方向で吸気弁部材２１１ｅの変位を生じさせることができる流体力が発生する。流体力は、吸気弁部材２１１ｅの十分な変位を、あるいは、全開位置への吸気弁部材２１１ｅの十分ではない変位を生じさせることができる。
【０１４７】
電流がソレノイド２１２に印加され通電されると、磁力によって吸気弁プランジャ２１１ａが弁の開方向に変位される。その結果、一般に、この様な分離型の電磁吸気弁の従来の制御によれば、２つの衝撃ノイズが生じる。第１の衝撃ノイズは吸気弁プランジャ２１１ａが吸気弁部材２１１ｅに当たるときに発生し、第２の衝撃ノイズは電磁吸気弁が全開位置に達したときに発生する。
【０１４８】
図１６は、分離型の電磁吸気弁に対する本発明の背景に関連した、常時閉電磁吸気弁の従来の制御の一例を示す。最上列は、ＴＤＣとＢＤＣとの間での圧縮プランジャの移動を示す。上から２列目は制御電流ＩＣの漸進的変化を示し、最下列は吸気弁部材２１１ｅおよび吸気弁プランジャ２１１ａの対応する移動を示す。図１６は、時間Ｎ５およびＮ６において連続的に生成される２つの衝撃ノイズの発生を示す。
【０１４９】
時間Ｎ６における、すなわち電磁吸気弁が全開位置に達したときの衝撃ノイズは、上述したような本発明による、特に上述の実施形態のいずれかによる電流制御によって大幅に低減することができる。さらに、以下に、吸気弁プランジャ２１１ａが吸気弁部材２１１ｅに当たるときに生成される第１の衝撃ノイズも低減することを付加的に可能にする、別の実施形態が記載される。
〔第５の実施形態〕
図１７は、本発明の第５の実施形態による、制御電流ＩＣおよび弁移動の漸進的変化を概略的に示す。最上列は、ＴＤＣとＢＤＣとの間での圧縮プランジャの移動を示す。上から２列目は制御電流ＩＣの漸進的変化を示し（破線は、図１６に上述した従来の制御に対応する）、最下列は吸気弁部材１１１ｅおよび吸気弁プランジャ１１１ａの対応する移動を示す。
【０１５０】
圧縮プランジャ１３０がＢＤＣに達する前に、制御電流は制御電流値ＩＣ１へ増加され、次に制御電流値ＩＣ２へ減少され、その後、第２の実施形態による制御電流と同様に、最終目標制御電流値ＩＴへ再び増加される。あるいは、第１、第３、または第４の実施形態による制御電流を使用することができる。
【０１５１】
さらに、例えば上述したように初期電圧パルスＩＶＰのタイミングを設定することによる、制御電流ＩＣの増加を開始するタイミングは、吸気弁部材１１１ｅが、流体力によって既に開方向でのその移動を開始した後のタイミングに設定される。図１７に示されるように、制御電流ＩＣの増加を開始するタイミングは、磁力の増加によって開方向に変位されている吸気弁プランジャ１１１ａが、流体力によって開方向で既に移動しているときの吸気弁部材１１１ｅと接触するように設定される。したがって、一般に吸気弁プランジャ１１１ａが吸気弁部材１１１ｅに当たると発生する、第１の衝撃ノイズを大幅に低減することができる。
〔第６の実施形態〕
図１８は、本発明の第６の実施形態によるソレノイド１１２の制御電流を制御する制御方法を示す。図１８において圧縮プランジャ１３０がＢＤＣに達する時点より前の制御は、本発明の第２の実施形態に関して図９に記載したような制御に完全に対応する。
【０１５２】
しかし、圧縮プランジャ１３０がＢＤＣに達した後、ＴＤＣに向かって再び上へ移動するとき、第６の実施形態による制御方法、はさらに圧縮プランジャ１３０がＢＤＣに達した後の時間ｔ４において、図１８の制御電流ＩＣ３を、圧縮プランジャ１３０がＴＤＣに向かって移動する圧縮行程中であっても電磁吸気弁を全開位置で保持されるのには依然として十分である、より低い目標制御電流値ＩＴへ減少させるため、それ以前に印加されたＰＷＭ電圧制御信号ＶＣ２よりも小さなデューティサイクルを有する最終ＰＷＭ制御信号ＶＣＦを印加するステップを含む。
【０１５３】
第２の実施形態の利点に加え、第６の実施形態によって、エネルギー消費を低減するとともに、電磁吸気弁を全開位置で保持されるように維持される減少された目標制御電流値ＩＴに起因する、ソレノイド１１２の熱的過負荷をさらに回避することが可能になる。
【０１５４】
図１９は、ＰＷＭ電圧制御信号の代替例の漸進的変化を示す。上述の実施形態では、ソレノイド（１つもしくは複数）のＰＷＭ制御は、単一スイッチまたは二重スイッチのＰＷＭ制御によって例示的に達成された。単一スイッチ制御が使用されるとき、ＰＷＭ周波数は一般に非常に低く、一般的には１００〜８００Ｈｚ、好ましくは３００〜６００Ｈｚ、より好ましくは４００Ｈｚに等しいか少なくとも約４００Ｈｚ（２．５ｍｓの周期と等価）である。
【０１５５】
これは、電磁吸気弁の機械的動作に比べて比較的低速なので、一般的に、電磁吸気弁は最初の数回のＰＷＭ周期後に機械的係止部に達する。そのような場合、全開位置における電磁吸気弁の「軟着陸」（すなわち、衝撃速度がほぼゼロに減速されることによって衝撃ノイズがほとんどない）も実現することができる。これは、最初の数サイクルに対して異なるデューティサイクルを使用し、その後、圧縮行程が始まる前に電磁吸気弁が全開位置に達することを確保するため、ＢＤＣに達する前にデューティサイクルを増加させることによって達成できる。
【０１５６】
最初のＰＷＭ周期の実際の値は、いわゆるＰ＿ＯＮタイミング（すなわち、ポンプのＴＤＣの時点に対する、ソレノイド（１つもしくは複数）の初期の通電を開始する時点）とエンジン速度とを考慮に入れて、各運転条件に対して決定することができる。ノイズ発生を最小限にするため、電磁吸気弁は、好ましくは、ＰＷＭ電圧制御信号がオフ状態にある時点の間に、またはパルスの開始時に機械的係止部に達する。
【０１５７】
上述の方法は、較正プロセス中に使用して、全開位置にある電磁吸気弁が着陸する瞬間の決定を可能にすることができる。任意の条件では、圧縮サイクルの開始前により高いＰＷＭデューティサイクルへの（ＢＤＣとＴＤＣとの間の）切替えによって、運転条件のいかなる変更にも関わらず、または大量生産によるばらつきにも関わらず、電磁吸気弁が全開位置に達することが確保される。
【０１５８】
較正手順は、（最初の数サイクルに対して）いくつかの別個のＰＷＭデューティサイクルを決定することを伴ってもよい。図１０では、例示的に、４つのデューティサイクル「Ｄｕｔｙ１」、「Ｄｕｔｙ２」、「Ｄｕｔｙ３」、および「Ｄｕｔｙ４」が示される（「初期ＰＷＭ」と表示される）。一般的に、電磁吸気弁は、値が低すぎない限り、最初の２サイクル、３サイクル、または４サイクル以内で全開位置に達することができ、値が低い場合は、十分に高いデューティサイクルを、好ましくは約９５％のデューティサイクルを有する最終ＰＷＭデューティサイクルによって全開位置へ移動させられる。
【０１５９】
したがって、１つの可能な構成は段階的ＰＷＭ制御を使用することであり、初期ＰＷＭ全体の持続時間に関しては、「Ｄｕｔｙ１」＝「Ｄｕｔｙ２」＝「Ｄｕｔｙ３」＝「Ｄｕｔｙ４」である（例えば、７５％デューティサイクル）。また、最終ＰＷＭのデューティサイクルは約９５％（または８５％〜１００％デューティサイクル、好ましくは９０％〜１００％デューティサイクルの、別の十分に高い値）である。
【０１６０】
別の可能な構成は、初期ＰＷＭ持続時間におけるＰＷＭ電圧信号デューティサイクルを一定して上昇させるか、または大きな最初のデューティサイクル（初期電圧パルスなど）と、それに続いて第２の周期（Ｄｕｔｙ２）により低いデューティサイクルとを使用するものなどである。圧縮行程の開始前に電磁吸気弁が確実に全開していることを保証するため、ＢＤＣに達する前に大きなデューティサイクルを使用すべきである。このアルゴリズムは、次のように一般化することができる。
【０１６１】
Ｄｕｔｙ１
Ｄｕｔｙ２＝Ｄｕｔｙ１＋ａ
Ｄｕｔｙ３＝Ｄｕｔｙ２＋ｂ
Ｄｕｔｙ４＝Ｄｕｔｙ３＋ｃ
ここで、ａ、ｂ、ｃ、…は較正プロセス中に決定することができる（一般的に±約５％）。次に、ＢＤＣに達する前に、一定した大きなデューティサイクルが使用される。
【０１６２】
Ｄｕｔｙ最終＝ＤｕｔｙＦ（例えば、９５％デューティサイクル）
上述の実施形態の構造の特徴、構成要素、および特定の詳細を入れ替えるか、または組み合わせて、個々の用途に向けて最適化されたさらなる実施形態を形成することができる。それらの修正が当業者には明白である限り、あらゆる可能な組み合わせを明示的に指定することなく、上述の記載によって暗示的に開示されているものとする。
【符号の説明】
【０１６３】
１００：高圧燃料供給ポンプ
１１０：電磁吸気弁
１１１ａ：吸気弁プランジャ
１１１ｅ：吸気弁部材
１２０：圧縮室
１３０：圧縮プランジャ
７００：制御装置
ＩＣ：制御電流
ＩＣ１：第１の制御電流値
ＩＣ２：第２の制御電流値
ＩＣ３：第３の制御電流値
ＩＴ：目標制御電流値
ＴＤＣ：上死点
ＢＤＣ：下死点
ＶＣ：電磁吸気弁の電圧信号
ＩＶＰ：初期電圧パルス
ＶＣ１：第１のＰＷＭ電圧信号
ＶＣ２；ＶＣ３；ＶＣＦ：第２のＰＷＭ電圧信号
ΔＴ１：初期電圧パルス（ＩＶＰ）を印加する持続時間
ΔＴ２：第１のＰＷＭ電圧信号（ＶＣ１）を印加する持続時間
ｔ１：初期電圧パルス（ＩＶＰ）を印加し始めるタイミング
ｔ２：第１のＰＷＭ電圧信号（ＶＣ１）を印加する持続時間（ΔＴ２）のタイミング
ｔ３；ｔ４；ｔ５：第２のＰＷＭ電圧信号を印加するタイミング
ΔＴ３；ΔＴ４：第２のＰＷＭ電圧信号を印加する持続時間
【図１】
2012036886.tif 000003
【図２Ａ】
2012036886.tif 000004
【図２Ｂ】
2012036886.tif 000005
【図３】
2012036886.tif 000006
【図４】
2012036886.tif 000007
【図５Ａ】
2012036886.tif 000008
【図５Ｂ】
2012036886.tif 000009
【図６Ａ】
2012036886.tif 000010
【図６Ｂ】
2012036886.tif 000011
【図７】
2012036886.tif 000012
【図８】
2012036886.tif 000013
【図９】
2012036886.tif 000014
【図１０】
2012036886.tif 000015
【図１１】
2012036886.tif 000016
【図１２】
2012036886.tif 000017
【図１３】
2012036886.tif 000018
【図１４】
2012036886.tif 000019
【図１５】
2012036886.tif 000020
【図１６】
2012036886.tif 000021
【図１７】
2012036886.tif 000022
【図１８】
2012036886.tif 000023
【図１９】
2012036886.tif 000024
【手続補正書】
【提出日】平成23年5月20日(2011.5.20)
【手続補正１】
【補正対象書類名】明細書
【補正対象項目名】全文
【補正方法】変更
【補正の内容】
【発明の詳細な説明】
【技術分野】
【０００１】
本発明は、加圧燃料を内燃機関に供給する高圧燃料供給ポンプの制御方法、ならびに高圧燃料供給ポンプを制御する制御装置に関する。さらに、本発明は、高圧燃料供給ポンプを制御するように特にエンジン制御部等の制御装置を構成させるコンピュータプログラムコードを含むコンピュータプログラム製品に関する。
【０００２】
具体的には、本発明は、常時閉型の電磁吸入弁のソレノイドへの通電によって磁力により開かれ、かつ／または開いたまま保持される、常時閉型の電磁吸入弁を備える高圧燃料供給ポンプの制御方法および制御装置に関する。これは、常時開型の電磁吸入弁への通電によって磁力により閉じられかつ／または閉じたまま保持される、常時開型の電磁吸入弁を備える高圧燃料供給ポンプと区別される。
【０００３】
本発明は、制御電圧または制御電流を印加することによって電磁吸入弁を開くために電磁吸入弁の制御電流を制御することに関し、電磁吸入弁の制御電流の制御は、制御電流を電磁吸入弁に通電するための第１の制御電流値へ増加させること、特に、高圧燃料供給ポンプの圧縮室内において上死点（ＴＤＣ）と下死点（ＢＤＣ）との間で往復運動する圧縮プランジャが、圧縮プランジャの吸入行程の終了時にＢＤＣに達する前に、制御電流を電磁吸入弁に通電するための第１の制御電流値へ増加させることを含む。
【背景技術】
【０００４】
加圧燃料を内燃機関に供給する高圧燃料供給ポンプは、噴射器によって内燃機関の燃焼室内へ燃料が直接噴射される直接噴射運転に基づいた燃料供給系に使用することができる。内燃機関の燃焼室内へ直接噴射される加圧燃料は、高圧燃料供給ポンプによって加圧される。
【０００５】
例えば、特許文献１において、加圧燃料を内燃機関に供給する高圧燃料供給系であって、電磁吸入弁のソレノイドへの通電によって発生する磁力によって開かれるかまたは開いたまま保持される、常時閉型の電磁吸入弁を備える供給系が知られている。ここで常時閉弁とは、遮断状態すなわち制御電流/制御電圧が電磁吸入弁のソレノイドに印加されていないときは、閉じている型の弁を指す。
【０００６】
特許文献１では、常時閉電磁吸入弁の運転ノイズを低減するという課題に取り組んでおり、電磁吸入弁のソレノイドに通電する前に、流体力によって弁を開くための弁の上流側と下流側との間の流体圧差を利用することが提案された。しかし、常時閉電磁吸入弁の運転ノイズをさらに低減し信頼性の高い運転を可能にするための、さらなる最適化の方策および最適化の方法を見出す努力が継続されている。
【０００７】
従来技術において、電磁吸入弁が既に開いた後、すなわち電磁吸入弁が既に全開位置に達した後に制御電流を低減することによって、ソレノイドの熱的過負荷を回避するためにソレノイドに供給される制御電流が低減される技術が存在する。この様な制御方法では、電磁吸入弁を開くために制御電流を制御するステップでは制御電流はまだ低減されず、常時閉電磁吸入弁が磁力によって既に全閉のまま保持されている運転行程の間、例えば、高圧燃料供給ポンプの吐出弁を通して加圧燃料を出力する行程の間にのみ制御電流が低減される（例えば、特許文献２を参照）。
【先行技術文献】
【特許文献】
【０００８】
【特許文献１】ＥＰ１８９８０８５Ａ２公報
【特許文献２】ＤＥ１０２００４０１６５５４Ａ１公報
【発明の概要】
【発明が解決しようとする課題】
【０００９】
従来の高圧燃料供給系では、例えば内燃機関のアイドル運転中など、モータが低回転速度条件にあるとき、主要な運転ノイズは電磁吸入弁から発せられるノイズであり、このノイズは、特に弁を開閉するとき例えば電磁吸入弁の吸入弁部材が弁の全閉位置にある弁座と接触したときに発生する。したがって、運転ノイズを低減させることができる、電磁吸入弁を有する燃料供給系を提供することが望ましい。
【００１０】
本発明の目的は、加圧燃料を内燃機関に供給するように構成され、磁力によって開かれるかまたは開いたまま保持される、常時閉型の電磁吸入弁を備える高圧燃料供給ポンプの運転ノイズを低減することである。
【課題を解決するための手段】
【００１１】
［１］本発明の第１の態様によれば、加圧燃料を内燃機関に供給する高圧燃料供給ポンプを制御するための、高圧燃料供給ポンプの制御方法が提案される。高圧燃料供給ポンプは、電磁吸入弁を開き、かつ／または開いたまま保持されるため、特に制御電圧または制御電流を電磁吸入弁に印加したときに磁力によって開かれ、かつ／または開いたまま保持されるように構成され、一方、流体圧が電磁吸入弁に作用せず、かつ制御電圧または制御電流が電磁吸入弁に印加されないときは、付勢部材によって電磁吸入弁が閉じたままである常時閉型の電磁吸入弁を備える。
【００１２】
本発明によれば、高圧燃料供給ポンプの制御方法は、制御電圧または制御電流を電磁吸入弁に印加することによって電磁吸入弁を開くため電磁吸入弁の制御電流を制御することを含み、電磁吸入弁の制御電流の制御は、制御電流を電磁吸入弁に通電するための第１の制御電流値へ増加させること、特に、高圧燃料供給ポンプの圧縮室内においてＢＤＣとＴＤＣとの間で往復運動する圧縮プランジャが、圧縮プランジャの吸入行程の終了時にＢＤＣに達する前に、制御電流を電磁吸入弁に通電するための第１の制御電流値へ増加させることを含む。
【００１３】
本発明によれば、電磁吸入弁を開くため電磁吸入弁の制御電流を制御することは、高圧燃料供給ポンプの圧縮室内においてＢＤＣとＴＤＣとの間で往復運動する圧縮プランジャが、圧縮プランジャの吸入行程の終了時にＢＤＣに達する前に、制御電流を第１の制御電流値からより低い第２の制御電流値へ低減することを含む。
【００１４】
したがって、電磁吸入弁の運転ノイズを低減するため、常時閉型の電磁吸入弁を開くための制御電流は、最初は電磁吸入弁に通電するための第１の制御電流値へ増加し、その後、より低い第２の制御電流値へ再び低減されるように制御される。電磁吸入弁のソレノイド内の制御電流を減少させることによって電磁吸入弁に作用する磁力が低減するので、電磁吸入弁の閉方向で作用する常時閉型の電磁吸入弁の付勢部材の付勢力を用いて、開方向での電磁吸入弁の移動を減速させることができる。
【００１５】
開位置への電磁吸入弁の移動速度の減速によって、例えば全開位置にある制限部材、ストッパー、または弁座などの機械的係止部に全開位置で当たるときの電磁吸入弁の速度を低減することができるので、発生する衝撃ノイズをさらに低減することができる。換言すれば、例えば弁座などの機械的係止部に電磁吸入弁が滑らかに着地することができるように、電磁吸入弁の開方向での移動を減速する（または全開位置へ向かう加速を少なくとも低減する）ことができ、それによって衝撃ノイズを大幅に低減することが可能になる。
【００１６】
電磁吸入弁を開くため、最初に第１の制御電流値へ増加させ、その後、より低い第２の制御電流値へ減少させるように制御電流を制御することによって、運転ノイズを低減することは、高圧燃料供給ポンプの機械的設計の修正を必要とすることなく、単に印加電流制御を修正することによって運転ノイズを低減することができるという利点を有する。機械的設計に対する変更および修正は、通常、開発または実現するのにコストが非常に掛かり、かつ労力を有するので、ソレノイドの電流制御の修正によるノイズの低減は、機械的設計に修正を加えるよりも大幅なコスト削減となる。これは、自動車産業での部品の大量生産における多量の生産数を考えると特に有利である。
【００１７】
特に、今日の高圧燃料供給ポンプは、一般に、電子エンジン制御装置によって自動的に制御されるので、エンジン制御装置を再プログラムするかまたは構成させること例えばソフトウェアの修正によって、電流制御の最適化されたアルゴリズムを既存の高圧燃料供給ポンプの制御において実現することができる。
【００１８】
さらに、電磁吸入弁のソレノイドに印加される制御電流を精密に制御することによって、ソレノイドに供給されるエネルギー量を、開方向での移動中における電磁吸入弁の加速および／または減速を精密に制御することができる。つまり、制御電流の制御によって発生する磁気付勢力の量に直接影響を及ぼすことが可能になるので、例えば電磁吸入弁に作用する流体力の増加または減少に基づいて、磁気付勢力の増加および／または減少を制御することができる。
【００１９】
本発明の意味での「電流制御」は、例えばＰＷＭ制御または閾値電流制御などの電流制御の様々な方法よって実現することができる。本発明の基本概念は、最初に制御電流をソレノイドに通電するための第１の制御電流値へ増加させ、その後、特に電磁吸入弁が全開位置に達する前に、制御電流を電磁吸入弁の移動を減速するかまたは少なくともその加速を低減するためのより低い第２の制御電流値へ減少させることによって、電磁吸入弁を開くために制御電流が制御される限り、制御電流の制御の具体的な構成に限定されるものではない。
【００２０】
例えば、制御電流の制御は、ＰＷＭ制御電圧を電磁吸入弁のソレノイドに印加することによって行うことができ、その際、ソレノイドにおける制御電流の値および／または変化は、ＰＷＭ制御電圧信号のデューティサイクルによって制御することができる。
【００２１】
また、ＰＷＭ制御信号の周波数を変更することによって、ソレノイドに印加される制御電流を制御することが可能である。したがって、ＰＷＭ電圧制御信号のデューティサイクルとＰＷＭ制御の周波数の変更とを組み合わせることによって、制御電流を制御するためにＰＷＭ制御を使用することが可能である。
【００２２】
ＰＷＭ電圧制御を用いて制御電流を制御できることに加えて、例えば連続的に印加される制御電圧を用いて制御電圧または制御電流のいずれかを制御することによって、例えば増幅器を用いてアナログ的に制御電流を直接制御することもできる。例えば、電圧信号のパルス幅変調などの変調を必要とすることなく、電流が特定の閾値に調節される閾値電流制御を用いて電流制御を達成することができる。制御電流の値は、集積回路を用いて直接調節することもできる。
【００２３】
これらの従来技術とは対照的に、本発明によれば、第１の制御電流値からより低い第２の制御電流値への制御電流の減少は、電磁吸入弁を開くために制御電流を制御して高圧燃料供給ポンプの運転ノイズの低減を可能にするステップにおいて行われる。
【００２４】
一方、特許文献１に記載されているような制御方法は、電磁吸入弁が既に全開位置に達した後にしか制御電流が低減されず、弁が全開位置にある弁座または機械的機械的係止部と接触するときの、電磁吸入弁の開動作の終了時における衝撃が既に起こっているので、運転ノイズを低減するのには全く適していない。
［２］好ましくは、制御電流は、電磁吸入弁が全開する前に、高圧燃料供給ポンプの圧縮室内においてＢＤＣとＴＤＣとの間で往復運動する圧縮プランジャが吸入行程の終了時にＢＤＣに達する前に、第１の制御電流値から第２の制御電流値へ低減される。
［３］本発明によれば、第２の制御電流値は第１の制御電流値より低く、かつ第１の制御電流値より低い非ゼロ電流値であってもよい。
【００２５】
あるいは圧縮プランジャがＢＤＣに達する前に電磁吸入弁が全開することを確保するため、高圧燃料供給ポンプの圧縮室内においてＢＤＣとＴＤＣとの間で往復運動する圧縮プランジャが吸入行程の終了時にＢＤＣに達する前に、制御電流がゼロまたはほぼゼロまで低減されてもよい。
［４］本発明の一実施形態によれば、電磁吸入弁を開くための電磁吸入弁の電流制御は、さらに、圧縮プランジャがＢＤＣに達する前に制御電流を第２の制御電流値からより高い第３の制御電流値へ増加させることを含む。この態様によれば、標準的な大量生産品の高圧燃料供給ポンプおよび電磁吸入弁の運転ノイズを大幅に低減することが可能であるとともに、大量生産によるばらつきが生じている場合でも、特に圧縮行程が始まる前に確実に全開位置に達するように一連の大量生産品を制御できる。
【００２６】
つまり、本発明の基礎となる高圧燃料供給ポンプおよび電磁吸入弁は、一般に、多量の生産数で生産されている標準的な大量生産品からなる。そのような大量生産品に関して、各製品間で少なくとも小規模な生産のばらつきが生じる可能性がある。本発明によれば、例えば大量生産品の標準的な電磁吸入弁に基づいて、電磁吸入弁の制御電流の制御を最適化することが可能であり、制御電流を第２の制御電流値から第２の制御電流値よりも高い第３の制御電流値へ増加させることを含む、本発明の上述の態様では、大量生産品同士で小規模な大量生産によるばらつきが生じる可能性を考慮した場合であっても、運転制御の信頼性をより高めることができる。
【００２７】
例えば、最小制御電流値を、圧縮プランジャがＢＤＣに達する前に大量生産品の標準的な電磁吸入弁を開くのに十分であって、圧縮プランジャがＴＤＣに向かって上向きに再び移動し始めるよりも前に、大量生産品の標準的な電磁吸入弁が全開位置に達することができるように制御する。すなわち電磁吸入弁が、実際に全開位置になった後に圧縮室内の燃料を加圧する圧縮行程が始まり電磁吸入弁を全開位置で開いたまま保持されることができるように、第１の制御電流値よりも低い第２の制御電流値に最小制御電流値を制御することが可能である。
【００２８】
圧縮プランジャがＢＤＣからＴＤＣへの移動を開始するときに圧縮室内の燃料を加圧し始める時点で、電磁吸入弁が既に全開位置にない場合、圧縮プランジャがＴＤＣに向かって移動しているとき、燃料圧が電磁吸入弁に電磁吸入弁の磁力と逆向きの閉方向に作用するため、標準的な電磁吸入弁に対する最小制御電流値が、電磁吸入弁を全開させ開いたまま保持させるのに十分ではないことがある。
【００２９】
具体的には、圧縮プランジャの速度が増加するとともに圧縮室内の燃料圧が増加することがあり燃料が部分的に開いた電磁吸入弁から漏れ出す。例えば部分的に開いた電磁吸入弁のコアとアンカーとの間の間隙が原因で磁力が低減され、磁力が電磁吸入弁を開いたまま保持されるのに十分ではないことがある。
【００３０】
この場合、大量生産品に起こり得るばらつきを考慮した上で高圧燃料供給ポンプの運転の信頼性高い制御を可能にするため、大量生産によるばらつきが原因でより低い第２の制御電流値が電磁吸入弁を全開するのに十分ではない場合に、制御電流を第２からさらに第３の制御電流値へ増加させて磁力を増加させることによって、圧縮行程が始まる時点の前に電磁吸入弁の全開を確実にするように、制御電流が第２の制御電流値から第２の制御電流値よりも高い第３の制御電流値へ増加されることが好ましい。
【００３１】
したがって、第２の制御電流値を設定する基本となる標準的な大量生産品からなる電磁吸入弁を大幅に低減された運転ノイズで運転することができるとともに、大量生産によるばらつきがある場合であっても、大量生産品からなる電磁吸入弁を信頼性高く全開位置へ開くことができる。
［５］好ましくは、高圧燃料供給ポンプはさらに、圧縮室と、電磁吸入弁が全閉であり、圧縮プランジャがＴＤＣに向かって移動するとき、圧縮室内の燃料を加圧するため、圧縮室内においてＢＤＣとＴＤＣとの間で往復運動する圧縮プランジャとを備える。
【００３２】
好ましくは、圧縮プランジャがＢＤＣに達する前に電磁吸入弁が全開になることを確保するため、制御電流を第２の制御電流値から第３の制御電流値への増加が、圧縮プランジャがＢＤＣに達する前に行われる。したがって、圧縮プランジャがＢＤＣからＴＤＣに向かって移動する圧縮行程の開始前に、電磁吸入弁が全開位置にあることを確保することができる。
［６］本発明の一実施形態によれば、第３の制御電流値は、電磁吸入弁を全開のまま保持されるための目標制御電流値であり、特に第３の制御電流値は、圧縮プランジャがＢＤＣに達した後に電磁吸入弁を全開のまま保持されるための目標制御電流値である。したがって、第３の制御電流値は、高圧燃料供給ポンプの吐出弁を通して内燃機関のコモンレールへ加圧燃料が吐出される出力行程を開始するために閉じられるときまで、電磁吸入弁を全開位置で保持されるために維持される目標制御電流値である。
【００３３】
ポンプ設計によっては、制御電流を第３の制御電流値へ増加させるステップは、圧縮行程中（すなわち圧縮プランジャがＢＤＣに達しＴＤＣに向かって再び移動開始した後）に燃料圧が増加するのに対抗して電磁吸入弁を開いたまま保持されることを保証する。
【００３４】
あるいは、電磁吸入弁の制御電流の制御は、エネルギー消費を低減するために電磁吸入弁を全開したまま保持されるため、電磁吸入弁が全開した後に第３の制御電流値から目標制御電流値へ低減することを含み、電磁吸入弁の制御電流の制御は、圧縮プランジャがＢＤＣに達した後に電磁吸入弁を全開のまま保持されるため、圧縮プランジャがＢＤＣに達した後の第３の制御電流値を、電磁吸入弁が全開した後の目標制御電流値へ低減させることを含む。
【００３５】
エネルギー消費を低減するため、目標制御電流値は第３の制御電流値よりも低く、好ましくは、圧縮行程中（すなわち、圧縮プランジャがＢＤＣに達し、ＴＤＣに向かって再び移動開始した後）に電磁吸入弁が開いたままの状態を確保するのに十分である。
【００３６】
したがって、上述したように圧縮プランジャがＢＤＣに達する前に電磁吸入弁が全開位置に達することを確保するために増加させた制御電流値である第３の制御電流値は、次に、加圧燃料が吐出弁を介して圧縮室から吐出される出力行程を開始するために電磁吸入弁を閉じるべきときまで全開のまま保持されるように維持される、より低い目標制御電流値へ再び低減される。
【００３７】
これによって、漏出行程（spill phase）の間維持される目標制御電流値は第３の制御電流値よりも低いので、高圧燃料供給ポンプのエネルギー消費を低減することが可能にな
る。目標制御電流値は第２の制御電流値に等しくてもよい。また、圧縮プランジャがＢＤＣに達した後に、制御電流は再び第３の制御電流値から目標制御電流値へ低減されるので、ソレノイドの熱的過負荷を効率的に回避することができる。
【００３８】
ここで、漏出行程とは、圧縮行程において圧縮プランジャが既にＴＤＣに向かって移動している場合に、電磁吸入弁が全開位置で保持されており燃料が電磁吸入弁を通して圧縮室から電磁吸入弁を通って漏れ出しており、それによって燃料が加圧されず加圧燃料が電磁吸入弁の吐出弁を通して放出されないようにされる運転行程を指す。
［７］電磁吸入弁の制御電流の制御は、電磁吸入弁に供給されるＰＷＭ電圧信号のデューティサイクルを制御し、電磁吸入弁に供給されるＰＷＭ電圧信号のデューティサイクルおよび周波数を制御することによって、または、電磁吸入弁に供給されるＰＷＭ電圧信号の値を制御すること、例えば増幅器手段を用いて電磁吸入弁に供給されるＰＷＭ電圧信号の値を直接制御することによって行われてもよい。
【００３９】
上述したように、本発明の基本的な考え方は、電磁吸入弁のソレノイドに供給される制御電流を制御することに関し、電磁吸入弁がＰＷＭ制御によって制御されるときにＰＷＭ電圧信号のデューティサイクルを制御することによって、または、ＰＷＭ制御のＰＷＭ電圧信号の周波数およびデューティサイクルを制御することによって、制御電流を制御する様々なやり方で実現することができる。
【００４０】
ＰＷＭ制御を用いて電圧信号を制御できることに加えて、制御電流は、例えば増幅器および／または集積回路を用いて、制御電圧および／または制御電流を直接調節することによって直接制御することもできる。電圧閾値制御によって制御電流を直接制御することが可能であり、制御電流は例えば集積回路によって直接制御される。
【００４１】
増幅器または集積回路による制御電流の直接的な調節は、電流を精密に制御できるが、ＰＷＭ電圧信号のオンオフ切替えが原因で、ＰＷＭ制御が制御電流の漸進的変化におけるリップルにつながることがある。しかし、ＰＷＭ電圧信号によって制御される制御電流のリップルの影響は、ＰＷＭ電圧信号の周波数を増加させることにより効率的に低減することもできる。ＰＷＭ制御の別の利点は簡単に実現できることであり、ＰＷＭ制御信号を供給するために共通の電子エンジン制御装置が既に製造されており、例えばソフトウェアおよび／またはハードウェアの修正によって、本発明による制御を行うように簡単に構成させることができる。
［８］好ましくは、電磁吸入弁の制御電流の制御はさらに、制御電流を第１の制御電流値へ好ましくは迅速に増加させるため初期電圧パルスを印加すること、ならびに、制御電流を第１の制御電流値から第２の制御電流値へ低減するため、初期電圧パルスを印加した後に第１のＰＷＭ電圧信号を印加することを含む。
【００４２】
初期電圧パルスは、初期電圧パルスを具体化する短く印加される定電圧信号によって、または初期電圧パルスを具体化する初期ＰＷＭ電圧信号として具体化することができ、初期ＰＷＭ電圧信号のデューティサイクルは、好ましくは第１のＰＷＭ電圧信号のデューティサイクルよりも大きい。特に、初期ＰＷＭ電圧信号のデューティサイクルは、１００％または少なくともほぼ１００％であってもよい。
【００４３】
この実施形態によれば、ＰＷＭ制御は電磁吸入弁に供給された制御電流を制御するために使用される。最初は、制御電流を第１の制御電流値まで増加させるため、制御電流を増加させるための初期電圧パルスを印加することができる。ＰＷＭ制御を使用するとき、初期電圧パルスは、１００％または少なくともほぼ１００％のデューティサイクルを有するＰＷＭ電圧信号パルスによって実現されてもよい。この初期電圧パルスを印加した後、好ましくは１００％未満の（特に初期電圧パルスのデューティサイクルよりも小さい）デューティサイクルを有する第１のＰＷＭ電圧信号が印加され、特に、電磁吸入弁のソレノイドに印加される制御電流を第１の制御電流値からより低い第２の制御電流値へ低減することができるように構成される。
［９］好ましくは、電磁吸入弁の制御電流の制御はさらに、制御電流を第２の制御電流値から第２の制御電流値よりも高い第３の制御電流値へ増加させるため、第１のＰＷＭ電圧信号を印加した後に第２のＰＷＭ電圧信号を印加することを含み、特に、第１のＰＷＭ電圧信号は第２のＰＷＭ電圧信号よりも小さいデューティサイクルを有する。第２のＰＷＭ電圧信号は、１００％以下またはほぼ１００％以下のデューティサイクルを有してもよい。
【００４４】
この実施形態によれば、例えば、大量生産によるばらつきなどがある場合であっても、圧縮プランジャがＢＤＣに達する前に電磁吸入弁が全開位置に達するのを確保するため、第２の制御電流値から第３の制御電流値へ再び増加するように制御電流を制御するために、第１のＰＷＭ電圧信号よりも大きいデューティサイクルを有するさらなる第２のＰＷＭ電圧信号を、電圧電流を再び増加させるために印加することができる。
【００４５】
第２のＰＷＭ電圧信号は、制御電流が目標制御電流値に達するように、または、圧縮室内の燃料を加圧し高圧燃料供給ポンプの吐出弁を介して加圧燃料を吐出するために電磁吸入弁を閉じるべきときまで、圧縮プランジャがＴＤＣに向かう上向きの行程で上向きに移動する漏出行程の間、電磁吸入弁を全開位置で保持されるための最終目標制御電流よりも大きい電流に達するように設定することができる。
［１０］第１のＰＷＭ電圧信号は第２のＰＷＭ制御電圧信号に切り替えられてもよい。本発明の別の実施形態によれば、第１のＰＷＭ電圧信号は、段階的ＰＷＭ制御によって第２のＰＷＭ電圧信号に変更されてもよい。次に、第１のＰＷＭ電圧信号の後、かつ第２のＰＷＭ電圧信号の前に、少なくとも第３のＰＷＭ電圧信号が印加されてもよい。その結果、第３のＰＷＭ電圧信号のデューティサイクルは、第１のＰＷＭ制御電圧信号のデューティサイクルよりも大きく、かつ第２のＰＷＭ制御電圧信号のデューティサイクルよりも小さくてもよい。
【００４６】
本発明のさらに別の実施形態によれば、第１のＰＷＭ電圧信号のデューティサイクルは、漸増的ＰＷＭ制御によって、第２のＰＷＭ制御電圧信号へ連続的または反復的に増加されてもよい。
【００４７】
制御電流が第２の制御電流値から第３の制御電流値まで迅速に増加される場合、標準的な大量生産品の高圧燃料供給ポンプは、第２の制御電流値を印加する行程の間または少なくともその直後に既に全開位置に達しているが、大量生産によるばらつきが原因で電磁吸入弁が全開位置に達しておらず、制御電流が第２から第３の制御電流値へ増加されることによって全開するという状況が起こることがある。第２から第３の制御電流値へのこの増加が迅速に行われると、電磁吸入弁が高速で弁座または機械的係止部に当たり、それによって稀に望ましくない衝撃ノイズが発生する。
【００４８】
しかし、段階的または漸増的ＰＷＭ制御によって、第２から第３の制御電流値への制御電流の増加がより低速で滑らかに行われる上述の実施形態によれば、この様な状況であっても、電磁吸入弁は低速で全開位置に達するので、第２の制御電流値に対応する制御電流によって電磁吸入弁が全開しない稀な場合であっても、衝撃ノイズを大幅に低減することができる。
【００４９】
段階的ＰＷＭ制御を利用する一実施形態によれば、第１のＰＷＭ電圧信号を印加した後、制御電流を第３の制御電流値へよりゆっくりと増加させるためにＰＷＭ制御電圧のデューティサイクルを反復的に増加させるため、以前の各ＰＷＭ制御信号のデューティサイクルに比べてデューティサイクルがそれぞれ増加した複数のＰＷＭ制御信号を印加することができる。
【００５０】
代替実施形態によれば、制御電流を第３の制御電流値へ増加させるため、印加されるＰＷＭ電圧信号のデューティサイクルが連続的または反復的に増加する漸増的ＰＷＭ制御を利用することによって、ＰＷＭ制御を行うことができる。これは、例えば、オン状態にあるＰＷＭ制御の持続時間が連続的もしくは反復的に増加し、かつ／またはオフ状態にあるＰＷＭ制御の持続時間が連続的もしくは持続的に減少するという点で達成することができる。
【００５１】
さらに、第２の制御電流値から第３の制御電流値への制御電流のほぼ連続的な増加はまた、ＰＷＭ制御信号の周波数を連続的もしくは反復的に変更するか、または、ＰＷＭ電圧信号のデューティサイクルの連続的もしくは反復的な変更とＰＷＭ電圧信号の周波数の連続的もしくは反復的な変更との組み合わせによっても達成されてもよい。
【００５２】
例えば、増幅器および／または集積回路を用いた上述の閾値電流制御による直流制御の場合、制御電流は、例えば、圧縮プランジャがＢＤＣに達するタイミングまたはほぼそのタイミング（好ましくはその前もしくは直前）で、第３の制御電流値に達するように、より小さい傾斜で増加させることができる。
［１１］好ましくは、電磁吸入弁の制御電流の制御はさらに、初期電圧パルスの印加を開始するタイミングを設定すること、初期電圧パルスを印加する持続時間を設定すること、ならびに第１のＰＷＭ電圧信号を印加するタイミングおよび／または第１のＰＷＭ電圧信号を印加する持続時間を設定することの少なくとも１つを含んでもよい。初期電圧パルスおよび第１のＰＷＭ電圧信号のタイミングと持続時間の設定は、電磁吸入弁の開方向に作用する流体力と、電磁吸入弁の閉方向で作用する付勢力とに応じて、電磁吸入弁の磁力を制御するために行われてもよい。
【００５３】
制御電流を制御するためにＰＷＭ制御を利用するとき、制御は簡単に行うことができ、制御を最適化するため、複数の制御パラメータを設定し、かつ／または電磁吸入弁が全閉位置に達するときの衝撃ノイズを制限するように最適化することができる。制御パラメータは、好ましくは、磁力（すなわち、電磁吸入弁のソレノイドへの通電によって発生する磁力）と、常時閉電磁吸入弁では一般的であるような弁を閉じる方向で電磁吸入弁を付勢する付勢力（すなわち、圧縮プランジャがＢＤＣに向かう下向きの行程にあるときの電磁吸入弁の上流および下流の圧力差によって発生する流体力であって、それによって圧縮室の容積を増加させるとともにその中の圧力を減少させ、電磁吸入弁の開方向で作用する電磁吸入弁に対する流体力が発生する）とが平衡し、電磁吸入弁が全開位置に達するときの衝撃ノイズを低減するために最適化されるように設定される。
【００５４】
例えば、流体力の振幅は、一般に、圧縮室内の圧縮プランジャの移動速度に依存し、圧縮プランジャは最初に、下死点に近付くときに再び減速するまで、ＴＤＣから移動する間に加速し、すなわち、圧縮プランジャの移動速度は、圧縮プランジャを駆動する回転カムのプロファイルに依存する周期関数例えば正弦波にほぼ対応し、最大速度はＴＤＣとＢＤＣとの間のほぼ中間に達してもよい（正弦波の場合、最大速度はＴＤＣとＢＤＣとの間の中間に生じる）。
【００５５】
他方で、電磁吸入弁のソレノイドへの通電によって発生する磁力は、一般に、印加される制御電流、ならびに例えば電磁吸入弁のアンカーおよびコアなど、磁力によって引き付けられる部品間の距離に依存する。他方で、付勢力は電磁吸入弁の位置に依存し、一般に、全閉位置から全開位置へ線形的に増加してもよい。
【００５６】
電磁吸入弁の移動は、上述の力の合計、すなわち付勢力、流体力、および磁力の合計によって得られる。流体力ならびに磁力は電磁吸入弁の開方向で作用してもよく、例えばバネ力などの付勢力は電磁吸入弁の閉方向で作用してもよい。
【００５７】
好ましくは、圧縮プランジャがＴＤＣからＢＤＣへ移動するとき、磁力の時間的変化は流体力の時間的変化と平衡され、その際、本発明による方法は、好ましくは、例えば制御電流の増加を開始するタイミングを設定すること、第１の制御電流値に達するタイミングを設定すること、および／または第１の制御電流値の値を設定することなど、制御パラメータを設定することを含む。
【００５８】
例えば、ＰＷＭ制御を利用するとき、電磁吸入弁を全開位置に向かって変位させながら、好ましくは流体力および磁力を線形的に増加する付勢力と付加的に平衡させることを含む、流体力および磁力の時間的変化を平衡させるため、初期電圧パルスの印加を開始する時点、初期電圧パルスの印加の持続時間、ならびに第１のＰＷＭ電圧信号を印加するタイミングおよび／またはその持続時間の少なくとも１つを設定することができる。
【００５９】
上述のタイミングおよび／または持続時間を設定することによって、高圧燃料供給ポンプの運転ノイズを低減するように、全開位置に達するときの平均衝撃速度を最小限に抑える（すなわち、全開位置における電磁吸入弁の軟着陸を確保する）ための最適化が可能になる。さらに、例えば、カムのプロファイル、ならびに高圧燃料供給ポンプに供給される低圧燃料のフィード圧など、ポンプ設計のパラメータは、流体力およびその挙動に影響する可能性があるので、それらのパラメータが最適化のために考慮されてもよい。
【００６０】
好ましくは、上述のタイミングおよび持続時間の設定は、流体力、磁力、および付勢力の合計である合力が、電磁吸入弁を全開位置で保持されるのに適した閾値力の値（例えば、大量生産品の一般的な標準的電磁吸入弁が全開位置に達した後に、その弁を開いたまま保持されるのに十分な力）よりも高い、弁を開く方向で作用する合力であるようにして行われる。
【００６１】
下向きの行程中における圧縮室の移動速度が最大である時点で、すなわちＴＤＣとＢＤＣとの間のほぼ中間で流体力が最大値を有し、その後、流体力が全体的に再び減少することを考慮するのが必要なことがある。その結果、例えば大量生産によるばらつきが原因で、ＢＤＣに向かう圧縮プランジャの移動速度の減少によって電磁吸入弁の開方向に作用する流体力が再び減少する時点で、電磁吸入弁が全開位置に達していない場合、電磁吸入弁を全開位置まで依然として移動させるためにより大きな磁力が必要となる。
【００６２】
一実施形態によれば、この様な状況であっても、初期電圧パルスを印加するタイミングがより初期の値に、例えば流体力が最大値に達する前のタイミングに設定されている場合、大幅に低減された衝撃速度と低減された衝撃ノイズとを達成することができる。
【００６３】
したがって、圧縮プランジャの下向きの行程中における初期の時点では、電磁吸入弁の開方向に作用する流体力が、圧縮プランジャがＴＤＣとＢＤＣとの間のほぼ中間にある行程の最中のこのタイミングにおいて大きいので、電磁吸入弁を全開位置まで移動させるのにより小さな磁力で十分なことがある。
［１２］好ましくは、電磁吸入弁の制御電流の制御はさらに、第２のＰＷＭ電圧信号を印加するタイミングおよび／または第２のＰＷＭ電圧信号を印加する持続時間を設定することを含んでもよい。初期電圧パルス、第１のＰＷＭ電圧信号、および第２のＰＷＭ電圧信号のタイミングと持続時間の設定は、流体力および付勢力に応じて磁力を制御するために行われてもよい。
【００６４】
制御電流を第２の制御電流値から第３の制御電流値へ再び増加させるために第２のＰＷＭ電圧信号を印加するタイミングおよび／または持続時間を設定することによって、高圧燃料供給ポンプおよび／または電磁吸入弁の大量生産によるばらつきがある場合であっても、電磁吸入弁が全開位置に常に達することを確保することができる。
［１３］好ましくは、初期電圧パルスを印加するタイミングは、電磁吸入弁の開方向に作用する最大流体力が生じる前に設定されてもよい。換言すれば、初期電圧パルスを印加するタイミングは、ＢＤＣに向かう方向で高圧燃料供給ポンプの圧縮室内で往復運動する圧縮プランジャの移動の最大速度が生じる前に設定されてもよい。
【００６５】
上述のパラメータのタイミングおよび持続時間の設定は、好ましくは、全開位置に達するタイミングが、流体力が最大値のときに、例えばＢＤＣに向かう圧縮プランジャの移動速度がほぼ最大であるタイミングで生じるように設定される。初期電圧パルスを印加するタイミングは、流体力が最大値に達する前の、換言すれば、ＢＤＣに向かう圧縮プランジャの移動速度が最大になる前のタイミングに設定される。
【００６６】
さらに、初期電圧パルスを印加する持続時間（および／または後述するような第１のＰＷＭ電圧信号を印加する時点）は、流体力が最大値の時点で、または換言すればＢＤＣに向かう圧縮プランジャの移動が行程の最中に最大値に達するタイミングで、電磁吸入弁が全開位置にほぼ近付くように設定される。その後、制御電流は第１のＰＷＭ制御信号を印加することによって低減され（制御電流はゼロもしくはほぼゼロまでも低減することができる）、それによって、ソレノイドによって発生する磁力は制御電流の減少によって低減されるので、電磁吸入弁に作用する合力は、全開位置に向かう速度が減速されるか、またはその加速が大幅に減少されるように変動される。
［１４］好ましくは、初期電圧パルスおよび第１のＰＷＭ電圧信号または第１および第２のＰＷＭ電圧信号のタイミングと持続時間の設定は、ＰＷＭ制御が低電流条件にある、例えば電磁吸入弁に印加されるＰＷＭ信号のオフ状態のタイミングで電磁吸入弁がその全開状態に達するように設定される。これは、例えば単一スイッチのＰＷＭ制御で最も一般的に使用されるような、低周波のＰＷＭ制御にとって（例えば、約１００〜１０００Ｈｚ、好ましくは２００〜６００Ｈｚ、好ましくはほぼ４００Ｈｚの範囲のＰＷＭ制御周波数において）特に有利である。
【００６７】
制御信号がＰＷＭ制御によって制御される場合、少なくとも低周波のＰＷＭ制御が使用される場合、ＰＷＭ電圧信号のオンオフの切替えによって制御電流の漸進的変化にリップルが生じることがあり、その際、好ましくは、初期電圧パルスおよび第１のＰＷＭ電圧信号または第１および第２のＰＷＭ電圧信号のタイミングと持続時間の設定は、制御電流のリップルが低電流条件である、すなわち制御電流がＰＷＭ制御による平均制御電流値よりもわずかに低い条件である電流平均値よりも低いタイミングで、換言すれば、ソレノイドに印加されるＰＷＭ信号がほぼオフ状態のとき、電磁吸入弁が全開位置に達するように設定される。
［１５］好ましくは、電磁吸入弁に通電するために制御電流を第１の制御電流値へ増加させるのを開始するタイミングは、電磁吸入弁の開方向に作用する最大流体力が生じる前のタイミングに設定される。これは、例えばＰＷＭ制御、または電流閾値制御など上述した直接調節する電流制御等の別のタイプの電流制御のための、上述したような初期電圧パルスのタイミングと持続時間を設定することによって達成することができる。
【００６８】
これは、例えば単一スイッチのＰＷＭ制御で最も一般的に使用されるような、低周波のＰＷＭ制御にとって（例えば、約１００〜１０００Ｈｚ、好ましくは２００〜６００Ｈｚ、さらに好ましくはほぼ４００Ｈｚの範囲のＰＷＭ制御周波数において）特に有利である。
［１６］一実施形態によれば、電磁吸入弁は、単位体として形成された吸入弁部材および吸入弁プランジャ、すなわち、互いに固定されるか一体的に形成された吸入弁部材および吸入弁プランジャを有する、統合型の電磁吸入弁である。代替実施形態によれば、電磁吸入弁はまた、別個の部材として形成された吸入弁部材および吸入弁プランジャを有する、分離型の電磁吸入弁であることができる。その結果、電磁吸入弁の磁力は好ましくは吸入弁プランジャに作用する。
【００６９】
分離型の電磁吸入弁の場合、電磁吸入弁に通電するために制御電流の第１の制御電流値への増加を開始するタイミングは、吸入弁部材の開方向に作用する流体力によって吸入弁部材が移動を開始した後のタイミングに設定され、特にそれによって、吸入弁プランジャは、吸入弁部材が吸入弁部材の開方向で移動すると、吸入弁部材と接触するようになる。
【００７０】
統合型の電磁吸入弁では、磁力は、好ましくは吸入弁プランジャに作用するが、電磁吸入弁の開方向で吸入弁部材にも作用してもよく、一方、統合型のソレノイド電磁吸入弁を閉じるための付勢力は、電磁吸入弁の閉方向で吸入弁プランジャおよび／または吸入弁部材に作用してもよく、流体力は主に吸入弁部材に作用してもよい。磁力、流体力、および付勢力によって得られる合力は、一体的に形成された吸入弁部材ならびに吸入弁プランジャを備える単一体に、または互いに固定された吸入弁プランジャおよび吸入弁部材を備える単一体に作用してもよい。したがって、合力は、吸入弁部材ならびに吸入弁プランジャがともに移動するように作用してもよい。
【００７１】
代替実施形態によれば、本発明はまた、互いに独立して変位させることができる別個の部材としての吸入弁プランジャおよび吸入弁部材を有する、分離型の電磁吸入弁を制御するのに適用することができる。この様な分離型の電磁吸入弁では、流体力は、一般に吸入弁部材に作用し、磁力は一般に電磁吸入弁を開く方向で吸入弁プランジャに作用する。少なくとも、吸入弁部材を閉方向に付勢する付勢部材が提供されても良く、別の付勢部材が吸入弁プランジャに作用してもよい。吸入弁プランジャに作用する付勢部材は、電磁吸入弁の閉方向または開方向のいずれかで作用する付勢力を発生させるように構成することが可能である。
【００７２】
分離型の電磁吸入弁は、本発明による常時閉電磁吸入弁として実現されるので、付勢部材が吸入弁部材に作用する場合、弁を開く方向で作用する付勢力を発生させてもよい。吸入弁プランジャに作用する付勢部材が開方向で作用する場合、吸入弁部材に作用する付勢部材は、大きな（特に、吸入弁プランジャに作用する付勢力よりも大きな）付勢力を発生させ、それによって、吸入弁部材および吸入弁プランジャが互いに接触し、流体力または磁力がない状況において付勢力全体が閉方向に作用して、吸入弁プランジャに作用する付勢力に対抗して吸入弁部材が全閉位置で保持されるように構成されてもよい。
【００７３】
分離型の電磁吸入弁の場合、流体力は、一般に、上述したように吸入弁部材のみに作用し、その結果、吸入弁部材が電磁吸入弁の開方向に移動する。特に、付勢力が弁を閉じる方向で吸入弁プランジャに作用する、分離型の電磁吸入弁構成の場合、制御電流の増加を開始するタイミングは、例えば初期電圧パルスのタイミングを設定することによって、流体力によって吸入弁部材が弁を開く方向での移動を既に開始した後のタイミングに設定されてもよい。それによって、増加する磁力によって弁を開く方向で移動されている吸入弁プランジャは、吸入弁部材が既に流体力によって開方向で移動しているとき、吸入弁部材と接触するようになる。
【００７４】
したがって、そのような分離型の電磁吸入弁において、吸入弁プランジャが吸入弁部材と接触するときに一般的に発生する第１の衝撃ノイズを、大幅に低減することができる。
吸入弁部材が吸入弁プランジャとともに全開位置に達するときに発生する第２の衝撃ノイズは、本発明の上述の態様の少なくとも一つによって、電磁吸入弁のソレノイドに印加される制御電流を制御することによって、大幅に低減することができる。
［１７］本発明の第２の態様によれば、加圧燃料を内燃機関に供給する、高圧燃料供給ポンプを制御する制御装置が提案される。本発明の第２の態様による制御装置は、本発明の第１の態様による上述の実施形態の少なくとも１つによって、電磁吸入弁を開くための電磁吸入弁の制御電流を制御するように構成される。
【００７５】
具体的には、本発明の制御装置は、加圧燃料を内燃機関に供給する高圧燃料供給ポンプを制御するように構成される。高圧燃料供給ポンプは、特に、電磁吸入弁を開くかまたは開いたまま保持されるために制御電圧を電磁吸入弁に印加したとき、磁力によって開かれるかまたは開いたまま保持され、一方、流体圧が電磁吸入弁に作用せず、制御電圧が電磁吸入弁に印加されないとき、電磁吸入弁は付勢部材によって閉じたままでいる、常時閉型の電磁吸入弁を備える。
【００７６】
本発明によれば、本発明の制御装置は、制御電圧を電磁吸入弁に印加することによって電磁吸入弁を開くため、電磁吸入弁の制御電流を制御するように構成される。本発明の第２の態様による制御装置は、制御電流が電磁吸入弁に通電するための第１の制御電流値へ増加されるように、電磁吸入弁の制御電流を制御するように構成される。
【００７７】
特に、制御電流は、高圧燃料供給ポンプの圧縮室内においてＢＤＣとＴＤＣとの間で往復運動する圧縮プランジャが、圧縮プランジャの吸入行程の終了時に下死点（ＢＤＣ）に達する前に、電磁吸入弁に通電するための第１の制御電流値へ増加される。
【００７８】
本発明の制御装置は、制御電流が第１の制御電流値から第１の制御電流値よりも低い第２の制御電流値へ低減されるように、特に、高圧燃料供給ポンプの圧縮室内においてＢＤＣとＴＤＣとの間で往復運動する圧縮プランジャが、圧縮プランジャの吸入行程の終了時にＢＤＣに達する前に制御電流が第１の制御電流値から第２の制御電流値へ低減されるように電磁吸入弁を開くため、電磁吸入弁の制御電流を制御するように構成される。
【００７９】
さらに、本発明の制御装置は、さらに、本発明の第１の態様の上述した実施形態の少なくとも一つによって、電磁吸入弁の制御電流を制御するように構成されてもよい。
［１８］本発明の第３の態様によれば、制御装置が、本発明の第１の態様と関連して記載した実施形態の少なくとも一つによって、電磁吸入弁を開くために電磁吸入弁の制御電流を制御するように構成されるように、制御装置を、特にエンジン制御装置を構成させるコンピュータプログラムコードを備える、コンピュータプログラム製品が提案される。つまり、コンピュータプログラム製品は、制御装置が本発明の第２の態様と関連して上述したような制御装置を具体化するように、制御装置、特にエンジン制御装置を構成させるコンピュータプログラムコードを備える。
【００８０】
本発明による方法の上述した特徴および態様、並びにその好ましい特徴および態様は、上述した制御装置ならびにコンピュータプログラム製品にも当てはまり、方法の態様に記載したような利点もやはり当てはまり、それらは本明細書を簡潔にする目的で省略される。上述の好ましい特徴および態様は、任意のやり方で修正し、または組み合わせることができる。
【発明の効果】
【００８１】
本発明は、磁力によって開かれるかまたは開いたまま保持される常時閉型の電磁吸入弁を有し、電磁吸入弁を開くために電磁吸入弁の制御電流を制御するステップを含み、電磁吸入弁の制御電流を制御するステップが、制御電流を電磁吸入弁に通電するための第１の制御電流値へ増加させるステップを含む、加圧燃料を内燃機関に供給する高圧燃料供給ポンプの制御方法において、電磁吸入弁を開くために電磁吸入弁の制御電流を制御するステップが、さらに制御電流を第１の制御電流値から第１の制御電流値よりも低い第２の制御電流値へ低減するステップを含むことにより、
開位置への電磁吸入弁の移動速度の減速によって機械的係止部に全開位置で当たるときの電磁吸入弁の速度を低減することができるので、発生する衝撃ノイズを大幅に低減することができる。
【図面の簡単な説明】
【００８２】
【図１】常時閉電磁吸入弁を備える内燃機関に高圧燃料を供給するための高圧燃料供給ポンプを備える燃料供給系の一例を示す模式図。
【図２Ａ】全閉位置にある常時閉電磁吸入弁の一例を示す模式図。
【図２Ｂ】全開位置にある図２Ａの常時閉電磁吸入弁を示す模式図。
【図３】従来例の、常時閉電磁吸入弁の一例を示す説明図。
【図４】従来例の、常時閉電磁吸入弁を備える高圧燃料供給ポンプの制御方法による、電圧制御信号ＶＣの漸進的変化および制御電流ＩＣの漸進的変化を示すタイムチャート。
【図５Ａ】ソレノイドに適用されるＰＷＭ制御のための２つのスイッチを有する系を示す回路図。
【図５Ｂ】図５Ａのソレノイドに供給されるＰＷＭ制御信号、およびそれから得られる制御電流を示すタイムチャート。
【図６Ａ】ソレノイドに適用されるＰＷＭ制御のための１つのスイッチを有する系を示す回路図。
【図６Ｂ】図６Ａのソレノイドに供給されるＰＷＭ制御信号と制御電流を示すタイムチャート。
【図７】本発明の第１の実施形態による方法による、電圧制御信号ＶＣの漸進的変化および制御電流ＩＣの漸進的変化を示すタイムチャート。
【図８】本発明の第１の実施形態による制御電流ＩＣおよび弁移動の漸進的変化を示す概略図。
【図９】本発明の第２の実施形態による、電圧制御信号ＶＣの漸進的変化および制御電流ＩＣの漸進的変化を示すタイムチャート。
【図１０】本発明の第２の実施形態による制御電流および弁移動の漸進的変化を示す概略図。
【図１１】本発明の第３の実施形態による、電圧制御信号ＶＣの漸進的変化および制御電流ＩＣの漸進的変化を示すタイムチャート。
【図１２】本発明の第４の実施形態による、電圧制御信号ＶＣの漸進的変化および制御電流ＩＣの漸進的変化を示すタイムチャート。
【図１３】本発明の第４の実施形態による制御電流ＩＣおよび弁移動の漸進的変化を示す概略図。
【図１４】従来の制御方法と本発明の一実施形態を比較するタイムチャート。
【図１５】分離型の電磁吸入弁の一例を示す模式図。
【図１６】従来例の、分離型の電磁吸入弁に関する、常時閉電磁吸入弁の一例を示す概略図。
【図１７】本発明の第５の実施形態による制御電流ＩＣおよび弁移動の漸進的変化を示す概略図。
【図１８】本発明の第６の実施形態による方法による、電圧制御信号ＶＣの漸進的変化および制御電流ＩＣの漸進的変化を示すタイムチャート。
【図１９】ＰＷＭ電圧制御信号の代替例の漸進的変化を示すタイムチャート。
【発明を実施するための形態】
【００８３】
本発明の好ましい実施形態を図面を参照して以下に記載する。実施形態の特徴および態様は、本発明のさらなる実施形態を形成するために修正されるか、または組み合わされてもよい。好ましい実施形態の記載において、制御電流およびこの様な制御電流を発生させるＰＷＭ電圧信号が例示的に示される。しかし、電流制御のためのあらゆる方法を使用することによって、ＰＷＭ制御または直流制御を使用できる。
【００８４】
実際の電流プロファイルは、電磁吸入弁が機械的係止部と衝突したときの電流リップル（特にＰＷＭ制御に伴う）または電流の低下などの特性を呈することがあるが、この様な特性は図面では省略されており、平均電流のみが示される。
〔第１の実施形態〕
図１は、常時閉電磁吸入弁を備えた高圧燃料供給ポンプを備える燃料供給系の一例を示す。高圧燃料供給ポンプ１００は、加圧燃料を内燃機関の燃焼室内へ直接噴射するため、高圧燃料を内燃機関に供給するように構成される。
【００８５】
燃料供給系は、吸入管３００を介して高圧燃料供給ポンプ１００に燃料タンクから低圧燃料を供給するため、燃料タンク６００および低圧燃料ポンプ２００を備える。高圧燃料供給ポンプ１００内の燃料を加圧した後、加圧燃料は、吐出管４００を介してコモンレール８００に供給され、次に４つの噴射器８１０ａ、８１０ｂ、８１０ｃ、および８１０ｄを用いて内燃機関の圧縮室内へ直接噴射される。
【００８６】
本発明は４つの噴射器を有する燃料供給系に限定されず、一般に、少なくとも一つの噴射器をそれぞれ有する少なくとも一つのコモンレールを備えた燃料供給系に適用することができる。
【００８７】
高圧燃料供給ポンプは、常時閉型の電磁吸入弁１１０と、圧縮室１２０と、圧縮室１２０内においてＴＤＣとＢＤＣとの間で往復運動する圧縮プランジャ１３０とを備える。
【００８８】
高圧燃料供給ポンプはさらに、吐出弁座１４０ａと、吐出弁部材１４０ｂと、吐出弁１４０の閉方向で吐出弁部材１４０ｂに作用する付勢力を発生させる吐出弁バネ１４０ｃとを備える吐出弁１４０を備え、吐出弁１４０が全閉状態のとき、吐出弁部材１４０ｂは吐出弁座１４０ａと接触している。
【００８９】
圧縮プランジャ１３０の往復運動はカム５００の回転によって駆動される。圧縮プランジャがＴＤＣからＢＤＣに向かって移動すると、圧縮室１２０の容積が増加し、圧縮プランジャ１３０はＢＤＣに達した後、ＴＤＣに向かって再び移動し始め、それによって圧縮室１２０の容積が再び減少し、圧縮プランジャ１３０がＴＤＣに達した時に最小となる。
【００９０】
低圧燃料は、常時閉電磁吸入弁１１０を介して低圧燃料管３００から圧縮室１２０に入れられ、吐出弁１４０によって高圧燃料管４００を介して高圧で吐出される。吐出される加圧燃料の量およびタイミングは、エンジン制御装置７００によって制御される電磁吸入弁１１０のソレノイドに印加される制御電流を制御することによって制御される。
【００９１】
図２Ａおよび２Ｂは、常時閉型の電磁吸入弁１１０の一例の異なる状態を示す。
【００９２】
図２Ａでは、電磁吸入弁１１０は、全閉状態すなわち制御電圧または制御電流がソレノイド１１２に印加されず電磁吸入弁１１０が遮断状態にあるので電磁吸入弁に作用する磁力がなく、弁の上流と下流との間で圧力差がないので流体力が弁に作用しないときの状態で示される。その結果、電磁吸入弁１１０は、例えばバネ１１３などの付勢部材によって発生する、電磁吸入弁の閉方向に作用する付勢力によって閉じたまま保持される。
【００９３】
図２Ｂでは、電磁吸入弁１１０は、例えば弁を全開位置で保持されるため、制御電圧または制御電流がソレノイド１１２に印加されたときの開状態で示される。
【００９４】
図２Ａおよび図２Ｂの電磁吸入弁１１０は、吸入弁プランジャ１１１ａおよび吸入弁部材１１１ｅを備える。図２Ａおよび２Ｂでは、吸入弁プランジャ１１１ａおよび吸入弁部材１１１ｅは単一体として例示的に形成されているが、別体として形成することもできる（例えば、図１５を参照）。
【００９５】
アンカー１１１ｂは、吸入弁プランジャ１１１ａの他端に、吸入弁プランジャ１１１ａの吸入弁部材１１１ｅとは反対側の端部に設けられる。電流がソレノイド１１２に印加されると、ソレノイド弁のアンカー１１１ｂとコア１１４とは磁力によって互いに引き付けられるので、アンカー１１１ｂおよびコア１１４が接触して変位が制限されるまで吸入弁プランジャ１１１ａが弁を開く方向に変位する。アンカー１１１ｂおよびコア１１４が接触し、それによって吸入弁プランジャ１１１ａの変位が制限される電磁吸入弁の位置は、電磁吸入弁がそれ以上開くことができないので、全開位置と呼ばれる。
【００９６】
電流がソレノイド１１２に印加されている限り、アンカー１１１ｂおよびコア１１４は接触状態に互いに引き付けられ、それによって弁を開いたまま保持されることができ、吸入弁部材１１１ｅは吸入弁座１１１ｄから離れて保持される。したがって、矢印によって示されるように、低圧燃料を吸入通路１１７を介して低圧系から取り出し、吸入ポート１１８を介して高圧燃料供給ポンプの圧縮室１２０へ給送することができる。
【００９７】
電流をソレノイド１１２に印加することによって弁が開いたまま保持されている限り、圧縮室１２０内の圧縮プランジャ１３０が圧縮室１２０の容積を減少させる上向きの行程にあるとき、非加圧燃料が、吸入通路１１７を介して吸入ポート１１８から低圧燃料系へ逆向きに漏出する場合もある。
【００９８】
電流がソレノイド１１２に印加されていないとき、バネ１１３は、図２Ａに示されるように弁を閉じるために吸入弁部材１１１ｅが吸入弁座１１１ｄと接触するまで、吸入弁プランジャ１１１ａを付勢する。したがって、圧縮室１２０内における圧縮プランジャ１３０の上向きの行程では、燃料は吸入ポート１１８を通って漏出することはできず、燃料が圧縮室１２０内で加圧され吐出弁１４０を通して高圧で吐出される。
【００９９】
他方で、電流がソレノイド１１２に印加されておらず、かつ圧縮プランジャ１３０が圧縮室１２０の容積を増加させるように吸入行程（下向きの行程）にあるとき、圧縮室１２０内の燃料圧は、低圧燃料系に接続された吸入通路１１７内の燃料の圧力と比べて減少するので、ソレノイド１１２に電流が印加されなくても、バネ１１３の付勢力に対抗して弁を開く方向で吸入弁部材１１１ｅの変位を生じさせる流体力が発生する。流体力は、アンカー１１１ｂがコア１１４と接触するまで、吸入弁プランジャ１１１ａおよび／または吸入弁部材１１１ｅの十分な変位、あるいは、アンカー１１１ｂがコア１１４と接触するまでの十分な変位には至らない変位を生じさせることができる。
【０１００】
その後、電流がソレノイド１１２に印加されると磁力によって弁が開かれ、かつ／または開いたまま保持される。特に、電流がソレノイド１１２に印加される前に、吸入弁プランジャ１１１ａは吸入弁部材１１１ｅとともに変位される、図２Ａおよび２Ｂに示されるような構造では、電磁吸入弁１１０の運転中にノイズレベルおよび振動を効率的に低減させることができる。ここで、吸入弁プランジャ１１１ａおよび吸入弁部材１１１ｅは一体として形成される。
【０１０１】
吸入弁プランジャ１１１ａおよび吸入弁部材１１１ｅは、互いに固定された別個の本体として形成することもできる。または吸入弁部材１１１ｅが流体力によって弁を開く方向に変位されたとき、吸入弁プランジャ１１１ａおよび吸入弁部材１１１ｅが付勢メカニズムによって弁を閉じる方向に付勢され、吸入弁プランジャ１１１ａが弁を開く方向に変位されるように吸入弁部材１１１ｅの方向にさらに付勢される、別体として形成することもできる。
〔従来の高圧燃料供給ポンプの制御方法〕
図３は、常時閉電磁吸入弁１１０を備える高圧燃料供給ポンプ１００の従来の制御を示す。図３の最上列には、圧縮プランジャ１３０の移動の時間的変化（プランジャリフト）が示される。圧縮プランジャ１３０は、正弦波（または他の周期関数）に類似した動作を行い、ＴＤＣとＢＤＣとの間で往復運動する。したがって、図３の上から２列目に示されるように、圧縮プランジャ１３０の速度は、圧縮プランジャ１３０がＴＤＣまたはＢＤＣにある時点では、圧縮プランジャ１３０がゼロの速度を有する。
【０１０２】
圧縮プランジャ１３０の動作の速度の最大値は圧縮プランジャ１３０の行程の中間で得られ、圧縮プランジャ１３０はこの実施形態では正弦波によって移動するので、ＴＤＣとＢＤＣとの間、またはＢＤＣとＴＤＣとの間の中間で速度の最大値に達する。ＴＤＣとＢＤＣとの間での圧縮プランジャ１３０の移動は下向き行程または吸入行程と呼ばれ、ＢＤＣとＴＤＣとの間での圧縮プランジャ１３０の移動は上向き行程、出力行程、または吐出行程と呼ばれる。
【０１０３】
図３の下から２列目に示されるように、吐出行程の開始時に電磁吸入弁１１０を開き、開いたまま保持されるため、下向きの行程で圧縮プランジャ１３０がＢＤＣに達する前に（図３では「ＯＮ」と呼ばれる）電圧制御信号ＶＣが印加され、それによって、圧縮室１２０の容積が減少されることにより（圧縮室１２０内の燃料をほぼ加圧することなく）、燃料は電磁吸入弁１１０を介して圧縮室１２０から漏出する。
【０１０４】
図３の最下列には、電磁吸入弁１１０（特に吸入弁部材１１１ｅ）の弁移動の時間的変化が示される。圧縮プランジャ１３０がＴＤＣに達し、ＢＤＣに向かって再び移動し始めた直後、圧縮室１２０の容積は低減され、それによって電磁吸入弁１１０の吸入弁部材１１１ｅの上流と下流との圧力差が生じる。圧力差によって発生した流体力がバネ１１３の付勢力を上回るとすぐに、吸入弁部材１１１ｅを電磁吸入弁１１０の開方向に変位させることによって、流体力が電磁吸入弁１１０を開くように作用する。
【０１０５】
流体力の振幅は圧縮プランジャ１３０の移動速度に依存し、圧縮プランジャ１３０の移動速度の最大値に達するまで増加するが、その後流体力は再び減少するので、電磁吸入弁１１０のソレノイド１１２に供給される制御電圧信号をオンにして通電するまで、流体力が減少するとともにバネ１１３の付勢力によって吸入弁部材１１１ｅが弁を閉じる方向に再び変位する。
【０１０６】
電圧制御信号ＶＣをオンにすると、ソレノイド１１２の制御電流は電磁吸入弁１１０に作用する磁力を発生させる。発生した磁力によって、吸入弁部材１１１ｅが吸入弁座１１１ｄと接触するようになる全開位置まで吸入弁部材１１１が変位され、それによって、例えばアイドル条件など内燃機関の低回転速度条件において、常時閉電磁吸入弁１１０を有する高圧燃料供給ポンプの運転における主要なノイズである衝撃ノイズが発生する。
【０１０７】
電磁吸入弁１１０は、アンカー１１１ｂおよびコア１１４を引き付ける磁力によって全開位置で保持され、ソレノイド１１２に供給される制御電圧ＶＣがオフに切り替えられるまで、燃焼室１２０内の燃料が全開状態の電磁吸入弁１１０を介して圧縮室１２０から漏出する。その後、バネ１１３によって発生する電磁吸入弁１１０の閉方向の付勢力と、流体力とによって電磁吸入弁が閉じる。
【０１０８】
電磁吸入弁１１０が全閉位置に達する時点で、加圧燃料を吐出弁１４０を介して圧縮室１２０から内燃機関へ吐出するための出力行程が始まる。具体的には、圧縮プランジャ１３０が依然としてＴＤＣに向かって移動しており、圧縮室１２０の容積がさらに低減されるが、圧縮室１２０内の燃料の圧力は、吐出弁１４０の閉方向に作用する吐出弁バネ１４０ｃの付勢力を克服するまで増加し、それによって吐出弁１４０が開くので、吐出弁１４０および吐出管４００を介して加圧燃料をコモンレール８００へ給送することができる。
【０１０９】
吐出弁１４０を介して加圧燃料を吐出する出力行程は、圧縮プランジャ１３０がＴＤＣに達するとすぐに終わる。圧縮プランジャ１３０がＢＤＣの方向に再び移動し始めるとすぐに、次の吸入行程が始まる。
【０１１０】
図４は、圧縮プランジャ１３０が図３に示されるように下死点ＢＤＣに達する前に、常時閉電磁吸入弁を開くための従来のＰＷＭ制御を示す。図４の上の列は、電磁吸入弁のソレノイドに印加される制御電圧信号ＶＣが、最小および最大制御電圧値の間でオンオフが切り替わることを示す（最小値はゼロであってもよく最大値よりも低い非ゼロ値であってもよい）。
【０１１１】
図４の下の列は、図４の上の列における制御電圧信号ＶＣに対応する制御電流ＩＣの漸進的変化を示す。最初に、初期電圧パルスＩＶＰはタイミングｔ１でオンに切り替わり、時間ｔ２まで電磁吸入弁１１０のソレノイド１１２に印加される。ここで、ｔ１およびｔ２は、圧縮プランジャ１３０がＢＤＣに達する時点の前の時間である。時間ｔ２までに、ＰＷＭ制御信号ＶＣＦが１００％未満のデューティサイクルで印加されて、ほぼ一定の電流制御目標値ＩＴで電磁吸入弁１１０のソレノイド１１２に制御電流ＩＣが供給され続け、それが次に、上述の漏出行程の間、電磁吸入弁１１０を全開位置で保持されるためのほぼ一定の磁力を発生させるのに使用される。
【０１１２】
ここで、時間ｔ１およびｔ２の間に印加される初期電圧パルス信号ＩＶＰ（例えば、１００％またはほぼ１００％のデューティサイクルのＰＷＭ信号）によって、ソレノイドに高速で通電され、一方、ソレノイドの熱的過負荷および場合によっては電気エネルギーの浪費に結び付く可能性があり得る振幅まで、制御電流が増加されるのを回避するため、ＰＷＭ電圧信号ＶＣＦが１００％未満のデューティサイクルで印加される。
〔ＰＷＭ制御方法〕
図５Ａは、電磁吸入弁１１０のソレノイド１１２をＰＷＭ制御するための一般的な系を示す。ＰＷＭ制御系は、エンジン制御装置７００の処理装置であるＣＰＵ７１０から出される信号１、２によって制御される２つのスイッチＳ１およびＳ２を備える。スイッチＳ１およびＳ２は、例えば、電界効果トランジスタ（ＦＥＴ）、すなわち、ＣＰＵ７１０によって制御される電界効果トランジスタのゲート電極に電圧信号を印加することによって切り替えることができる電子スイッチによって具体化されてもよい。図５Ｂは信号１、２およびソレノイド電流を示す。
【０１１３】
一般的には、２つのスイッチを有するこの様なＰＷＭ制御系は、通常、パルス幅変調ＰＷＭの高い周波数（一般的に、１〜１０ｋＨｚの範囲、好ましくは２〜６ｋＨｚの範囲、最も一般的には約４ｋＨｚ）で制御され、１つのスイッチ（図５ＡではＳ２）は、必要なパルス幅変調によってソレノイド１１２に印加されるＰＷＭ信号のオンオフ切替えに使用される。系は、電池（電池電圧ＶＢＡＴ）および接地電位（ＧＮＤ）に接続され、または、電池の２つの極に接続されてもよい。スイッチＳ１はＰＷＭ制御を行うために使用され、スイッチＳ２は、ソレノイドを高速で遮断するのに、すなわち電圧を迅速に一定して下降させるのに使用される。
【０１１４】
図６Ａは、電磁吸入弁１１０のソレノイド１１２をＰＷＭ制御するための代替の一般的な系を示す。ＰＷＭ制御系は、エンジン制御装置７００の処理装置７１０（例えば、ＣＰＵ）からの信号１によって制御される１つのスイッチＳ１を備える。スイッチＳ１は、例えば、電界効果トランジスタ（ＦＥＴ）、すなわちＣＰＵ７１０によって制御される電界効果トランジスタのゲート電極に電圧信号を印加することによって切り替えることができる電子スイッチによって具体化されてもよい。図６Ｂは信号１およびソレノイド電流を示す。
【０１１５】
一般的には、１つのスイッチを有するこの様なＰＷＭ制御系は、通常、パルス幅変調ＰＷＭの低い周波数（一般的に、１００〜１０００Ｈｚの範囲、好ましくは２００〜６００Ｈｚの範囲、最も一般的には約４００Ｈｚ）で制御される。系は、電池（電池電圧ＶＢＡＴ）および接地電位（ＧＮＤ）に接続され、または、電池の２つの極に接続されてもよい。
【０１１６】
図７は、本発明の第１の実施形態による高圧燃料供給ポンプの制御方法による、電磁吸入弁１１０の制御電流ＩＣの制御を示す。上の列は、図７の下の列の様に制御電流ＩＣを制御するためのＰＷＭ制御電圧信号ＶＣを示す。
【０１１７】
時間ｔ１の最初のポイントで、圧縮プランジャ１３０がＢＤＣに達する前、かつ時間ｔ２までは（ｔ２−ｔ１＝ΔＴ１）、制御電流ＩＣを、電磁吸入弁１１０に通電して弁を開くための制御電流値ＩＣ１へ増加させるため、初期電圧信号ＩＶＰが電磁吸入弁１１０のソレノイド１１２に供給される（例えば、１００％デューティサイクルを有するＰＷＭ電圧信号）。
【０１１８】
時間ｔ２からは、電磁吸入弁１１０のソレノイド１１２に、１００％未満のデューティサイクルを有する、特に制御電流が制御電流値ＩＣ１からより低い制御電流値ＩＣ２へ低減されるように、かつ弁を全開位置まで開くため、制御電流ＩＣがこの制御電流値ＩＣ２でほぼ保持されるように設定されたデューティサイクルを有するＰＷＭ電圧信号ＶＣＦが印加される。
【０１１９】
圧縮プランジャ１３０がＢＤＣからＴＤＣに向かって移動し始める圧縮行程の開始時に、電磁吸入弁を全開のまま保持されるため、制御電流値ＩＣ２が維持され、すなわち、本発明の第１の実施形態における制御電流値ＩＣ２は、燃料が全開の電磁吸入弁１１０を通して高圧燃料供給ポンプ１００の圧縮チャンバ１２０から漏れ出すことができるように、圧縮行程の開始時に圧縮プランジャ１３０がＢＤＣに達した後に、電磁吸入弁１１０を全開位置で保持されるための目標制御電流値ＩＴを表す。
【０１２０】
図８は、第１の実施形態による電流制御と、図４に述べた従来例の電流制御との比較を示す。上述したように、従来の電流制御によれば（図８の破線を参照）、制御電流ＩＣは最初に目標制御値ＩＴまで増加され、その後、目標制御電流ＩＴでほぼ一定して保持される。それとは対照的に、本発明によれば、制御電流ＩＣは電流制御値ＩＣ１まで増加され、その後目標制御電流値ＩＴである制御電流値ＩＣ２まで再び減少される。
【０１２１】
特に、図８では、制御電流ＩＣの制御電流ＩＣ１から制御電流値ＩＣ２への低減は、電磁吸入弁が全閉位置から全開位置に向かって移動し始めた後に行われる。しかし、図８の下の列に見られるように、制御電流ＩＣを低減することにより、全開位置に向かう電磁吸入弁の移動速度は従来の電流制御による弁移動に比べて減速される。これによって、吸入弁部材１１１ｅが時間Ｎ２において吸入弁座１１１ｄと接触するとき、全開位置におけるより軟らかい着陸を達成することができる。時間Ｎ２の後、電磁吸入弁は、ソレノイド１１２の制御電流ＩＣ２によって誘導される磁力によって全閉位置で保持される。
【０１２２】
従来の電流制御によれば、吸入弁部材１１１ｅは、初期の時間Ｎ１ではより高速で弁座１１１ｄに当たり、それによって大幅に大きい衝撃ノイズが生成される。第１の実施形態による制御によれば、吸入弁部材１１１ｅが全開位置に達するとき（弁座１１１ｄと接触するとき）に発生する衝撃ノイズを有効に低減することができる。
〔第２の実施形態〕
図９は、本発明の第２の実施形態による高圧燃料供給ポンプの制御方法による電磁吸入弁１１０の制御電流ＩＣの制御を示す。上の列は、図９の下の列の様に制御電流ＩＣを制御するためのＰＷＭ制御電圧信号ＶＣを示す。
【０１２３】
第１の実施形態と同様に、時間ｔ２までの時間ｔ１では、ソレノイド１１２の制御電流ＩＣを制御電流値ＩＣ１まで増加させるための初期電圧パルスＩＶＰが供給される。第１の実施形態と同様に、時間ｔ２から開始して制御電流ＩＣを制御電流値ＩＣ２へ減少させるためのＰＷＭ電圧制御信号ＶＣ１が印加される。これは、全開位置に向かう吸入弁部材１１１ｅの移動が時間ｔ２の後に減速され、または少なくともその加速が低減されるという効果を有する。
【０１２４】
全開位置へ向かう吸入弁部材１１１ｅの移動の最適な減速を達成するため、制御電流ＩＣ２が、大量生産品による標準的な電磁吸入弁１１０を開き、かつ開いたままで保持されるのに十分な（すなわち、標準的な大量生産の電磁吸入弁が圧縮行程中、弁を開いたまま保持されることに適した）ほぼ最小値であるように、電圧制御信号ＶＣ１のデューティサイクルを設定することができる。
【０１２５】
その際、大量生産によるばらつきが原因で、電磁吸入弁の開方向に作用する磁力が小さくなり過ぎることがあり、開方向に作用する流体力がすぐに小さくなり過ぎ、かつ／または閉方向に作用する付勢力が大きくなり過ぎるため、圧縮プランジャ１３０がＢＤＣに達する時点の前に、電圧制御信号ＶＣ１および制御電流値ＩＣ２が吸入弁部材１１１ｅを全開位置まで移動させるのに十分ではないという状況が生じることがある。
【０１２６】
その結果、圧縮プランジャ１３０がＢＤＣに達する時点でアンカー１１１ｂとコア１１４との間に起こり得る間隙が原因で、磁力が圧縮プランジャ１３０がＴＤＣに向かって再び上向きに移動し始めるとき、電磁吸入弁１１０を開いたまま保持されるのに十分ではないことがある。燃料が吸入ポート１１８を通って吸入弁部材１１１ｅに向かって流れ、それによって吸入ポート１１８および吸入通路１１７を通って圧縮室１２０から漏出するとすぐに、閉方向で吸入弁部材１１１ｅに作用する流体力が発生しうる。
【０１２７】
第２の実施形態では、時間ｔ３では、ＰＷＭ電圧制御信号ＶＣ１に比べてより高いデューティサイクルのさらなるＰＷＭ電圧制御信号ＶＣＦが、圧縮プランジャ１３０がＢＤＣに達する前に制御電流ＩＣをより高い制御電流値ＩＣ３まで再び増加させるために印加される。これによって、圧縮プランジャ１３０がＢＤＣに達する前に、電磁吸入弁１１０の全開が確保される。
【０１２８】
大量生産品の標準的な電磁吸入弁１１０の場合、制御電流ＩＣ２は、時間ｔ２およびｔ３の間の行程で既に、全開位置で弁座１１１ｄ上に吸入弁部材１１１ｅを滑らかに着陸させるのに十分であって、それによってアンカー１１１ｂとコア１１４との間に間隙がないように設定されてもよい。その結果、圧縮プランジャ１３０がＢＤＣに達する前に、開方向に作用する流体力が再び低減するときであっても、ソレノイド１１２の制御電流ＩＣ２によって生じる磁力は電磁吸入弁を全開のまま保持されるのに十分である。この様な標準的構成では、制御電流ＩＣを制御電流値ＩＣ２から制御電流値ＩＣ３へ増加させることによって、電磁吸入弁１１０が全開位置でさらに保持され、それによって衝撃ノイズは発生しない。
【０１２９】
大量生産によるばらつきが原因で、時間ｔ２およびｔ３の間の行程中に電磁吸入弁１１０が全開しなかった場合、制御電流を制御電流値ＩＣ２から制御電流値ＩＣ３へ増加させることによって、吸入弁部材１１１ｅを全開位置まで変位するように、アンカー１１１ｂおよびコア１１４を引き付ける磁力が増加する。これは、時間ｔ２とｔ３との間で既に全開した、大量生産によるばらつきがない標準的な電磁吸入弁１１０に比べて、より大きな衝撃ノイズに結び付くことがある。
【０１３０】
しかし、第２の実施形態では、圧縮プランジャ１３０がＢＤＣに達する前に、電磁吸入弁１１０が全開位置に達することを確保することが可能なので、大量生産によるばらつきがある場合であっても開いたまま保持されることができる。
【０１３１】
図１０は、本発明の第２の実施形態による制御電流および弁移動の漸進的変化を概略的に示す。図１０は、制御電流ＩＣが最初に制御電流値ＩＣ１へ増加され、次に、電磁吸入弁の移動の開始後に制御電流値ＩＣ２へ減少され、さらに、圧縮プランジャ１３０がＢＤＣに達する前に、圧縮プランジャ１３０が下死点ＢＤＣに達した後に電磁吸入弁を全開位置で保持されるための最終目標制御電流値ＩＴである電流制御値ＩＣ３へ再び増加される電流制御を示す。
【０１３２】
図１０の下の列では、制御電流値ＩＣ２を印加する行程の間（図９の時間ｔ２およびｔ３の間）は全閉されず、圧縮プランジャ１３０がＢＤＣに達する直前に減少される流体力により、全閉位置に向かって再び移動する電磁吸入弁に関する弁移動が示される。しかし、圧縮プランジャ１３０がＢＤＣに達する直前に、制御電流ＩＣが電流制御値ＩＣ２から制御電流値ＩＣ３へ増加するため、依然として全開位置まで変位させることができる。ここで、時間Ｎ３では、電磁吸入弁が全開位置に達するときに衝撃ノイズが発生する。しかし、大量生産によるばらつきがある場合であっても、圧縮プランジャ１３０がＢＤＣに達した後、電磁吸入弁を全開位置で保持されることを確保できる。
【０１３３】
図１０に示されるように、第２の実施形態による制御を使用する場合であっても、標準的な大量生産品の電磁吸入弁１１０は図８に示されるのと同じ挙動を示し、すなわち、制御電流ＩＣが制御電流値ＩＣ１から制御電流値ＩＣ２へ減少することに起因して、衝撃ノイズを大幅に低減して時間Ｎ２の全開位置での軟着陸を達成することが可能である。図１０の破線はやはり、図４に記載したような従来例の電流制御に対応する。
【０１３４】
上述したように、第２の実施形態による電流制御によれば、大量生産によるばらつきがある場合、電磁吸入弁１１０が低減された電流制御値ＩＣ２によって全開せず、その後、制御電流ＩＣを再びより高い目標制御電流値ＩＴへ増加させることによって全開させるため、場合によってはより大きな衝撃ノイズが生成されるものの、制御の信頼性は高まる。
〔第３の実施形態〕
図１１は、本発明の第３の実施形態による高圧燃料供給ポンプの制御方法による、電磁吸入弁１１０の制御電流ＩＣの制御を示す。上の列は、図１１の下の列の様に制御電流ＩＣを制御するためのＰＷＭ制御電圧信号ＶＣを示す。
【０１３５】
第３の実施形態によれば、圧縮プランジャ１３０がＢＤＣに達した後に電磁吸入弁を全開のまま保持されるための、制御電流ＩＣの電流制御値ＩＣ２から最終目標制御電流値ＩＴへの増加は、第２の実施形態に上述した大量生産によるばらつきがある場合であっても、全開位置での軟着陸を確保するため、徐々にしか増加されない。
【０１３６】
第３の実施形態によれば、図１１の上の列に示されるように、複数のＰＷＭ電圧制御ＶＣ１、ＶＣ２、ＶＣ３、およびＶＣＦは、時間ｔ２、ｔ３、ｔ４、ｔ５で初期電圧パルスＩＶＰの後に印加される。ここで、ＰＷＭ電圧制御信号ＶＣ１から最終電圧制御信号ＶＣＦへの複数のＰＷＭ電圧制御信号のデューティサイクルは、圧縮プランジャ１３０がＢＤＣに達した後で電磁吸入弁１１０を全開のまま保持されるために、制御電流ＩＣを制御電流値ＩＣ２から制御電流値ＩＣ３へ、制御電流値ＩＣ４へ、また最終目標制御電流値ＩＴへ連続的に増加させるため、段階的ＰＷＭ制御によって徐々に増加される。
〔第４の実施形態〕
図１２は、本発明の第４の実施形態による高圧燃料供給ポンプの制御方法による、電磁吸入弁１１０の制御電流ＩＣの制御を示す。上の列は、図１２の下の列の様に制御電流ＩＣを制御するためのＰＷＭ制御電圧信号ＶＣを示す。
【０１３７】
図１２によれば、制御電流ＩＣは制御電流値ＩＣ２から最終目標制御電流値ＩＴへ増加される。しかし、図１１に上述した第３の実施形態とは異なり、初期電圧パルスＩＶＰと最終ＰＷＭ電圧制御信号ＶＣＦとの間で、ＰＷＭ電圧制御信号ＶＣ１のデューティサイクルは、圧縮プランジャ１３０がＢＤＣに達する前に、制御電流値ＩＣ２を最終目標制御電流値ＩＴへ連続的に（あるいはオン状態の持続時間の増加および／またはオフ状態の持続時間の減少を反復させる）増加させるように、時間ｔ２と時間ｔ３（ｔ３−ｔ２＝ΔＴ２）との間で連続的に増加される。
【０１３８】
本発明の第４の実施形態による電磁吸入弁１１０のソレノイド１１２の制御電流ＩＣの制御の影響が図１３に示される。図１３は、制御電流値ＩＣ２が最終目標制御電流値ＩＴまで連続的に増加されることを上の列に示す。破線はやはり、図４のような従来の制御を指す。図１３の下の列では、大量生産品の標準的な電磁吸入弁１１０が図８に上述したのと同様の挙動を示すことが示される。
【０１３９】
しかし、第２の制御電流値ＩＣ２が電磁吸入弁１１０を全開するのに十分ではないことがある、大量生産によるばらつきがある場合、制御電流を連続的に増加させることで、圧縮プランジャ１３０がＢＤＣに達する前に、時間Ｎ４において電磁吸入弁が依然として全開位置に達して、第２の実施形態に比べて衝撃速度がより低くなることが確保される。
【０１４０】
制御電流値の制御電流値ＩＣ２から目標制御電流値ＩＴへの連続的な増加によって、吸入弁座１１１ｄにある吸入弁部材１１１ｅの時間Ｎ４における滑らかな着陸が可能になり、それによって、大量生産によるばらつきがある場合でも確実に衝撃ノイズを大幅に低減することが可能になる。制御電流の制御電流値ＩＣ２から目標制御電流値ＩＴへの増加が第２の実施形態による場合よりも低速で行われるので、段階的ＰＷＭ電圧制御を使用することは同様の利点を有する。
【０１４１】
図１４は、図３に示されるような従来の制御方法と、本発明の第４の実施形態による制御方法との比較を示す。図１４で「Ａ」と表示された破線の曲線は、全開位置において衝撃ノイズが大幅に低減されて滑らかに着陸するように制御される、標準的な大量生産品の弁移動を示す。図１２および１３に示されるように制御電流値ＩＣ２が減少することによって、全開位置に達する前の電磁吸入弁の移動速度を減速することができる。「Ｂ」と表示された破線の曲線は、低減された制御電流値ＩＣ２によってまだ全開されていないが、その直後に制御電流が目標制御電流値ＩＴへ増加されることによって全開される電磁吸入弁の弁移動を示す。
〔プランジャ分離型の電磁吸入弁〕
図１５は、分離型の電磁吸入弁２１０の例を概略的に示す。図２Ａおよび２Ｂに示される電磁吸入弁１１０とは異なり、電磁吸入弁２１０の吸入弁部材２１１ｅおよび吸入弁プランジャ２１１ａは、独立して移動することができる別個の本体として形成される。吸入弁プランジャ２１１ａは、付勢部材、例えばバネ２１３ａによって閉方向に付勢され、吸入弁部材２１１ｅは、別の付勢部材、例えばバネ２１３ｂによって閉方向に付勢される。
【０１４２】
アンカー２１１ｂは、吸入弁プランジャ２１１ａの一端に、すなわち、吸入弁プランジャ２１１ａが吸入弁部材２１１ｅと接触することができる側とは反対側の吸入弁プランジャ２１１ａの端部に設けられる。電流がソレノイド２１２に印加されると、ソレノイド弁のアンカー２１１ｂおよびコア２１４は磁力によって互いに引き付けられるので、アンカー２１１ｂおよびコア２１４が接触するようになって、変位が制限されるまで吸入弁プランジャ２１１１ａは弁を開く方向で変位される。この位置では、吸入弁プランジャ２１１ａは、バネ２１３ａおよび２１３ｂの付勢力に対抗して、吸入弁部材２１１ｅを全開位置で保持されることができる。
【０１４３】
電流がソレノイド２１２に印加されている限り、アンカー２１１ｂおよびコア２１４は接触したままであるように互いに引き付けられたままであり、それによって弁を開いたまま保持されることができ、吸入弁部材２１１ｅは吸入弁座２１１ｄから離れて保持される。したがって、矢印によって示されるように、低圧燃料を吸入通路２１７を介して低圧系から取り出し、矢印によってさらに示されるように、吸入ポート２１８を介して高圧燃料供給ポンプの圧縮室１２０へ給送することができる。
【０１４４】
電流をソレノイド２１２に印加することによって弁が開いたまま保持されている限り、圧縮室１２０内の圧縮プランジャ１３０が圧縮室１２０の容積を減少させる上向きの行程にあるとき、非加圧燃料が、吸入通路２１７を介して吸入ポート２１８から低圧燃料系へ逆向きに漏出する場合もある。
【０１４５】
しかし、電流がソレノイド２１２に印加されていないとき、バネ２１３ａおよび２１３ｂは、弁を閉じるために吸入弁部材２１１ｅが吸入弁座２１１ｄと接触するまで、吸入弁プランジャ２１１ａおよび吸入弁部材２１３ｂを弁を閉じる方向に付勢する。吸入弁プランジャ２１１ａは、バネ２１３ａの付勢力によって閉方向にさらに変位されてもよい。
【０１４６】
圧縮室１２０内における圧縮プランジャ１３０の上向きの行程では、燃料は吸入ポート２１８を通って漏出することはできず、吐出弁１４０を通して高圧で吐出されるように燃料が圧縮室１２０内で加圧される。他方で、電流がソレノイド２１２に印加されておらず、かつ圧縮プランジャ１３０が圧縮室１２０の容積を増加させるように吸入行程（下向きの行程）にあるとき、圧縮室１２０内の燃料圧は、低圧燃料系に接続された吸入通路２１７内の燃料の圧力と比べて減少するので、ソレノイド２１２に電流が印加されなくても、バネ２１３ｂの付勢力に対抗して弁を開く方向で吸入弁部材２１１ｅの変位を生じさせることができる流体力が発生する。流体力は、吸入弁部材２１１ｅの十分な変位を、あるいは、全開位置への吸入弁部材２１１ｅの十分ではない変位を生じさせることができる。
【０１４７】
電流がソレノイド２１２に印加され通電されると、磁力によって吸入弁プランジャ２１１ａが弁の開方向に変位される。その結果、一般に、この様な分離型の電磁吸入弁の従来の制御によれば、２つの衝撃ノイズが生じる。第１の衝撃ノイズは吸入弁プランジャ２１１ａが吸入弁部材２１１ｅに当たるときに発生し、第２の衝撃ノイズは電磁吸入弁が全開位置に達したときに発生する。
【０１４８】
図１６は、分離型の電磁吸入弁に対する本発明の背景に関連した、常時閉電磁吸入弁の従来の制御の一例を示す。最上列は、ＴＤＣとＢＤＣとの間での圧縮プランジャの移動を示す。上から２列目は制御電流ＩＣの漸進的変化を示し、最下列は吸入弁部材２１１ｅおよび吸入弁プランジャ２１１ａの対応する移動を示す。図１６は、時間Ｎ５およびＮ６において連続的に生成される２つの衝撃ノイズの発生を示す。
【０１４９】
時間Ｎ６における、すなわち電磁吸入弁が全開位置に達したときの衝撃ノイズは、上述したような本発明による、特に上述の実施形態のいずれかによる電流制御によって大幅に低減することができる。さらに、以下に、吸入弁プランジャ２１１ａが吸入弁部材２１１ｅに当たるときに生成される第１の衝撃ノイズも低減することを付加的に可能にする、別の実施形態が記載される。
〔第５の実施形態〕
図１７は、本発明の第５の実施形態による、制御電流ＩＣおよび弁移動の漸進的変化を概略的に示す。最上列は、ＴＤＣとＢＤＣとの間での圧縮プランジャの移動を示す。上から２列目は制御電流ＩＣの漸進的変化を示し（破線は、図１６に上述した従来の制御に対応する）、最下列は吸入弁部材１１１ｅおよび吸入弁プランジャ１１１ａの対応する移動を示す。
【０１５０】
圧縮プランジャ１３０がＢＤＣに達する前に、制御電流は制御電流値ＩＣ１へ増加され、次に制御電流値ＩＣ２へ減少され、その後、第２の実施形態による制御電流と同様に、最終目標制御電流値ＩＴへ再び増加される。あるいは、第１、第３、または第４の実施形態による制御電流を使用することができる。
【０１５１】
さらに、例えば上述したように初期電圧パルスＩＶＰのタイミングを設定することによる、制御電流ＩＣの増加を開始するタイミングは、吸入弁部材１１１ｅが、流体力によって既に開方向でのその移動を開始した後のタイミングに設定される。図１７に示されるように、制御電流ＩＣの増加を開始するタイミングは、磁力の増加によって開方向に変位されている吸入弁プランジャ１１１ａが、流体力によって開方向で既に移動しているときの吸入弁部材１１１ｅと接触するように設定される。したがって、一般に吸入弁プランジャ１１１ａが吸入弁部材１１１ｅに当たると発生する、第１の衝撃ノイズを大幅に低減することができる。
〔第６の実施形態〕
図１８は、本発明の第６の実施形態によるソレノイド１１２の制御電流を制御する制御方法を示す。図１８において圧縮プランジャ１３０がＢＤＣに達する時点より前の制御は、本発明の第２の実施形態に関して図９に記載したような制御に完全に対応する。
【０１５２】
しかし、圧縮プランジャ１３０がＢＤＣに達した後、ＴＤＣに向かって再び上へ移動するとき、第６の実施形態による制御方法、はさらに圧縮プランジャ１３０がＢＤＣに達した後の時間ｔ４において、図１８の制御電流ＩＣ３を、圧縮プランジャ１３０がＴＤＣに向かって移動する圧縮行程中であっても電磁吸入弁を全開位置で保持されるのには依然として十分である、より低い目標制御電流値ＩＴへ減少させるため、それ以前に印加されたＰＷＭ電圧制御信号ＶＣ２よりも小さなデューティサイクルを有する最終ＰＷＭ制御信号ＶＣＦを印加するステップを含む。
【０１５３】
第２の実施形態の利点に加え、第６の実施形態によって、エネルギー消費を低減するとともに、電磁吸入弁を全開位置で保持されるように維持される減少された目標制御電流値ＩＴに起因する、ソレノイド１１２の熱的過負荷をさらに回避することが可能になる。
【０１５４】
図１９は、ＰＷＭ電圧制御信号の代替例の漸進的変化を示す。上述の実施形態では、ソレノイド（１つもしくは複数）のＰＷＭ制御は、単一スイッチまたは二重スイッチのＰＷＭ制御によって例示的に達成された。単一スイッチ制御が使用されるとき、ＰＷＭ周波数は一般に非常に低く、一般的には１００〜８００Ｈｚ、好ましくは３００〜６００Ｈｚ、より好ましくは４００Ｈｚに等しいか少なくとも約４００Ｈｚ（２．５ｍｓの周期と等価）である。
【０１５５】
これは、電磁吸入弁の機械的動作に比べて比較的低速なので、一般的に、電磁吸入弁は最初の数回のＰＷＭ周期後に機械的係止部に達する。そのような場合、全開位置における電磁吸入弁の「軟着陸」（すなわち、衝撃速度がほぼゼロに減速されることによって衝撃ノイズがほとんどない）も実現することができる。これは、最初の数サイクルに対して異なるデューティサイクルを使用し、その後、圧縮行程が始まる前に電磁吸入弁が全開位置に達することを確保するため、ＢＤＣに達する前にデューティサイクルを増加させることによって達成できる。
【０１５６】
最初のＰＷＭ周期の実際の値は、いわゆるＰ＿ＯＮタイミング（すなわち、ポンプのＴＤＣの時点に対する、ソレノイド（１つもしくは複数）の初期の通電を開始する時点）とエンジン速度とを考慮に入れて、各運転条件に対して決定することができる。ノイズ発生を最小限にするため、電磁吸入弁は、好ましくは、ＰＷＭ電圧制御信号がオフ状態にある時点の間に、またはパルスの開始時に機械的係止部に達する。
【０１５７】
上述の方法は、較正プロセス中に使用して、全開位置にある電磁吸入弁が着陸する瞬間の決定を可能にすることができる。任意の条件では、圧縮サイクルの開始前により高いＰＷＭデューティサイクルへの（ＢＤＣとＴＤＣとの間の）切替えによって、運転条件のいかなる変更にも関わらず、または大量生産によるばらつきにも関わらず、電磁吸入弁が全開位置に達することが確保される。
【０１５８】
較正手順は、（最初の数サイクルに対して）いくつかの別個のＰＷＭデューティサイクルを決定することを伴ってもよい。図１０では、例示的に、４つのデューティサイクル「Ｄｕｔｙ１」、「Ｄｕｔｙ２」、「Ｄｕｔｙ３」、および「Ｄｕｔｙ４」が示される（「初期ＰＷＭ」と表示される）。一般的に、電磁吸入弁は、値が低すぎない限り、最初の２サイクル、３サイクル、または４サイクル以内で全開位置に達することができ、値が低い場合は、十分に高いデューティサイクルを、好ましくは約９５％のデューティサイクルを有する最終ＰＷＭデューティサイクルによって全開位置へ移動させられる。
【０１５９】
したがって、１つの可能な構成は段階的ＰＷＭ制御を使用することであり、初期ＰＷＭ全体の持続時間に関しては、「Ｄｕｔｙ１」＝「Ｄｕｔｙ２」＝「Ｄｕｔｙ３」＝「Ｄｕｔｙ４」である（例えば、７５％デューティサイクル）。また、最終ＰＷＭのデューティサイクルは約９５％（または８５％〜１００％デューティサイクル、好ましくは９０％〜１００％デューティサイクルの、別の十分に高い値）である。
【０１６０】
別の可能な構成は、初期ＰＷＭ持続時間におけるＰＷＭ電圧信号デューティサイクルを一定して上昇させるか、または大きな最初のデューティサイクル（初期電圧パルスなど）と、それに続いて第２の周期（Ｄｕｔｙ２）により低いデューティサイクルとを使用するものなどである。圧縮行程の開始前に電磁吸入弁が確実に全開していることを保証するため、ＢＤＣに達する前に大きなデューティサイクルを使用すべきである。このアルゴリズムは、次のように一般化することができる。
【０１６１】
Ｄｕｔｙ１
Ｄｕｔｙ２＝Ｄｕｔｙ１＋ａ
Ｄｕｔｙ３＝Ｄｕｔｙ２＋ｂ
Ｄｕｔｙ４＝Ｄｕｔｙ３＋ｃ
ここで、ａ、ｂ、ｃ、…は較正プロセス中に決定することができる（一般的に±約５％）。次に、ＢＤＣに達する前に、一定した大きなデューティサイクルが使用される。
【０１６２】
Ｄｕｔｙ最終＝ＤｕｔｙＦ（例えば、９５％デューティサイクル）
上述の実施形態の構造の特徴、構成要素、および特定の詳細を入れ替えるか、または組み合わせて、個々の用途に向けて最適化されたさらなる実施形態を形成することができる。それらの修正が当業者には明白である限り、あらゆる可能な組み合わせを明示的に指定することなく、上述の記載によって暗示的に開示されているものとする。
【符号の説明】
【０１６３】
１００：高圧燃料供給ポンプ
１１０：電磁吸入弁
１１１ａ：吸入弁プランジャ
１１１ｅ：吸入弁部材
１２０：圧縮室
１３０：圧縮プランジャ
７００：制御装置
ＩＣ：制御電流
ＩＣ１：第１の制御電流値
ＩＣ２：第２の制御電流値
ＩＣ３：第３の制御電流値
ＩＴ：目標制御電流値
ＴＤＣ：上死点
ＢＤＣ：下死点
ＶＣ：電磁吸入弁の電圧信号
ＩＶＰ：初期電圧パルス
ＶＣ１：第１のＰＷＭ電圧信号
ＶＣ２；ＶＣ３；ＶＣＦ：第２のＰＷＭ電圧信号
ΔＴ１：初期電圧パルス（ＩＶＰ）を印加する持続時間
ΔＴ２：第１のＰＷＭ電圧信号（ＶＣ１）を印加する持続時間
ｔ１：初期電圧パルス（ＩＶＰ）を印加し始めるタイミング
ｔ２：第１のＰＷＭ電圧信号（ＶＣ１）を印加する持続時間（ΔＴ２）のタイミング
ｔ３；ｔ４；ｔ５：第２のＰＷＭ電圧信号を印加するタイミング
ΔＴ３；ΔＴ４：第２のＰＷＭ電圧信号を印加する持続時間
【手続補正２】
【補正対象書類名】特許請求の範囲
【補正対象項目名】全文
【補正方法】変更
【補正の内容】
【特許請求の範囲】
【請求項１】
磁力によって開かれるかまたは開いたまま保持される常時閉型の電磁吸入弁を有し、前記電磁吸入弁を開くために前記電磁吸入弁の制御電流を制御するステップを含み、前記電磁吸入弁の制御電流を制御するステップが、前記制御電流を、前記電磁吸入弁に通電するための第１の制御電流値へ増加させるステップを含む、加圧燃料を内燃機関に供給する高圧燃料供給ポンプの制御方法において、
前記電磁吸入弁を開くために前記電磁吸入弁の制御電流を制御するステップが、さらに前記制御電流を前記第１の制御電流値から前記第１の制御電流値よりも低い第２の制御電流値へ低減するステップを含むことを特徴とする高圧燃料供給ポンプの制御方法。
【請求項２】
請求項１に記載の高圧燃料供給ポンプの制御方法において、前記電磁吸入弁が全開になる前に、前記制御電流が前記第１の制御電流値から前記第２の制御電流値へ低減されることを特徴とする高圧燃料供給ポンプの制御方法。
【請求項３】
請求項１または２に記載の高圧燃料供給ポンプの制御方法において、前記第２の制御電流値が前記第１の制御電流値よりも低い非ゼロ電流値であるか、または前記第２の制御電流値がゼロもしくは少なくともほぼゼロであることを特徴とする高圧燃料供給ポンプの制御方法。
【請求項４】
請求項１乃至３のいずれか一項に記載の高圧燃料供給ポンプの制御方法において、前記電磁吸入弁を開くための前記電磁吸入弁の前記制御電流の制御が、前記制御電流を前記第２の制御電流値から前記第２の制御電流値よりも高い第３の制御電流値へ増加させるステップをさらに含むことを特徴とする高圧燃料供給ポンプの制御方法。
【請求項５】
請求項４に記載の高圧燃料供給ポンプの制御方法において、前記高圧燃料供給ポンプは、圧縮室と、前記圧縮室内において前記下死点と前記上死点との間で往復運動するとともに、前記電磁吸入弁が全開のとき上死点へ移動する際に前記圧縮室内の燃料を加圧する圧縮プランジャを備え、
前記圧縮プランジャが前記下死点に達する前に前記電磁吸入弁が全開することを確保するため、前記制御電流を前記第２の制御電流値から前記第３の制御電流値へ増加させる前記ステップが、前記圧縮プランジャが前記下死点に達する前に行われることを特徴とする高圧燃料供給ポンプの制御方法。
【請求項６】
請求項４または５に記載の高圧燃料供給ポンプの制御方法において、保持される前記第３の制御電流値が、前記圧縮プランジャが前記下死点に達した後に前記電磁吸入弁を全開のまま保持されるための目標制御電流値であり、
前記電磁吸入弁の前記制御電流を制御するステップが、前記電磁吸入弁を全開のまま保持されるため、電磁吸入弁が全開した後に、前記第３の制御電流値を目標制御電流値へ低減するステップと、
前記圧縮プランジャが前記下死点に達した後の前記第３の制御電圧値を、前記圧縮プランジャが前記下死点に達した後に前記電磁吸入弁を全開のまま保持されるため、前記電磁吸入弁が全開した後の目標制御電流値へ低減するステップをさらに含み、
エネルギー消費を低減するため、前記目標制御電流値が前記第３の制御電流値よりも低いことを特徴とする高圧燃料供給ポンプの制御方法。
【請求項７】
請求項１乃至６のいずれか一項に記載の高圧燃料供給ポンプの制御方法において、前記電磁吸入弁の前記制御電流を制御するステップが、前記電磁吸入弁に供給されるＰＷＭ電圧信号のデューティサイクルを制御することによって、前記電磁吸入弁に供給されるＰＷＭ電圧信号のデューティサイクルおよび周波数を制御することによって行われることを特徴とする高圧燃料供給ポンプの制御方法。
【請求項８】
請求項１乃至６のいずれか一項に記載の高圧燃料供給ポンプの制御方法において、前記電磁吸入弁の前記制御電流を制御するステップが、前記電磁吸入弁の電圧信号の値を制御することによって行われることを特徴とする高圧燃料供給ポンプの制御方法。
【請求項９】
請求項１乃至８のいずれか一項に記載の高圧燃料供給ポンプの制御方法において、前記電磁吸入弁の前記制御電流を制御するステップが、
前記制御電流を前記第１の制御電流値へ増加させるため、初期電圧パルスを印加するステップと、
前記制御電流を前記第１の制御電流値から前記第２の制御電流値へ低減するため、前記初期電圧パルスを印加した後に第１のＰＷＭ電圧信号を印加するステップとをさらに含むことを特徴とする高圧燃料供給ポンプの制御方法。
【請求項１０】
請求項９に記載の高圧燃料供給ポンプの制御方法において、前記電磁吸入弁の前記制御電流を制御するステップが、
前記制御電流を前記第２の制御電流値から前記第２の制御電流値よりも高い第３の制御電流値へ増加させるため、前記第１のＰＷＭ電圧信号を印加した後に第２のＰＷＭ電圧信号を印加するステップをさらに含み、
前記第１のＰＷＭ電圧信号が前記第２のＰＷＭ電圧信号よりも小さなデューティサイクルを有することを特徴とする高圧燃料供給ポンプの制御方法。
【請求項１１】
請求項１０に記載の高圧燃料供給ポンプの制御方法において、前記第１のＰＷＭ電圧信号が前記第２のＰＷＭ電圧信号へ切り替えられ、
前記第１のＰＷＭ電圧信号が段階的ＰＷＭ制御によって前記第２のＰＷＭ電圧信号へ変更され、前記第１のＰＷＭ電圧信号の後、かつ前記第２のＰＷＭ電圧信号の前に少なくとも第３のＰＷＭ電圧信号が印加され、
前記第３のＰＷＭ電圧信号のデューティサイクルが、前記第１のＰＷＭ電圧信号のデューティサイクルよりも大きく、かつ前記第２のＰＷＭ制御電圧信号のデューティサイクルよりも小さくされることを特徴とする高圧燃料供給ポンプの制御方法。
【請求項１２】
請求項１０に記載の高圧燃料供給ポンプの制御方法において、前記第１のＰＷＭ電圧信号が前記第２のＰＷＭ電圧信号へ切り替えられ、
前記第１のＰＷＭ電圧信号が段階的ＰＷＭ制御によって前記第２のＰＷＭ電圧信号へ変更され、前記第１のＰＷＭ電圧信号の後、かつ前記第２のＰＷＭ電圧信号の前に少なくとも第３のＰＷＭ電圧信号が印加され、
前記第１のＰＷＭ電圧信号のデューティサイクルが、漸増的ＰＷＭ制御によって前記第２のＰＷＭ電圧信号のデューティサイクルへと連続的または反復的に増加されることを特徴とする高圧燃料供給ポンプの制御方法。
【請求項１３】
請求項９乃至１２のいずれか一項に記載の高圧燃料供給ポンプの制御方法において、前記電磁吸入弁の前記制御電流を制御するステップが、
前記初期電圧パルスを印加し始めるタイミングｔ１を設定するステップと、
前記初期電圧パルスを印加する持続時間ΔＴ１を設定するステップと、
前記第１のＰＷＭ電圧信号の印加、および／または前記第１のＰＷＭ電圧信号を印加する持続時間ΔＴ２のタイミングｔ２を設定するステップとのうち少なくとも１つをさらに含み、
前記初期電圧パルスおよび前記第１のＰＷＭ電圧信号のタイミングと持続時間を設定する前記ステップが、前記電磁吸入弁の開方向に作用する流体力および前記電磁吸入弁の閉方向に作用する付勢力に依存して、前記電磁吸入弁の磁力を制御するために行われることを特徴とする高圧燃料供給ポンプの制御方法。
【請求項１４】
請求項１３に記載の高圧燃料供給ポンプの制御方法において、前記電磁吸入弁の前記制御電流を制御するステップが、
前記第２のＰＷＭ電圧信号を印加するタイミング、および／または前記第２のＰＷＭ電圧信号を印加する持続時間を設定するステップをさらに含み、
前記初期電圧パルス、前記第１のＰＷＭ電圧信号、および前記第２のＰＷＭ電圧信号のタイミングと持続時間を設定する前記ステップが、前記流体力および前記付勢力に依存して前記磁力を制御するために行われることを特徴とする高圧燃料供給ポンプの制御方法。
【請求項１５】
請求項１３または１４に記載の高圧燃料供給ポンプの制御方法において、前記初期電圧パルスを印加する前記タイミングが、前記電磁吸入弁の開方向に作用する最大流体力が発生する前に設定されることを特徴とする高圧燃料供給ポンプの制御方法。
【請求項１６】
請求項１３乃至１５のいずれか一項に記載の高圧燃料供給ポンプの制御方法において、前記初期電圧パルスならびに前記第１のＰＷＭ電圧信号または前記第１および第２のＰＷＭ電圧信号のタイミングと持続時間を設定する前記ステップが、前記ＰＷＭ制御が低電流条件であるタイミングで前記電磁吸入弁がその全開位置に達するように設定されることを特徴とする高圧燃料供給ポンプの制御方法。
【請求項１７】
請求項１乃至１６のいずれか一項に記載の高圧燃料供給ポンプの制御方法において、前記電磁吸入弁が、別個の部材として形成された吸入弁部材および吸入弁プランジャを有する分離型の電磁吸入弁であり、前記電磁吸入弁の前記磁力が前記吸入弁プランジャに作用し、
前記電磁吸入弁に通電するために前記制御電流を前記第１の制御電流値へ増加させ始めるタイミングは、流体力によって前記吸入弁部材が開方向に移動し始めた後のタイミングで、前記吸入弁プランジャが前記吸入弁部材と接触するように設定されることを特徴とする高圧燃料供給ポンプの制御方法。
【請求項１８】
請求項１乃至１７のいずれか一項に記載の高圧燃料供給ポンプの制御方法によって、制御装置が、電磁吸入弁を開くために前記電磁吸入弁の制御電流を制御するように構成された、加圧燃料を内燃機関に供給することを特徴とする高圧燃料供給ポンプを制御する制御装置。
【請求項１９】
請求項１から１７のいずれか一項に記載の高圧燃料供給ポンプの制御方法によって、制御装置が、電磁吸入弁を開くために前記電磁吸入弁の制御電流を制御するように構成された、前記制御装置であって、特にエンジン制御装置を構成させることを特徴とするコンピュータプログラムコードを備えるコンピュータプログラム製品。
【手続補正４】
【補正対象書類名】図面
【補正対象項目名】図３
【補正方法】変更
【補正の内容】
【図３】
2012036886.tif 000025